(57)【特許請求の範囲】
【請求項１】
指示情報伝送装置であって、
1つまたは複数のコードブックにおいて、第1のダウンリンクデータストリームを端末デバイスに送信するために使用される第1のコードブックを決定するように構成されている第1の決定モジュールであって、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含み、前記1つまたは複数のコードブックは1つまたは複数のコードブック集合に属し、前記1つまたは複数のコードブック集合は1つまたは複数のコードブッククラスタに属する、第1の決定モジュールと、
第2のダウンリンクデータストリームを送信するために使用される1つまたは複数の第2のコードブックを決定するように構成されている第2の決定モジュールであって、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームである、第2の決定モジュールと、
前記第1の決定モジュールによって決定された前記第1のコードブックおよび前記第2の決定モジュールによって決定された前記1つまたは複数の第2のコードブックを示すために使用されるコードブック指示情報を決定するように構成され、前記コードブック指示情報は、前記第1のコードブックが属する第1のコードブック集合の情報および前記第1のコードブック集合が属するコードブッククラスタの情報を含み、第3の決定モジュールと、
前記第3の決定モジュールによって決定された前記コードブック指示情報を前記端末デバイスに送信するように構成されている送信モジュールとを備える指示情報伝送装置。
【請求項２】
前記第3の決定モジュールは、
前記第1のコードブックが属している前記第1のコードブック集合と、前記1つまたは複数の第2のコードブックが属している1つまたは複数の第2のコードブック集合と、前記第1のコードブック集合および前記1つまたは複数の第2のコードブック集合が属している第1のコードブッククラスタとを決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、第1の決定ユニットと、
前記コードブック指示情報を決定するように構成されている第2の決定ユニットであって、前記コードブック指示情報は第1のコードブッククラスタ情報、第1のコードブック集合情報、および第1の指示情報を含み、前記第1のコードブッククラスタ情報は、前記第1のコードブッククラスタを示すために使用され、前記第1のコードブック集合情報は、前記第1のコードブッククラスタ内の前記第1のコードブック集合を示すために使用され、前記第1の指示情報は、前記第1のコードブック集合内の前記第1のコードブックを示すために使用され、前記第1の指示情報は前記第1のコードブッククラスタ内の前記1つまたは複数の第2のコードブック集合および前記1つまたは複数の第2のコードブック集合内の前記1つまたは複数の第2のコードブックを示すためにさらに使用される、第2の決定ユニットとを備える請求項1に記載の装置。
【請求項３】
前記第2の決定ユニットによって決定された前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される請求項2に記載の装置。
【請求項４】
前記第2の決定ユニットによって決定された前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である請求項2に記載の装置。
【請求項５】
前記第2の決定ユニットによって決定された前記第1の指示情報は、前記第1のコードブックおよび前記1つまたは複数の第2のコードブックの変調次数情報を含み、各コードブック集合内の各コードブックは、異なる変調次数を有する請求項3または4に記載の装置。
【請求項６】
前記第3の決定モジュールは、
前記第1のコードブックが属している第1の特徴シーケンスと、前記1つまたは複数の第2のコードブックが属している1つまたは複数の第2の特徴シーケンスと、前記第1の特徴シーケンスおよび前記1つまたは複数の第2の特徴シーケンスが属している第1の特徴行列とを決定するように構成されている第3の決定ユニットであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、第3の決定ユニットと、
前記コードブック指示情報を決定するように構成されている第4の決定ユニットであって、前記コードブック指示情報は第1の特徴行列情報、第1の特徴シーケンス情報、および第2の指示情報を含み、前記第1の特徴行列情報は前記第1の特徴行列を示すために使用され、前記第1の特徴シーケンス情報は前記第1の特徴行列内の前記第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の前記1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用される、第4の決定ユニットとを備える請求項2に記載の装置。
【請求項７】
前記第4の決定ユニットによって決定された前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される請求項6に記載の装置。
【請求項８】
前記第4の決定ユニットによって決定された前記第2の指示情報は、前記第1の特徴行列内のすべての特徴シーケンスと一対一対応関係にあるビット列情報のM個のグループを含み、ビット列情報の各グループは対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは前記第1のコードブックまたは前記対応する特徴シーケンスに対応する1つまたは複数のコードブックのうちの前記1つまたは複数の第2のコードブックを示すためにさらに使用され、Mは前記第1の特徴行列に含まれる特徴シーケンスの数である請求項6に記載の装置。
【請求項９】
前記第4の決定ユニットによって決定された前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する請求項7または8に記載の装置。
【請求項１０】
前記第3の決定モジュールは、
第1のモードと第1のデータストリームおよび第2のデータストリームが属している複数の端末デバイスにおける前記端末デバイスのランクとを決定するように構成されている第5の決定ユニットであって、前記第1のモードは、前記第1のコードブックおよび前記1つまたは複数の第2のコードブックが属している第3のコードブック集合、ならびに前記複数の端末デバイスへの前記第3のコードブック集合内のコードブックの割り振りに関する情報を示すために使用され、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第5の決定ユニットと、
前記コードブック指示情報を決定するように構成されている第6の決定ユニットであって、前記コードブック指示情報は第1のモード情報および第1の端末デバイスランク情報を含み、前記第1のモード情報は前記第1のモードを示すために使用され、前記第1の端末デバイスランク情報は前記複数の端末デバイスにおける前記端末デバイスの前記ランクを示すために使用される、第6の決定ユニットとを備える請求項2に記載の装置。
【請求項１１】
前記第3の決定モジュールは、
第2のモードと、第1のデータストリームおよび第2のデータストリームが属している複数の端末デバイスにおける前記端末デバイスのランクと、前記複数の端末デバイスの各々によって使用されるコードブック集合とを決定する、第7の決定ユニットであって、前記第2のモードは、前記第1のコードブックおよび前記1つまたは複数の第2のコードブックが属している第2の特徴行列、ならびに前記複数の端末デバイスへの前記第2の特徴行列内の特徴シーケンスの割り振りに関する情報を示すために使用され、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、第7の決定ユニットと、
前記コードブック指示情報を決定するように構成されている第8の決定ユニットであって、前記コードブック指示情報は第2のモード情報と、第2の端末デバイスランク情報と、第3のコードブック集合情報とを含み、前記第2のモード情報は前記第2のモードを示すために使用され、前記第2の端末デバイスランク情報は前記複数の端末デバイスにおける前記端末デバイスの前記ランクを示すために使用され、前記第3のコードブック集合情報は各端末デバイスによって使用され、前記第2の特徴行列に対応する前記コードブック集合を示すために使用される、第8の決定ユニットとを備える請求項2に記載の装置。
【請求項１２】
前記送信モジュールは、ダウンリンクスケジューリングメッセージ、専用上位層制御シグナリング、またはシステムブロードキャストメッセージを前記端末デバイスに送信するように特に構成され、前記ダウンリンクスケジューリングメッセージ、前記専用上位層制御シグナリング、および前記システムブロードキャストメッセージは前記コードブック指示情報を含む請求項2から11のいずれか一項に記載の装置。
【請求項１３】
前記専用上位層制御シグナリングは、無線リソース制御RRC接続確立メッセージとRRC接続再構成メッセージとを含む請求項12に記載の装置。
【請求項１４】
前記第3の決定モジュールによって決定された前記コードブック指示情報は、ビット列情報である請求項1から13のいずれか一項に記載の装置。
【請求項１５】
前記コードブックは、スパース符号多元接続SCMAコードブックである請求項1から14のいずれか一項に記載の装置。
【発明の詳細な説明】
【技術分野】
【０００１】
本出願は、全体が参照により本明細書に組み込まれている、2014年12月22日に中国特許庁に出願したPCT国際特許出願第PCT/CN2014/094539号、名称「INDICATION INFORMATION TRANSMISSION METHOD AND APPARATUS」の優先権を主張するものである。
【０００２】
本発明は、通信技術の分野に関するものであり、特に、通信分野における指示情報伝送方法および装置に関するものである。
【背景技術】
【０００３】
ワイヤレスセルラーネットワークの止むことのない進歩とともに、第3世代(3rd-Generation、略して「3G」)および第4世代(4th-Generation、略して「4G」)モバイル通信システムにおいて広く応用されている符号分割多元接続(Code Division Multiple Access、略して「CDMA」)技術および直交周波数分割多元接続(Orthogonal Frequency Multiple Access、略して「OFDMA」)技術などの直交多元接続技術では、セルラーネットワーク容量の増大、たとえば、大量アクセスおよび連続的なスペクトル効率の改善を求める人々の要求に、次第に答えられなくなってきている。さらに、工業分野および学術分野において、非直交多元接続技術の研究および応用が次第に多くの注目を集めるようになり、人々は、第5世代(5th-Generation、略して「5G」)モバイル通信システムなどの未来のワイヤレスセルラーネットワークの容量が、非直交多元接続技術を使用することによって効果的に改善できることを期待している。
【０００４】
スパース符号多元接続(Sparse Code Multiple Access、略して「SCMA」)技術は、典型的な非直交多元接続技術である。確かに、SCMA技術は、通信分野において別の名前を有していることもある。この技術によれば、一人または複数のユーザからのM個(Mは1以上の整数である)のデータストリームは、送信のためにN個(Nは1以上の整数)のキャリア上に重ね合わされる。各データストリームの各データは、スパース拡散スペクトル(sparse spread spectrum)を用いてN個のサブキャリア上に拡張される。MがNよりも大きいときに、この技術は、システムにアクセスできるユーザの数、スペクトル効率、および同様のものを含む、ネットワーク容量を効果的に改善することができる。したがって、重要な非直交接続技術として、SCMA技術は、より多くの注目を集め、未来のワイヤレスセルラーネットワークの発展時に重要な候補接続技術となっている。
【０００５】
SCMAシステムなどの非直交多元接続システムでは、端末デバイスが非直交多元接続技術を使用することによってネットワークデバイスによって送信されるダウンリンクデータストリームを受信したときに、端末デバイスは、ダウンリンクデータストリームに使用されるコードブックを学習する必要がある。しかしながら、コードブックの選択および割り振りは、ネットワークデバイスによって一般的に達成され、端末デバイスは、そのようなプロセスに直接加わることをしない。したがって、ネットワークデバイスが、端末デバイスによって受信されるべきデータストリームに対してコードブックを割り振った後に割り振られたコードブックを端末デバイスにどのように通知するかは、解決が急を要する技術的問題である。
【発明の概要】
【課題を解決するための手段】
【０００６】
この点に鑑みて、本発明の実施形態は、ネットワークデバイスが非直交多元接続システムにおいて端末デバイスにコードブックをどのように送信するかという問題を解決するために、指示情報伝送方法および装置を実現する。
【０００７】
第1の態様によれば、指示情報伝送方法が提供され、この方法は、1つまたは複数のコードブックにおいて、第1のダウンリンクデータストリームを端末デバイスに送信するために使用される第1のコードブックを決定するステップであって、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、ステップと、第2のダウンリンクデータストリームを送信するために使用される1つまたは複数の第2のコードブックを決定するステップであって、第2のダウンリンクデータストリームは第1のダウンリンクデータストリームに対して使用される時間周波数リソースで搬送される第1のダウンリンクデータストリーム以外の1つまたは複数のダウンリンクデータストリームである、ステップと、第1のコードブックおよび1つまたは複数の第2のコードブックを示すために使用されるコードブック指示情報を決定するステップと、コードブック指示情報を端末デバイスに送信するステップとを含む。
【０００８】
第1の態様に関して、第1の態様の第1の可能な実装において、第1のコードブックおよび1つまたは複数の第2のコードブックを示すために使用されるコードブック指示情報を決定するステップは、第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、ステップと、コードブック指示情報を決定するステップであって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、ステップとを含む。
【０００９】
第1の態様の第1の可能な実装に関して、第1の態様の第2の可能な実装において、第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【００１０】
第1の態様の第1の可能な実装に関して、第1の態様の第3の可能な実装において、第1の指示情報は第1のコードブッククラスタ内のすべてのコードブック集合と一対一対応関係にあるビット列情報のM個のグループを含み、ビット列情報の各グループは対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは第1のコードブックまたは対応するコードブック集合内の1つまたは複数の第2のコードブックを示すためにさらに使用され、Mは第1のコードブッククラスタに含まれるコードブック集合の数である。
【００１１】
第1の態様の第2または第3の可能な実装に関して、第1の態様の第4の可能な実装において、第1の指示情報は第1のコードブックおよび1つまたは複数の第2のコードブックの変調次数情報を含み、各コードブック集合内の各コードブックは異なる変調次数を有する。
【００１２】
第1の態様に関して、第1の態様の第5の可能な実装において、第1のコードブックおよび1つまたは複数の第2のコードブックを示すために使用されるコードブック指示情報を決定するステップは、第1のコードブックが属している第1の特徴シーケンス(feature sequence)と、1つまたは複数の第2のコードブックが属している1つまたは複数の第2の特徴シーケンスと、第1の特徴シーケンスおよび1つまたは複数の第2の特徴シーケンスが属している第1の特徴行列とを決定するステップであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、ステップと、コードブック指示情報を決定するステップであって、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される、ステップとを含む。
【００１３】
第1の態様の第5の可能な実装に関して、第1の態様の第6の可能な実装において、第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【００１４】
第1の態様の第5の可能な実装に関して、第1の態様の第7の可能な実装において、第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【００１５】
第1の態様の第6または第7の可能な実装に関して、第1の態様の第8の可能な実装において、第2の指示情報は第1のコードブックおよび1つまたは複数の第2のコードブックの変調次数情報を含み、各特徴シーケンスに対応する1つまたは複数のコードブックの各々は、異なる変調次数を有する。
【００１６】
第1の態様に関して、第1の態様の第9の可能な実装において、第1のコードブックおよび1つまたは複数の第2のコードブックを示すために使用されるコードブック指示情報を決定するステップは、第1のモードと第1のデータストリームおよび第2のデータストリームが属している複数の端末デバイスにおける端末デバイスのランクとを決定するステップであって、第1のモードは、第1のコードブックおよび1つまたは複数の第2のコードブックが属している第3のコードブック集合、ならびに複数の端末デバイスへの第3のコードブック集合内のコードブックの割り振りに関する情報を示すために使用され、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップと、コードブック指示情報を決定するステップであって、コードブック指示情報は第1のモード情報および第1の端末デバイスランク情報を含み、第1のモード情報は第1のモードを示すために使用され、第1の端末デバイスランク情報は複数の端末デバイスにおける端末デバイスのランクを示すために使用される、ステップとを含む。
【００１７】
第1の態様に関して、第1の態様の第10の可能な実装において、第1のコードブックおよび1つまたは複数の第2のコードブックを示すために使用されるコードブック指示情報を決定するステップは、第2のモードと、第1のデータストリームおよび第2のデータストリームが属している複数の端末デバイスにおける端末デバイスのランクと、複数の端末デバイスの各々によって使用されるコードブック集合とを決定するステップであって、第2のモードは、第1のコードブックおよび1つまたは複数の第2のコードブックが属している第2の特徴行列、ならびに複数の端末デバイスへの第2の特徴行列内の特徴シーケンスの割り振りに関する情報を示すために使用され、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、ステップと、コードブック指示情報を決定するステップであって、コードブック指示情報は第2のモード情報と、第2の端末デバイスランク情報と、第3のコードブック集合情報とを含み、第2のモード情報は第2のモードを示すために使用され、第2の端末デバイスランク情報は複数の端末デバイスにおける端末デバイスのランクを示すために使用され、第3のコードブック集合情報は各端末デバイスによって使用され、第2の特徴行列に対応するコードブック集合を示すために使用される、ステップとを含む。
【００１８】
第1の態様、または第1の態様の第1から第10の可能な実装のいずれか1つに関して、第1の態様の第11の可能な実装において、コードブック指示情報を端末デバイスに送信するステップは、ダウンリンクスケジューリングメッセージ、専用上位層制御シグナリング、またはシステムブロードキャストメッセージを端末デバイスに送信するステップであって、ダウンリンクスケジューリングメッセージ、専用上位層制御シグナリング、およびシステムブロードキャストメッセージはコードブック指示情報を含む、ステップを含む。
【００１９】
第1の態様の第11の可能な実装に関して、第1の態様の第12の可能な実装において、専用上位層制御シグナリングは、無線リソース制御RRC接続確立メッセージとRRC接続再構成メッセージとを含む。
【００２０】
第1の態様、または第1の態様の第1から第12の可能な実装のいずれか1つに関して、第1の態様の第13の可能な実装において、コードブック指示情報はビット列情報である。
【００２１】
第1の態様、または第1の態様の第1から第13の可能な実装のいずれか1つに関して、第1の態様の第14の可能な実装において、コードブックはスパース符号多元接続SCMAコードブックである。
【００２２】
第1の態様の第14の可能な実装に関して、第1の態様の第15の可能な実装において、コードブックに含まれているコードワードの0変調シンボルの数は、非0変調シンボルの数以上である。
【００２３】
第2の態様によれば、指示情報伝送方法が提供され、この方法は、ネットワークデバイスによって送信されたコードブック指示情報を受信するステップであって、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、ステップと、コードブック指示情報に従って第1のコードブックおよび1つまたは複数の第2のコードブックを決定するステップと、第1のコードブックおよび1つまたは複数の第2のコードブックに従って、ネットワークデバイスによって送信された第1のダウンリンクデータストリームを復号するステップとを含む。
【００２４】
第2の態様に関して、第2の態様の第1の可能な実装において、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、コードブック指示情報に従って第1のコードブックおよび1つまたは複数の第2のコードブックを決定するステップは、第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するステップであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、ステップを含む。
【００２５】
第2の態様の第1の可能な実装に関して、第2の態様の第2の可能な実装において、第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【００２６】
第2の態様の第1の可能な実装に関して、第2の態様の第3の可能な実装において、第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【００２７】
第2の態様の第2または第3の可能な実装に関して、第2の態様の第4の可能な実装において、第1の指示情報は、第1のコードブックおよび1つまたは複数の第2のコードブックの変調次数情報を含み、各コードブック集合内の各コードブックは、異なる変調次数を有する。
【００２８】
第2の態様に関して、第2の態様の第5の可能な実装において、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用され、コードブック指示情報に従って第1のコードブックおよび1つまたは複数の第2のコードブックを決定するステップは、第1の特徴行列情報、第1の特徴シーケンス情報、および第2の指示情報に従って、第1の特徴行列に含まれる第1の特徴シーケンスに対応する1つまたは複数のコードブックのうちの第1のコードブックと、第1の特徴行列に含まれる1つまたは複数の第2の特徴シーケンスに対応する1つまたは複数のコードブックのうちの1つまたは複数の第2のコードブックとを決定するステップであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、ステップを含む。
【００２９】
第2の態様の第5の可能な実装に関して、第2の態様の第6の可能な実装において、第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【００３０】
第2の態様の第5の可能な実装に関して、第2の態様の第7の可能な実装において、第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【００３１】
第2の態様の第6または第7の可能な実装に関して、第2の態様の第8の可能な実装において、第2の指示情報は第1のコードブックおよび1つまたは複数の第2のコードブックの変調次数情報を含み、各特徴シーケンスに対応する1つまたは複数のコードブックの各々は、異なる変調次数を有する。
【００３２】
第2の態様に関して、第2の態様の第9の可能な実装において、コードブック指示情報は第1のモード情報および第1の端末デバイスランク情報を含み、第1のモード情報は第1のモードを示すために使用され、第1のモードは、第1のコードブックおよび1つまたは複数の第2のコードブックが属している第3のコードブック集合、ならびに第1のデータストリームおよび第2のデータストリームが属している複数の端末デバイスへの第3のコードブック集合内のコードブックの割り振りに関する情報を示すために使用され、第1の端末デバイスランク情報は複数の端末デバイスにおける端末デバイスのランクを示すために使用され、コードブック指示情報に従って第1のコードブックおよび1つまたは複数の第2のコードブックを決定するステップは、第1のモード情報および第1の端末デバイスランク情報に従って、第1のモードによって示されている第3のコードブック集合において、第1の端末デバイスランク情報に対応する第1のコードブックおよび1つまたは複数の第2のコードブックを決定するステップであって、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップを含む。
【００３３】
第2の態様に関して、第2の態様の第10の可能な実装において、コードブック指示情報は第2のモード情報と、第2の端末デバイスランク情報と、第3のコードブック集合情報とを含み、第2のモード情報は第2のモードを示すために使用され、第2のモードは、第1のコードブックおよび1つまたは複数の第2のコードブックが属している第2の特徴行列、ならびに第1のデータストリームおよび第2のデータストリームが属している複数の端末デバイスへの第2の特徴行列内の特徴シーケンスの割り振りに関する情報を示すために使用され、第2の端末デバイスランク情報は複数の端末デバイスにおける端末デバイスのランクを示すために使用され、第3のコードブック集合情報は複数の端末デバイスの各々によってそれぞれ使用され、第2の特徴行列に対応するコードブック集合を示すために使用され、コードブック指示情報に従って第1のコードブックおよび1つまたは複数の第2のコードブックを決定するステップは、第2のモード情報、第2の端末デバイスランク情報、および第3のコードブック集合情報に従って、第2のモードによって示される第2の特徴行列に対応する1つまたは複数のコードブック集合において、第2の端末デバイスランク情報に対応する第1のコードブックおよび1つまたは複数の第2のコードブックを決定するステップであって、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、ステップを含む。
【００３４】
第2の態様、または第2の態様の第1から第10の可能な実装のいずれか1つに関して、第2の態様の第11の可能な実装において、ネットワークデバイスによって送信されたコードブック指示情報を受信するステップは、ダウンリンクスケジューリングメッセージ、専用上位層制御シグナリング、またはネットワークデバイスによって送信されたシステムブロードキャストメッセージを受信するステップであって、ダウンリンクスケジューリングメッセージ、専用上位層制御シグナリング、およびシステムブロードキャストメッセージはコードブック指示情報を含む、ステップを含む。
【００３５】
第2の態様の第11の可能な実装に関して、第2の態様の第12の可能な実装において、専用上位層制御シグナリングは、無線リソース制御RRC接続確立メッセージとRRC接続再構成メッセージとを含む。
【００３６】
第2の態様、または第2の態様の第1から第12の可能な実装のいずれか1つに関して、第2の態様の第13の可能な実装において、コードブック指示情報はビット列情報である。
【００３７】
第2の態様、または第2の態様の第1から第13の可能な実装のいずれか1つに関して、第2の態様の第14の可能な実装において、コードブックはスパース符号多元接続SCMAコードブックである。
【００３８】
第2の態様の第14の可能な実装に関して、第2の態様の第15の可能な実装において、コードブックに含まれているコードワードの0変調シンボルの数は、非0変調シンボルの数以上である。
【００３９】
第3の態様によれば、指示情報伝送装置が実現され、この装置は、1つまたは複数のコードブックにおいて、第1のダウンリンクデータストリームを端末デバイスに送信するために使用される第1のコードブックを決定するように構成されている第1の決定モジュールであって、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、第1の決定モジュールと、第2のダウンリンクデータストリームを送信するために使用される1つまたは複数の第2のコードブックを決定するように構成されている第2の決定モジュールであって、第2のダウンリンクデータストリームは第1のダウンリンクデータストリームに対して使用される時間周波数リソースで搬送される第1のダウンリンクデータストリーム以外の1つまたは複数のダウンリンクデータストリームである、第2の決定モジュールと、第1の決定モジュールによって決定された第1のコードブックおよび第2の決定モジュールによって決定された1つまたは複数の第2のコードブックを示すために使用されるコードブック指示情報を決定するように構成されている第3の決定モジュールと、第3の決定モジュールによって決定されたコードブック指示情報を端末デバイスに送信するように構成されている送信モジュールとを備える。
【００４０】
第3の態様に関して、第3の態様の第1の可能な実装において、第3の決定モジュールは、第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するように構成されている第1の決定ユニットであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、第1の決定ユニットと、コードブック指示情報を決定するように構成されている第2の決定ユニットであって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、第2の決定ユニットとを備える。
【００４１】
第3の態様の第1の可能な実装に関して、第3の態様の第2の可能な実装において、第2の決定ユニットによって決定された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【００４２】
第3の態様の第1の可能な実装に関して、第3の態様の第3の可能な実装において、第2の決定ユニットによって決定された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【００４３】
第3の態様の第2または第3の可能な実装に関して、第3の態様の第4の可能な実装において、第2の決定ユニットによって決定された第1の指示情報は、第1のコードブックおよび1つまたは複数の第2のコードブックの変調次数情報を含み、各コードブック集合内の各コードブックは、異なる変調次数を有する。
【００４４】
第3の態様に関して、第3の態様の第5の可能な実装において、第3の決定モジュールは、第1のコードブックが属している第1の特徴シーケンスと、1つまたは複数の第2のコードブックが属している1つまたは複数の第2の特徴シーケンスと、第1の特徴シーケンスおよび1つまたは複数の第2の特徴シーケンスが属している第1の特徴行列とを決定するように構成されている第3の決定ユニットであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、第3の決定ユニットと、コードブック指示情報を決定するように構成されている第4の決定ユニットであって、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される、第4の決定ユニットとを備える。
【００４５】
第3の態様の第5の可能な実装に関して、第3の態様の第6の可能な実装において、第4の決定ユニットによって決定された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【００４６】
第3の態様の第5の可能な実装に関して、第3の態様の第7の可能な実装において、第4の決定ユニットによって決定された第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【００４７】
第3の態様の第6または第7の可能な実装に関して、第3の態様の第8の可能な実装において、第4の決定ユニットによって決定された第2の指示情報は、第1のコードブックおよび1つまたは複数の第2のコードブックの変調次数情報を含み、各特徴シーケンスに対応する1つまたは複数のコードブックの各々は、異なる変調次数を有する。
【００４８】
第3の態様に関して、第3の態様の第9の可能な実装において、第3の決定モジュールは、第1のモードと第1のデータストリームおよび第2のデータストリームが属している複数の端末デバイスにおける端末デバイスのランクとを決定するように構成されている第5の決定ユニットであって、第1のモードは、第1のコードブックおよび1つまたは複数の第2のコードブックが属している第3のコードブック集合、ならびに複数の端末デバイスへの第3のコードブック集合内のコードブックの割り振りに関する情報を示すために使用され、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第5の決定ユニットと、コードブック指示情報を決定するように構成されている第6の決定ユニットであって、コードブック指示情報は第1のモード情報および第1の端末デバイスランク情報を含み、第1のモード情報は第1のモードを示すために使用され、第1の端末デバイスランク情報は複数の端末デバイスにおける端末デバイスのランクを示すために使用される、第6の決定ユニットとを備える。
【００４９】
第3の態様に関して、第3の態様の第10の可能な実装において、第3の決定モジュールは、第2のモードと、第1のデータストリームおよび第2のデータストリームが属している複数の端末デバイスにおける端末デバイスのランクと、複数の端末デバイスの各々によって使用されるコードブック集合とを決定するように構成されている第7の決定ユニットであって、第2のモードは、第1のコードブックおよび1つまたは複数の第2のコードブックが属している第2の特徴行列、ならびに複数の端末デバイスへの第2の特徴行列内の特徴シーケンスの割り振りに関する情報を示すために使用され、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、第7の決定ユニットと、コードブック指示情報を決定するように構成されている第8の決定ユニットであって、コードブック指示情報は第2のモード情報と、第2の端末デバイスランク情報と、第3のコードブック集合情報とを含み、第2のモード情報は第2のモードを示すために使用され、第2の端末デバイスランク情報は複数の端末デバイスにおける端末デバイスのランクを示すために使用され、第3のコードブック集合情報は各端末デバイスによって使用され、第2の特徴行列に対応するコードブック集合を示すために使用される、第8の決定ユニットとを備える。
【００５０】
第3の態様、または第3の態様の第1から第10の可能な実装のいずれか1つに関して、第3の態様の第11の可能な実装において、送信モジュールは、ダウンリンクスケジューリングメッセージ、専用上位層制御シグナリング、またはシステムブロードキャストメッセージを端末デバイスに送信し、ダウンリンクスケジューリングメッセージ、専用上位層制御シグナリング、およびシステムブロードキャストメッセージはコードブック指示情報を含む、ように特に構成される。
【００５１】
第3の態様の第11の可能な実装に関して、第3の態様の第12の可能な実装において、専用上位層制御シグナリングは、無線リソース制御RRC接続確立メッセージとRRC接続再構成メッセージとを含む。
【００５２】
第3の態様、または第3の態様の第1から第12の可能な実装のいずれか1つに関して、第3の態様の第13の可能な実装において、第3の決定モジュールによって決定されたコードブック指示情報はビット列情報である。
【００５３】
第3の態様、または第3の態様の第1から第13の可能な実装のいずれか1つに関して、第3の態様の第14の可能な実装において、コードブックはスパース符号多元接続SCMAコードブックである。
【００５４】
第3の態様の第14の可能な実装に関して、第3の態様の第15の可能な実装において、コードブックに含まれているコードワードの0変調シンボルの数は、非0変調シンボルの数以上である。
【００５５】
第3の態様、または第3の態様の第1から第15の実装のいずれか1つに関して、第3の態様の第16の実装において、装置は、ネットワークデバイスである。
【００５６】
第4の態様によれば、指示情報伝送装置が実現され、この装置は、ネットワークデバイスによって送信されたコードブック指示情報を受信するように構成されている受信モジュールであって、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、受信モジュールと、受信モジュールによって受信されたコードブック指示情報に従って第1のコードブックおよび1つまたは複数の第2のコードブックを決定するように構成されている決定モジュールと、第1のコードブックおよび決定モジュールによって決定された1つまたは複数の第2のコードブックに従って、ネットワークデバイスによって送信された第1のダウンリンクデータストリームを復号するように構成されている復号モジュールとを備える。
【００５７】
第4の態様に関して、第4の態様の第1の可能な実装において、受信モジュールによって受信されたコードブック指示情報は、第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、決定モジュールは、第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するように構成されている第1の決定ユニットであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、第1の決定ユニットを備える。
【００５８】
第4の態様の第1の可能な実装に関して、第4の態様の第2の可能な実装において、受信モジュールによって受信された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【００５９】
第4の態様の第1の可能な実装を参照すると、第4の態様の第3の可能な実装において、受信モジュールによって受信された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【００６０】
第4の態様の第2または第3の可能な実装を参照すると、第4の態様の第4の可能な実装方式において、受信モジュールによって受信された第1の指示情報は、第1のコードブックおよび1つまたは複数の第2のコードブックの変調次数情報を含み、各コードブック集合内の各コードブックは、異なる変調次数を有する。
【００６１】
第4の態様に関して、第4の態様の第5の可能な実装において、受信モジュールによって受信されたコードブック指示情報は、第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用され、決定モジュールは、第1の特徴行列情報、第1の特徴シーケンス情報、および第2の指示情報に従って、第1の特徴行列に含まれる第1の特徴シーケンスに対応する1つまたは複数のコードブックのうちの第1のコードブックと、第1の特徴行列に含まれる1つまたは複数の第2の特徴シーケンスに対応する1つまたは複数のコードブックのうちの1つまたは複数の第2のコードブックとを決定するように構成されている第2の決定ユニットであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、第2の決定ユニットを備える。
【００６２】
第4の態様の第5の可能な実装に関して、第4の態様の第6の可能な実装において、受信モジュールによって受信された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【００６３】
第4の態様の第5の可能な実装に関して、第4の態様の第7の可能な実装において、受信ユニットによって受信された第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【００６４】
第4の態様の第6または第7の可能な実装に関して、第4の態様の第8の可能な実装において、受信モジュールによって受信された第2の指示情報は、第1のコードブックおよび1つまたは複数の第2のコードブックの変調次数情報を含み、各特徴シーケンスに対応する1つまたは複数のコードブックの各々は、異なる変調次数を有する。
【００６５】
第4の態様に関して、第4の態様の第9の可能な実装において、受信モジュールによって受信されたコードブック指示情報は第1のモード情報および第1の端末デバイスランク情報を含み、第1のモード情報は第1のモードを示すために使用され、第1のモードは、第1のコードブックおよび1つまたは複数の第2のコードブックが属している第3のコードブック集合、ならびに第1のデータストリームおよび第2のデータストリームが属している複数の端末デバイスへの第3のコードブック集合内のコードブックの割り振りに関する情報を示すために使用され、第1の端末デバイスランク情報は複数の端末デバイスにおける端末デバイスのランクを示すために使用され、決定モジュールは、第1のモード情報および第1の端末デバイスランク情報に従って、第1のモードによって示されている第3のコードブック集合において、第1の端末デバイスランク情報に対応する第1のコードブックおよび1つまたは複数の第2のコードブックを決定するように構成されている第3の決定ユニットであって、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第3の決定ユニットを備える。
【００６６】
第4の態様に関して、第4の態様の第10の可能な実装において、受信モジュールによって受信されたコードブック指示情報は第2のモード情報と、第2の端末デバイスランク情報と、第3のコードブック集合情報とを含み、第2のモード情報は第2のモードを示すために使用され、第2のモードは、第1のコードブックおよび1つまたは複数の第2のコードブックが属している第2の特徴行列、ならびに第1のデータストリームおよび第2のデータストリームが属している複数の端末デバイスへの第2の特徴行列内の特徴シーケンスの割り振りに関する情報を示すために使用され、第2の端末デバイスランク情報は複数の端末デバイスにおける端末デバイスのランクを示すために使用され、第3のコードブック集合情報は複数の端末デバイスの各々によってそれぞれ使用され、第2の特徴行列に対応するコードブック集合を示すために使用され、決定モジュールは、第2のモード情報、第2の端末デバイスランク情報、および第3のコードブック集合情報に従って、第2のモードによって示される第2の特徴行列に対応する1つまたは複数のコードブック集合において、第2の端末デバイスランク情報に対応する第1のコードブックおよび1つまたは複数の第2のコードブックを決定するように構成されている第4の決定ユニットであって、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、第4の決定ユニットを備える。
【００６７】
第4の態様、または第4の態様の第1から第10の可能な実装のいずれか1つに関して、第4の態様の第11の可能な実装において、受信モジュールは、ダウンリンクスケジューリングメッセージ、専用上位層制御シグナリング、またはネットワークデバイスによって送信されるシステムブロードキャストメッセージを受信し、ダウンリンクスケジューリングメッセージ、専用上位層制御シグナリング、およびシステムブロードキャストメッセージはコードブック指示情報を含む、ように特に構成される。
【００６８】
第4の態様の第11の可能な実装に関して、第4の態様の第12の可能な実装において、専用上位層制御シグナリングは、無線リソース制御RRC接続確立メッセージとRRC接続再構成メッセージとを含む。
【００６９】
第4の態様、または第4の態様の第1から第12の可能な実装のいずれか1つに関して、第4の態様の第13の可能な実装において、受信モジュールによって受信されたコードブック指示情報はビット列情報である。
【００７０】
第4の態様、または第4の態様の第1から第13の可能な実装のいずれか1つに関して、第4の態様の第14の可能な実装において、コードブックはスパース符号多元接続SCMAコードブックである。
【００７１】
第4の態様の第14の可能な実装に関して、第4の態様の第15の可能な実装において、コードブックに含まれているコードワードの0変調シンボルの数は、非0変調シンボルの数以上である。
【００７２】
第4の態様、または第4の態様の第1から第15の実装のいずれか1つに関して、第4の態様の第16の実装において、装置は、端末デバイスである。
【００７３】
第5の態様によれば、指示情報伝送装置が実現され、この装置は、プロセッサ、メモリ、バスシステム、および送信機を備え、プロセッサ、メモリ、および送信機は、バスシステムを使用することによって接続され、メモリは、命令を記憶するように構成され、プロセッサは、信号を送信する送信機を制御するために、メモリに記憶されている命令を実行するように構成され、プロセッサは、1つまたは複数のコードブックにおいて、第1のダウンリンクデータストリームを端末デバイスに送信するために使用される第1のコードブックを決定するように構成され、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含み、さらに第2のダウンリンクデータストリームを送信するために使用される1つまたは複数の第2のコードブックを決定するように構成され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定するように構成され、送信機は、コードブック指示情報を端末デバイスに送信するように構成される。
【００７４】
第5の態様に関して、第5の態様の第1の可能な実装に関して、プロセッサによって、第1のコードブックおよび1つまたは複数の第2のコードブックを示すために使用されるコードブック指示情報を決定することは、第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定することであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、決定することと、コードブック指示情報を決定することであって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、決定することとを含む。
【００７５】
第5の態様の第1の可能な実装に関して、第5の態様の第2の可能な実装において、プロセッサによって決定された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【００７６】
第5の態様の第1の可能な実装に関して、第5の態様の第3の可能な実装において、プロセッサによって決定された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【００７７】
第5の態様の第2または第3の可能な実装に関して、第5の態様の第4の可能な実装において、プロセッサによって決定された第1の指示情報は、第1のコードブックおよび1つまたは複数の第2のコードブックの変調次数情報を含み、各コードブック集合内の各コードブックは、異なる変調次数を有する。
【００７８】
第5の態様に関して、第5の態様の第5の可能な実装において、プロセッサによって、第1のコードブックおよび1つまたは複数の第2のコードブックを示すために使用されるコードブック指示情報を決定することは、第1のコードブックが属している第1の特徴シーケンスと、1つまたは複数の第2のコードブックが属している1つまたは複数の第2の特徴シーケンスと、第1の特徴シーケンスおよび1つまたは複数の第2の特徴シーケンスが属している第1の特徴行列とを決定することであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、決定することと、コードブック指示情報を決定することであって、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される、決定することとを含む。
【００７９】
第5の態様の第5の可能な実装に関して、第5の態様の第6の可能な実装において、プロセッサによって決定された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【００８０】
第5の態様の第5の可能な実装に関して、第5の態様の第7の可能な実装において、プロセッサによって決定された第2の指示情報は、第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【００８１】
第5の態様の第6または第7の可能な実装に関して、第5の態様の第8の可能な実装において、プロセッサによって決定された第2の指示情報は、第1のコードブックおよび1つまたは複数の第2のコードブックの変調次数情報を含み、各特徴シーケンスに対応する1つまたは複数のコードブックの各々は、異なる変調次数を有する。
【００８２】
第5の態様に関して、第5の態様の第9の可能な実装に関して、プロセッサによって、第1のコードブックおよび1つまたは複数の第2のコードブックを示すために使用されるコードブック指示情報を決定することは、第1のモードと第1のデータストリームおよび第2のデータストリームが属している複数の端末デバイスにおける端末デバイスのランクとを決定することであって、第1のモードは、第1のコードブックおよび1つまたは複数の第2のコードブックが属している第3のコードブック集合、ならびに複数の端末デバイスへの第3のコードブック集合内のコードブックの割り振りに関する情報を示すために使用され、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、決定することと、コードブック指示情報を決定することであって、コードブック指示情報は第1のモード情報および第1の端末デバイスランク情報を含み、第1のモード情報は第1のモードを示すために使用され、第1の端末デバイスランク情報は複数の端末デバイスにおける端末デバイスのランクを示すために使用される、決定することとを含む。
【００８３】
第5の態様に関して、第5の態様の第10の可能な実装に関して、プロセッサによって、第1のコードブックおよび1つまたは複数の第2のコードブックを示すために使用されるコードブック指示情報を決定することは、第2のモードと、第1のデータストリームおよび第2のデータストリームが属している複数の端末デバイスにおける端末デバイスのランクと、複数の端末デバイスの各々によって使用されるコードブック集合とを決定することであって、第2のモードは、第1のコードブックおよび1つまたは複数の第2のコードブックが属している第2の特徴行列、ならびに複数の端末デバイスへの第2の特徴行列内の特徴シーケンスの割り振りに関する情報を示すために使用され、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、決定することと、コードブック指示情報を決定することであって、コードブック指示情報は第2のモード情報と、第2の端末デバイスランク情報と、第3のコードブック集合情報とを含み、第2のモード情報は第2のモードを示すために使用され、第2の端末デバイスランク情報は複数の端末デバイスにおける端末デバイスのランクを示すために使用され、第3のコードブック集合情報は各端末デバイスによって使用され、第2の特徴行列に対応するコードブック集合を示すために使用される、決定することとを含む。
【００８４】
第5の態様、または第5の態様の第1から第10の可能な実装のいずれか1つに関して、第5の態様の第11の可能な実装において、送信機によって、コードブック指示情報を端末デバイスに送信することは、ダウンリンクスケジューリングメッセージ、専用上位層制御シグナリング、またはシステムブロードキャストメッセージを端末デバイスに送信するステップであって、ダウンリンクスケジューリングメッセージ、専用上位層制御シグナリング、およびシステムブロードキャストメッセージはコードブック指示情報を含む、送信することを含む。
【００８５】
第5の態様の第11の可能な実装に関して、第5の態様の第12の可能な実装において、専用上位層制御シグナリングは、無線リソース制御RRC接続確立メッセージとRRC接続再構成メッセージとを含む。
【００８６】
第5の態様、または第5の態様の第1から第12の可能な実装のいずれか1つに関して、第5の態様の第13の可能な実装において、プロセッサによって決定されたコードブック指示情報はビット列情報である。
【００８７】
第5の態様、または第5の態様の第1から第13の可能な実装のいずれか1つに関して、第5の態様の第14の可能な実装において、コードブックはスパース符号多元接続SCMAコードブックである。
【００８８】
第5の態様の第14の可能な実装に関して、第5の態様の第15の可能な実装において、コードブックに含まれているコードワードの0変調シンボルの数は、非0変調シンボルの数以上である。
【００８９】
第5の態様、または第5の態様の第1から第15の実装のいずれか1つに関して、第5の態様の第16の実装において、装置は、ネットワークデバイスである。
【００９０】
第6の態様によれば、指示情報伝送装置が実現され、この装置は、プロセッサ、メモリ、バスシステム、および受信機を備え、プロセッサ、メモリ、および受信機は、バスシステムを使用することによって接続され、メモリは、命令を記憶するように構成され、プロセッサは、信号を受信する受信機を制御するために、メモリに記憶されている命令を実行するように構成され、受信機はネットワークデバイスによって送信されたコードブック指示情報を受信するように構成され、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含み、プロセッサは、コードブック指示情報に従って第1のコードブックおよび1つまたは複数の第2のコードブックを決定し、第1のコードブックおよび1つまたは複数の第2のコードブックに従って、ネットワークデバイスによって送信された第1のダウンリンクデータストリームを復号するように構成されている。
【００９１】
第6の態様に関して、第6の態様の第1の可能な実装において、受信機によって受信されたコードブック指示情報は、第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、プロセッサによって、コードブック指示情報に従って第1のコードブックおよび1つまたは複数の第2のコードブックを決定することは、第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定することであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、決定することを含む。
【００９２】
第6の態様の第1の可能な実装に関して、第6の態様の第2の可能な実装において、受信機によって受信された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【００９３】
第6の態様の第1の可能な実装に関して、第6の態様の第3の可能な実装において、受信機によって受信された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【００９４】
第6の態様の第2または第3の可能な実装に関して、第6の態様の第4の可能な実装において、受信機によって受信された第1の指示情報は、第1のコードブックおよび1つまたは複数の第2のコードブックの変調次数情報を含み、各コードブック集合内の各コードブックは、異なる変調次数を有する。
【００９５】
第6の態様に関して、第6の態様の第5の可能な実装において、受信機によって受信されたコードブック指示情報は、第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用され、プロセッサによって、コードブック指示情報に従って第1のコードブックおよび1つまたは複数の第2のコードブックを決定することは、第1の特徴行列情報、第1の特徴シーケンス情報、および第2の指示情報に従って、第1の特徴行列に含まれる第1の特徴シーケンスに対応する1つまたは複数のコードブックのうちの第1のコードブックと、第1の特徴行列に含まれる1つまたは複数の第2の特徴シーケンスに対応する1つまたは複数のコードブックのうちの1つまたは複数の第2のコードブックとを決定することであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、決定することを含む。
【００９６】
第6の態様の第5の可能な実装に関して、第6の態様の第6の可能な実装において、受信機によって受信された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【００９７】
第6の態様の第5の可能な実装に関して、第6の態様の第7の可能な実装において、受信機によって受信された第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【００９８】
第6の態様の第6または第7の可能な実装に関して、第6の態様の第8の可能な実装において、受信機によって受信された第2の指示情報は、第1のコードブックおよび1つまたは複数の第2のコードブックの変調次数情報を含み、各特徴シーケンスに対応する1つまたは複数のコードブックの各々は、異なる変調次数を有する。
【００９９】
第6の態様に関して、第6の態様の第9の可能な実装において、受信機によって受信されたコードブック指示情報は第1のモード情報および第1の端末デバイスランク情報を含み、第1のモード情報は第1のモードを示すために使用され、第1のモードは、第1のコードブックおよび1つまたは複数の第2のコードブックが属している第3のコードブック集合、ならびに第1のデータストリームおよび第2のデータストリームが属している複数の端末デバイスへの第3のコードブック集合内のコードブックの割り振りに関する情報を示すために使用され、第1の端末デバイスランク情報は複数の端末デバイスにおける端末デバイスのランクを示すために使用され、プロセッサによって、コードブック指示情報に従って第1のコードブックおよび1つまたは複数の第2のコードブックを決定することは、第1のモード情報および第1の端末デバイスランク情報に従って、第1のモードによって示されている第3のコードブック集合において、第1の端末デバイスランク情報に対応する第1のコードブックおよび1つまたは複数の第2のコードブックを決定することであって、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、決定することを含む。
【０１００】
第6の態様に関して、第6の態様の第10の可能な実装において、受信機によって受信されたコードブック指示情報は第2のモード情報と、第2の端末デバイスランク情報と、第3のコードブック集合情報とを含み、第2のモード情報は第2のモードを示すために使用され、第2のモードは、第1のコードブックおよび1つまたは複数の第2のコードブックが属している第2の特徴行列、ならびに第1のデータストリームおよび第2のデータストリームが属している複数の端末デバイスへの第2の特徴行列内の特徴シーケンスの割り振りに関する情報を示すために使用され、第2の端末デバイスランク情報は複数の端末デバイスにおける端末デバイスのランクを示すために使用され、第3のコードブック集合情報は複数の端末デバイスの各々によってそれぞれ使用され、第2の特徴行列に対応するコードブック集合を示すために使用され、プロセッサによって、コードブック指示情報に従って第1のコードブックおよび1つまたは複数の第2のコードブックを決定することは、第2のモード情報、第2の端末デバイスランク情報、および第3のコードブック集合情報に従って、第2のモードによって示される第2の特徴行列に対応する1つまたは複数のコードブック集合において、第2の端末デバイスランク情報に対応する第1のコードブックおよび1つまたは複数の第2のコードブックを決定することであって、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、決定することを含む。
【０１０１】
第6の態様、または第6の態様の第1から第10の可能な実装のいずれか1つに関して、第6の態様の第11の可能な実装において、受信機によって、ネットワークデバイスによって送信されたコードブック指示情報を受信することは、ダウンリンクスケジューリングメッセージ、専用上位層制御シグナリング、またはネットワークデバイスによって送信されたシステムブロードキャストメッセージを受信することであって、ダウンリンクスケジューリングメッセージ、専用上位層制御シグナリング、およびシステムブロードキャストメッセージはコードブック指示情報を含む、受信することを含む。
【０１０２】
第6の態様の第11の可能な実装に関して、第6の態様の第12の可能な実装において、専用上位層制御シグナリングは、無線リソース制御RRC接続確立メッセージとRRC接続再構成メッセージとを含む。
【０１０３】
第6の態様、または第6の態様の第1から第12の可能な実装のいずれか1つに関して、第6の態様の第13の可能な実装において、受信機によって受信されたコードブック指示情報はビット列情報である。
【０１０４】
第6の態様、または第6の態様の第1から第13の可能な実装のいずれか1つに関して、第6の態様の第14の可能な実装において、コードブックはスパース符号多元接続SCMAコードブックである。
【０１０５】
第6の態様の第14の可能な実装に関して、第6の態様の第15の可能な実装において、コードブックに含まれているコードワードの0変調シンボルの数は、非0変調シンボルの数以上である。
【０１０６】
第6の態様、または第6の態様の第1から第15の実装のいずれか1つに関して、第6の態様の第16の実装において、装置は、端末デバイスである。
【０１０７】
前述の技術的解決方法に基づき、本発明の実施形態における指示情報伝送方法および装置に従って、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０１０８】
本発明の実施形態における技術的ソリューションをより明確に説明するために、以下において、本発明の実施形態の説明に必要な添付図面を簡単に説明する。明らかに、以下の説明の添付図面は、本発明のいくつかの実施形態を示しているにすぎず、当業者であれば、創造的労力を費やすことなくこれらの添付図面から他の図面を導き出すことができる。
【図面の簡単な説明】
【０１０９】
【図１】本発明の一実施形態が適用される通信システムの概略アーキテクチャ図である。
【図２】非直交多元接続システムの符号化原理の概略図である。
【図３】本発明の一実施形態による指示情報伝送方法の概略フローチャートである。
【図４】本発明の一実施形態によりコードブック指示情報を決定するための方法の概略フローチャートである。
【図５】本発明の一実施形態によりコードブック指示情報を決定するための方法の別の概略フローチャートである。
【図６】本発明の別の実施形態による指示情報伝送方法の概略フローチャートである。
【図７】本発明の別の実施形態による指示情報伝送方法の別の概略フローチャートである。
【図８】本発明の別の実施形態による指示情報伝送方法のさらに別の概略フローチャートである。
【図９】本発明の一実施形態による指示情報伝送装置の概略ブロック図である。
【図１０】本発明の一実施形態による装置の第3の決定モジュールの概略ブロック図である。
【図１１】本発明の一実施形態による装置の第3の決定モジュールの別の概略ブロック図である。
【図１２】本発明の別の実施形態による指示情報伝送装置の概略ブロック図である。
【図１３】本発明の別の実施形態による装置の決定モジュールの概略ブロック図である。
【図１４】本発明のさらに別の実施形態による指示情報伝送装置の概略ブロック図である。
【図１５】本発明のさらに別の実施形態による指示情報伝送装置の概略ブロック図である。
【図１６】本発明の一実施形態によりコードブック指示情報を決定するための方法のさらに別の概略フローチャートである。
【図１７】本発明の一実施形態によりコードブック指示情報を決定するための方法のさらに別の概略フローチャートである。
【図１８】本発明の別の実施形態による指示情報伝送方法のさらに別の概略フローチャートである。
【図１９】本発明の別の実施形態による指示情報伝送方法のさらに別の概略フローチャートである。
【図２０】本発明の一実施形態による装置の第3の決定モジュールのさらに別の概略ブロック図である。
【図２１】本発明の一実施形態による装置の第3の決定モジュールのさらに別の概略ブロック図である。
【図２２】本発明の別の実施形態による装置の決定モジュールの概略ブロック図である。
【発明を実施するための形態】
【０１１０】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部である。創造的労力を費やすことなく本発明の実施形態に基づいて当業者が得る他のすべての実施形態は、本発明の保護の範囲内に収まるものとする。
【０１１１】
本発明の実施形態における技術的解決方法は、非直交多元接続技術、たとえば、SCMAシステムに基づく様々な通信システムに適用され得ることが理解されるであろう。確かに、SCMAは、通信分野において別の名前を有していることもある。さらに、本発明の実施形態における技術的解決方法は、非直交多元接続技術を使用するマルチキャリア伝送システム、たとえば、直交周波数分割多重(Orthogonal Frequency Division Multiplexing、略して「OFDM」)システム、フィルタバンクマルチキャリア(Filter Bank Multi-Carrier、略して「FBMC」)システム、一般化周波数分割多重(Generalized Frequency Division Multiplexing、略して「GFDM」)システム、または非直交多元接続技術を使用するフィルタ直交周波数分割多重(Filtered-OFDM、略して「F-OFDM」)システムに適用され得る。本発明の実施形態は、一例としてSCMA技術を使用する通信システムのみを使用することによって説明されているが、本発明の実施形態は、それに限定されないことがさらに理解されるであろう。
【０１１２】
本発明の実施形態において、端末デバイスは、無線アクセスネットワーク(Radio Access Network、略して「RAN」)を使用することによって1つまたは複数のコアネットワークと通信し得ることもさらに理解されるであろう。端末デバイスは、アクセス端末、ユーザ機器(User Equipment、略して「UE」)、ユーザユニット、利用者局、移動局、携帯端末、遠隔局、遠隔端末、モバイルデバイス、ユーザ端末、端末、ワイヤレス通信デバイス、ユーザエージェント、またはユーザ装置と称され得る。アクセス端末は、携帯電話、コードレス電話、セッション開始プロトコル(Session Initiation Protocol、略して「SIP」)電話、ワイヤレスローカルループ(Wireless Local Loop、略して「WLL」)局、携帯情報端末(Personal Digital Assistant、略してPDA)、ワイヤレス通信機能を有するハンドヘルドデバイス、コンピューティングデバイス、ワイヤレスモデムに接続されている別の処理デバイス、車載デバイス、ウェアラブルデバイス、および将来の5Gネットワークの端末デバイスであってよい。
【０１１３】
本発明の実施形態において、ネットワークデバイスは端末デバイスと通信するように構成され得ることがさらに理解されるであろう。ネットワークデバイスは、グローバル・システム・フォー・モバイル・コミュニケーションズ(Global System for Mobile communication、略して「GSM(登録商標)」)システムまたは符号分割多元接続(Code Division Multiple Access、略して「CDMA」)システムにおけるベーストランシーバ基地局(Base Transceiver Station、略して「BTS」)、広帯域符号分割多元接続(Wideband Code Division Multiple Access、略して「WCDMA(登録商標)」)システムにおけるNodeB(NodeB、略して「NB」)、またはロングタームエボリューション(Long Term Evolution、略して「LTE」)システムにおける発展型Node B(Evolved Node B、略して「eNB」または「eNodeB」)であってよい。代替的に、ネットワークデバイスは、中継局、アクセスポイント、車載デバイス、ウェアラブルデバイス、将来の5Gネットワークにおける基地局デバイス、または同様のものであってよい。
【０１１４】
図1は、本発明の一実施形態が適用される通信システムの概略アーキテクチャ図である。図1に示されているように、通信システム100は、ネットワークデバイス102を備え得る。ネットワークデバイス102は、1つまたは複数のアンテナグループを備えるものとしてよく、各アンテナグループは、1つまたは複数のアンテナを備え得る。たとえば、1つのアンテナグループは、アンテナ104と106とを含むことができ、別のアンテナグループは、アンテナ108と110とを備えることができ、追加のグループは、アンテナ112と114とを含むことができる。図1は、各アンテナグループに対して2本のアンテナを示しているが、各アンテナグループは、それよりも多いまたは少ないアンテナを有し得ることが理解されるであろう。ネットワークデバイス102は、それに加えて、送信機チェーンおよび受信機チェーンを備え得る。当業者であれば、送信機チェーンおよび受信機チェーンは両方とも、信号の送信および受信に関係する複数のコンポーネント(たとえば、プロセッサ、変調器、マルチプレクサ、復調器、デマルチプレクサ、またはアンテナ)を備え得ることを理解し得る。
【０１１５】
ネットワークデバイス102は、複数の端末デバイス(たとえば、端末デバイス116および端末デバイス122)と通信し得る。しかしながら、ネットワークデバイス102は、端末デバイス116または122に類似する任意の数の端末デバイスと通信し得ることが理解され得る。端末デバイス116および122は、たとえば、携帯電話、スマートフォン、ポータブルコンピュータ、ハンドヘルド通信デバイス、ハンドヘルドコンピューティングデバイス、衛星無線装置、全地球測位システム、PDA、および/またはワイヤレス通信システム100における通信に使用される他の好適なデバイスであってよい。
【０１１６】
図1に示されているように、端末デバイス116は、アンテナ112および114と通信する。アンテナ112および114は、順方向リンク118を使用することによって端末デバイス116に情報を送信し、逆方向リンク120を使用することによって端末デバイス116から情報を受信する。それに加えて、端末デバイス122は、アンテナ104および106と通信する。アンテナ104および106は、順方向リンク124を使用することによって端末デバイス122に情報を送信し、逆方向リンク126を使用することによって端末デバイス122から情報を受信する。
【０１１７】
たとえば、周波数分割複信(Frequency Division Duplex、略して「FDD」)システムでは、逆方向リンク120に使用されているのとは異なる周波数帯域が、順方向リンク118に使用されるものとしてよく、逆方向リンク126に使用されているのとは異なる周波数帯域が、順方向リンク124に使用されるものとしてよい。たとえば、時分割複信(Time Division Duplex、略して「TDD」)システムおよび全二重(Full Duplex)システムでは、同じ周波数帯域が、順方向リンク118および逆方向リンク120に使用されるものとしてよく、同じ周波数帯域が、順方向リンク124および逆方向リンク126に使用されるものとしてよい。
【０１１８】
通信用に設計されている各アンテナグループおよび/またはエリアは、ネットワークデバイス102のセクタと称される。たとえば、アンテナグループは、ネットワークデバイス102のサービスエリアのセクタ内で端末デバイスと通信するように設計され得る。ネットワークデバイス102が、順方向リンク118および124をそれぞれ使用することによって端末デバイス116および122と通信するときに、ネットワークデバイス102の送信アンテナは、ビームフォーミングを用いて順方向リンク118および124の信号対雑音比を改善し得る。それに加えて、ネットワークデバイスによって単一のアンテナを使用することによって信号をネットワークデバイスのすべての端末デバイスに送信することと比べて、ビームフォーミングを用いてネットワークデバイス102によって信号を、関係するサービスエリア内にランダムに分散されている端末デバイス116および122に送信することで、隣接セルにおいてモバイルデバイスに対して引き起こされる干渉が小さくなる。
【０１１９】
与えられた時間内に、ネットワークデバイス102、端末デバイス116、または端末デバイス122は、送信側ワイヤレス通信装置および/または受信側ワイヤレス通信装置であり得る。データ送信時に、送信側ワイヤレス通信装置は、送信用にデータを符号化し得る。特に、送信側ワイヤレス通信装置は、チャネルを使用することによって受信側ワイヤレス通信装置に送信される必要のある特定の数のデータビットを取得し(たとえば、生成し、別の通信装置から受信し、またはメモリに保存し)得る。データビットは、データのトランスポートブロック(または複数のトランスポートブロック)に含まれるものとしてよく、トランスポートブロックは、複数の符号ブロックを生成するようにセグメント分割され得る。
【０１２０】
通信システムは、非直交多元接続システムであることが理解されるであろう。たとえば、システムは、SCMAシステムである。ネットワークデバイスは、たとえば、基地局である。端末デバイスは、たとえば、ユーザ機器である。本発明の実施形態は、一例としてSCMAシステム、基地局、およびユーザ機器のみを使用することによって説明されているが、本発明は、それに限定されない。
【０１２１】
図1は、本発明の一実施形態が適用される通信システムを示している。通信システムは、たとえば、SCMAシステムである。次に、図2を参照しつつ、SCMAシステムなどの非直交多元接続システムの送信端の符号化原理を簡単に説明する。
【０１２２】
図2に示されているように、4つのリソースユニット上で6つのデータストリームが多重化される一例を使用することによって説明がなされている。すなわち、M=6およびN=4である。Mは正整数であり、データストリームの数を表す。Nは正整数であり、リソースユニットの数を表す。リソースユニットは、サブキャリア、リソース要素(Resource Element、略して「RE」)、またはアンテナポートである。6つのデータストリームはグループを構成し、4つのリソースユニットはコーディングユニットを構成する。
【０１２３】
図2に示されている二部グラフにおいて、データストリームとリソースユニットとの間に線がある場合、これは、コードワードマッピングの後にデータストリームの少なくとも1つのデータの組合せに対して非0変調シンボルがリソースユニット上で送信されることを示している。データストリームとリソースユニットとの間に線がない場合、これは、コードワードマッピングの後のデータストリームの可能なすべてのデータの組合せに対してリソースユニット上で送信される変調シンボルが0変調シンボルであることを示している。データストリームのデータの組合せは、次のような説明に従って理解できる。たとえば、バイナリビットデータストリームについて、00、01、10、および11は、2ビットデータの可能なすべてのデータの組合せである。説明を簡単にするために、s1からs6は、二部グラフにおいて6つのデータストリームの送信されるべきデータの組合せをそれぞれ表すために使用され、x1からx4は、二部グラフにおいて4つのリソースユニット上で送信される変調シンボルをそれぞれ表すために使用される。
【０１２４】
この二部グラフから、コードワードマッピングの後に各データストリームのデータの組合せに対して変調シンボルが2つ以上のリソースユニット上で送信され、各リソースユニットによって送信された変調シンボルはコードワードマッピングの後にそれぞれ取得された変調シンボルを2つ以上のデータストリームのデータの組合せ上に重ね合わせることによって取得されることがわかる。たとえば、非0変調シンボルは、ワードマッピングの後にデータストリーム3の送信されるべきデータの組合せs3に対してリソースユニット1およびリソースユニット2上で送信され、リソースユニット3によって送信された変調シンボルx3は、コードワードマッピングの後にそれぞれ取得された非0変調シンボルをデータストリーム2、データストリーム4、およびデータストリーム6の送信されるべきデータの組合せs2、s4、およびs6上に重ね合わせることによって取得される。データストリームの数はリソースユニットの数よりも多くすることができるので、非直交多元接続システムは、システムにアクセスできるユーザの数、スペクトル効率、および同様のものを含む、ネットワーク容量を効果的に改善することができる。
【０１２５】
前述の内容は、図1および図2を参照しつつ本発明の実施形態における応用シナリオおよび符号化原理を説明するものである。次に、ネットワークデバイス側から図3から図5を参照しつつ本発明の一実施形態による指示情報伝送方法を説明する。
【０１２６】
図3は、本発明の一実施形態による指示情報伝送方法200を示している。方法200は、たとえば、非直交多元接続システムにおいてネットワークデバイスによって実行され得る。ネットワークデバイスは、たとえば、基地局である。図3に示されているように、方法200は以下のステップを含む。
【０１２７】
S210:1つまたは複数のコードブックにおいて、第1のダウンリンクデータストリームを端末デバイスに送信するために使用される第1のコードブックを決定し、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む。
【０１２８】
S220:第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームである。
【０１２９】
S230:第1のコードブックおよび1つまたは複数の第2のコードブックを示すために使用されるコードブック指示情報を決定する。
【０１３０】
S240:コードブック指示情報を端末デバイスに送信する。
【０１３１】
特に、SCMAシステムなどの非直交多元接続システムでは、ネットワークデバイスは、各端末デバイスによって受信されるべき1つまたは複数のダウンリンクデータストリームに対してコードブックを割り振るか、または指定する。ネットワークデバイスによって端末デバイスに送信されたダウンリンクデータストリームを正しく受信するか、または復号するために、端末デバイスは、ダウンリンクデータストリームを送信するためにネットワークデバイスによって使用されるコードブック、およびダウンリンクデータストリームを送信するためにネットワークデバイスによって使用される時間周波数リソース上で別のダウンリンクデータストリームを送信するためにネットワークデバイスによって使用される1つまたは複数のコードブックを学習する必要がある。
【０１３２】
したがって、ネットワークデバイスは、第1のコードブックおよび1つまたは複数の第2のコードブックを決定し、第1のコードブックおよび1つまたは複数の第2のコードブックを示すために使用されるコードブック指示情報を決定するものとしてよい。第1のコードブックは、第1のダウンリンクデータストリームを端末デバイスに送信するためにネットワークデバイスによって使用されるコードブックである。1つまたは複数の第2のコードブックは、第2のダウンリンクデータストリームを別の端末デバイスに送信するためにネットワークデバイスによって使用される1つまたは複数のコードブックである。第2のダウンリンクデータストリームは第1のダウンリンクデータストリームに対して使用される時間周波数リソースで搬送される第1のダウンリンクデータストリーム以外の1つまたは複数のダウンリンクデータストリームである。さらに、ネットワークデバイスは、コードブック指示情報を端末デバイスに送信し得る。コードブック指示情報は、第1のダウンリンクデータストリームを受信するために端末デバイスによって使用される第1のコードブック、および1つまたは複数の第2のコードブックを示すために使用される。
【０１３３】
ネットワークデバイスによって送信されたコードブック指示情報を受信した後、端末デバイスは、コードブック指示情報に従って、第1のダウンリンクデータストリームを送信するためにネットワークデバイスによって使用される第1のコードブックと、ダウンリンクデータストリームを送信するためにネットワークデバイスによって使用される同じ時間周波数リソース上で別のダウンリンクデータストリームを送信するためにネットワークデバイスによって使用される1つまたは複数の第2のコードブックとを決定し得る。このようにして、端末デバイスは、第1のコードブックおよび1つまたは複数の第2のコードブックに従って、ネットワークデバイスによって送信された第1のダウンリンクデータストリームを受信するか、または復号することができる。したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムのネットワーク容量は、効果的に改善され得る。
【０１３４】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０１３５】
本発明のこの実施形態において、非直交多元接続技術により、コードブックを使用することによって同じリソースユニット上で複数の異なるデータストリームが伝送される、すなわち、同じリソースユニット上で複数の異なるデータストリームが多重化される。異なるデータストリームに対して異なるコードブックが使用される。したがって、リソースの利用が改善される。データストリームは、同じ端末デバイスからでも異なる端末デバイスからでもよい。
【０１３６】
コードワードは、多次元複素ベクトルによって表現され得る。複素ベクトルは、2つ以上の次元を有するものとしてよく、データと2つ以上の変調シンボルとの間のマッピング関係を示すために使用される。変調シンボルは、少なくとも1つの0変調シンボルと少なくとも1つの非0変調シンボルとを含む。データは、バイナリビットデータまたは多変量データであってよい。コードブックは、2つ以上のコードワードからなるものとしてよい。コードブックは、特定の長さのデータの可能なデータの組合せとコードブック内のコードワードとの間のマッピング関係を示し得る。
【０１３７】
したがって、非直交多元接続技術により、データストリーム内のデータは、特定のマッピング関係に従ってコードワード、すなわち、多次元複素ベクトルに直接マッピングされ、それにより、データは拡張され、複数のリソースユニット上で送信される。データは、バイナリビットデータまたは多変量データであってよい。リソースユニットは、時間領域、周波数領域、空間領域、時間周波数領域、時間空間領域、または時間周波数空間領域のリソースユニットであってよい。
【０１３８】
コードワード、コードブック、および図2に示されている二部グラフの前述の説明を参照すると、コードブック内のコードワードは、一般的に次のような形式をとる。
【０１３９】
【数１】
0006517347.tif 000002
【０１４０】
ここで、1≦q≦Qm
【０１４１】
2つ以上のコードワードからなるコードブックは、一般的に次のような形式をとる。
【０１４２】
【数２】
0006517347.tif 000003
【０１４３】
Nは、1よりも大きい正整数であり、コーディングユニットに含まれるリソースユニットの数を表し得るか、またはコードワード長として理解され得る。Qmは、1よりも大きい正整数であり、コードブックに含まれるコードワードの数を表し、変調次数に対応する。たとえば、4相位相シフトキーイング(Quadrature Phase Shift Keying、略して「QPSK」)または4次変調において、Qmの値は4である。qは正整数であり、1≦q≦Qmである。
【０１４４】
コードブックおよびコードワードに含まれる要素cn,qは、複素数であり、cn,q=α*exp(j*β)、1≦n≦N、1≦q≦Qmと数学的に表され得る。αおよびβは、実数であってよい。特定のマッピング関係がコードブック内のコードワードとデータストリームのデータの組合せとの間に存在し得る。たとえば、次のマッピング関係は、コードブック内のコードワードとバイナリデータストリームの2ビットデータの組合せとの間に存在し得る。「00」はコードワード1にマッピングされるものとしてよく、「01」はコードワード2にマッピングされるものとしてよく、「10」はコードワード3にマッピングされるものとしてよく、「11」はコードワード4にマッピングされるものとしてよい。コードワード1、コードワード2、コードワード3、およびコードワード4は、それぞれ次のように表され得る。
コードワード1:
【０１４５】
【数３】
0006517347.tif 000004
【０１４６】
、コードワード2:
【０１４７】
【数４】
0006517347.tif 000005
【０１４８】
、コードワード3:
【０１４９】
【数５】
0006517347.tif 000006
【０１５０】
、およびコードワード4:
【０１５１】
【数６】
0006517347.tif 000007
【０１５２】
前述の二部グラフを参照すると、データストリームとリソースユニットとの間に線があるときに、データストリームに対応するコードブックおよびコードブック内のコードワードは次のような特徴を有する。非0変調シンボルが、コードブック内の少なくとも1つのコードワードに対して対応するリソースユニット上で送信される。たとえば、データストリーム3とリソースユニット1との間に線があり、データストリーム3に対応するコードブック内の少なくとも1つのコードワードはc1,q≠0および1≦q≦Qmという条件を満たす。データストリームとリソースユニットとの間に線がないときには、データストリームに対応するコードブックおよびコードブック内のコードワードは次のような特徴を有する。0変調シンボルが、コードブック内のすべてのコードワードに対して対応するリソースユニット上で送信される。たとえば、データストリーム3とリソースユニット3との間に線がなく、データストリーム3に対応するコードブック内のコードワードがc3,q=0および1≦q≦Qmという条件を満たす。
【０１５３】
要するに、変調次数がQPSKまたは4次変調であるときに、前述の二部グラフにおけるデータストリーム3に対応するコードブックは、次の形式および特徴を有するものとしてよい。
【０１５４】
【数７】
0006517347.tif 000008
【０１５５】
cn,q=α*exp(j*β)、1≦n≦2、1≦q≦4、αおよびβは任意の実数であってよく、任意のqについて、1≦q≦4、c1,qおよびc2,qは同時にゼロでなく、
【０１５６】
【数８】
0006517347.tif 000009
【０１５７】
および
【０１５８】
【数９】
0006517347.tif 000010
【０１５９】
、1≦q1≦4および1≦q2≦4という条件を満たす少なくともq1およびq2がある。たとえば、図2に示されているデータストリーム3のデータの組合せs3が「10」である場合、上で説明されているマッピング規則に従って、データの組合せs3がマッピングされるコードワードは、4次元複素ベクトル
【０１６０】
【数１０】
0006517347.tif 000011
【０１６１】
である。
【０１６２】
非直交多元接続システムでは、図2に示されている二部グラフは、代替的に、特徴行列を使用することによって表され得る。特徴行列は、次のような形式をとり得る。
【０１６３】
【数１１】
0006517347.tif 000012
【０１６４】
rn,mは特徴行列内の要素を表し、mおよびnは自然数、1≦n≦N、1≦m≦Mであり、N行はそれぞれコーディングユニット内のN個のリソースユニットを表し、M列はグループ内の多重化されたデータストリームの数を表す。特徴行列は一般形式で表され得るが、特徴行列は次の特徴を有するものとしてよい。
【０１６５】
(1)特徴行列内の要素は、rn,m∈{0,1}、1≦n≦N、1≦m≦Mという条件を満たす。rn,m=1のときに、対応する二部グラフに従って、次のように説明され得る。m番目のデータストリームとn番目のリソースユニットとの間に線がある。確かに、rn,m=1は、代替的に次のように理解され得る。非0変調シンボルが、コードワードマッピングの後にm番目のデータストリームの少なくとも1つのデータの組合せに対してn番目のリソースユニット上で送信される。rn,m=0のときに、対応する二部グラフに従って、次のように説明され得る。m番目のデータストリームとn番目のリソースユニットとの間に線がない。確かに、rn,m=0は、代替的に次のように理解され得る。0変調シンボルが、コードワードマッピングの後にm番目のデータストリームの可能なすべてのデータの組合せに対してn番目のリソースユニット上で送信される。
【０１６６】
(2)さらに、適宜、特徴行列内の0要素の数は、1要素の数以上であり、スパース符号化の特徴を示す。
【０１６７】
それに加えて、特徴行列内の列は、特徴シーケンスと称され得る。特徴シーケンスは、次のような形式で表され得る。
【０１６８】
【数１２】
0006517347.tif 000013
【０１６９】
したがって、特徴行列は、一連の特徴シーケンスからなる行列としてみなされてよい。
【０１７０】
特徴行列の前述の特徴の説明を参照すると、図2に与えられている例について、対応する特徴行列は、次のように表され得る。
【０１７１】
【数１３】
0006517347.tif 000014
【０１７２】
図2のデータストリーム3に使用されるコードブック
【０１７３】
【数１４】
0006517347.tif 000015
【０１７４】
に対応する特徴シーケンスは、
【０１７５】
【数１５】
0006517347.tif 000016
【０１７６】
のように表され得る。
【０１７７】
このようにして、コードブックは特徴シーケンスと一対一対応関係にある、すなわち、1つのコードブックは1つの特徴シーケンスに一意的に対応することが考えられ得る。特徴シーケンスは、コードブックと一対一対応関係にあり得る、すなわち、1つの特徴シーケンスは、1つまたは複数のコードブックに対応し得る。したがって、特徴シーケンスは、次のように理解され得る。1つの特徴シーケンスは1つまたは複数のコードブックに対応し、各特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０１７８】
特徴シーケンスとコードブックとの間の対応関係は、次の2つの条件によって決定され得る。
【０１７９】
(1)コードブック内のコードワードの変調シンボルの総数は、対応する特徴シーケンス内の要素の総数と同じである。
【０１８０】
(2)特徴シーケンス内の任意の1要素について、対応するコードブック内に少なくとも1つのコードワードが見つかるものとしてよく、それにより、1要素のロケーションにおけるコードワードの変調シンボルは、0変調シンボルではない。特徴シーケンス内の任意の0要素について、0要素に対応するロケーションにおける対応するコードブック内のすべてのコードワードの変調シンボルは、すべて0変調シンボルである。
【０１８１】
したがって、本発明のこの実施形態において、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む。各特徴行列は2つ以上の特徴シーケンスからなり、各特徴行列は1つまたは複数のコードブックに対応し、各特徴シーケンスも1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０１８２】
本発明のこの実施形態では、複数のコードブックは、1つまたは複数のコードブッククラスタに分割されるものとしてよく、各コードブッククラスタは1つまたは複数のコードブックを含むものとしてよく、同じコードブッククラスタ内の任意の2つのコードブック、たとえば、コードブックaおよびコードブックbは、次のような特徴を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードの長さが同じであり、データストリームが多重化されるリソースユニットの数が同じであるという条件を満たす。
【０１８３】
本発明のこの実施形態では、複数のコードブックは、代替的に、1つまたは複数のコードブック集合に分割されるものとしてよく、各コードブック集合は1つまたは複数のコードブックを含むものとしてよく、同じコードブック集合内の任意の2つのコードブック、たとえば、コードブックcおよびコードブックdは、次のような特徴を有する。(1)コードブックc内のコードワードおよびコードブックd内のコードワードは、同じ総数の変調シンボルを有する。(2)コードブックc内のすべてのコードワードの変調シンボルがすべて0変調シンボルであるロケーションにおいて、コードブックd内のすべてのコードワードの変調シンボルもすべて0変調シンボルである。
【０１８４】
なおも説明の一例として図2を使用して、変調次数がQPSKまたは4次変調であると仮定されている。次いで、図2のデータストリーム1に使用されるコードブックは、コードブック1として表されるものとしてよく、データストリーム3に使用されるコードブックは、コードブック3として表されるものとしてよく、コードブック1およびコードブック3は、それぞれ、次のように表され得る。
コードブック1:
【０１８５】
【数１６】
0006517347.tif 000017
【０１８６】
およびコードブック3:
【０１８７】
【数１７】
0006517347.tif 000018
【０１８８】
en,q=α*exp(j*β)、n∈{2,4}、1≦q≦4、αおよびβは任意の実数であってよく、任意のqについて、1≦q≦4、e2,qおよびe4,qは同時にゼロでなく、
【０１８９】
【数１８】
0006517347.tif 000019
【０１９０】
および
【０１９１】
【数１９】
0006517347.tif 000020
【０１９２】
、1≦q1≦4および1≦q2≦4という条件を満たす少なくともq1およびq2がある。
【０１９３】
ロケーション3(第3のリソースユニットに対応する、n=3)におけるコードブック1内のすべてのコードワードの変調シンボルは、すべて0変調シンボルであり、ロケーション3におけるコードブック3内のすべてのコードワードの変調シンボルもすべて0変調シンボルである。ロケーション1(第1のリソースユニットに対応する、n=1)におけるコードブック1内のすべてのコードワードの変調シンボルは、すべて0変調シンボルであるが、ロケーション1におけるコードブック3内のすべてのコードワードの変調シンボルは、すべて0変調シンボルであるとは限らない。したがって、コードブック1およびコードブック3は、同じコードブック集合に属していない。
【０１９４】
別の例では、次の特徴を有するコードブック2は、次のように表され得る。
コードブック2:
【０１９５】
【数２０】
0006517347.tif 000021
【０１９６】
dn,q=α*exp(j*β)、1≦n≦2、1≦q≦4、αおよびβは任意の実数であってよく、任意のqについて、1≦q≦4、d1,qおよびd2,qは同時にゼロでなく、
【０１９７】
【数２１】
0006517347.tif 000022
【０１９８】
および
【０１９９】
【数２２】
0006517347.tif 000023
【０２００】
、1≦q1≦4および1≦q2≦4という条件を満たす少なくともq1およびq2がある。
【０２０１】
ロケーション1および2(第1および第2のリソースユニットに対応する、n=1,2)におけるコードブック2内のすべてのコードワードの変調シンボルは、すべて0変調シンボルであり、ロケーション1および2におけるコードブック3内のすべてのコードワードの変調シンボルもすべて0変調シンボルである。さらに、コードブック2内のすべてのコードワードの変調シンボルは、ロケーション1および2でのみすべて0変調シンボルであり、コードブック3内のすべてのコードワードの変調シンボルも、ロケーション1および2でのみすべて0変調シンボルである、すなわち、コードブック2内のすべてのコードワードの変調シンボルがすべて0変調シンボルであるロケーションは、コードブック3内のすべてのコードワードの変調シンボルがすべて0変調シンボルであるロケーションと同じであり、これらのロケーションは、ロケーション1およびロケーション2である。したがって、コードブック2およびコードブック3は、同じコードブック集合に属している。
【０２０２】
結論として、本発明のこの実施形態において、各コードブッククラスタは1つまたは複数のコードブック集合を含み、各コードブック集合は1つまたは複数のコードブックを含み、各コードブックは2つ以上のコードワードからなり、各コードブッククラスタは同じコードブッククラスタ内のコードワードが同じ総数の変調シンボルを有するという条件を満たし、各コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０２０３】
非直交多元接続システムでは、コードブックが直接記憶され得ることはさらに理解されるであろう。たとえば、前述のコードブックまたはコードブック内のコードワードは、直接記憶されるか、または対応する特徴シーケンス要素が1要素であるコードワード内のロケーションにある変調シンボルのみが記憶されるか、または同様のことがなされる。したがって、本発明が適用されるときに、非直交多元接続システム内のネットワークデバイスおよび端末デバイスは両方とも、次の事前設計されたコンテンツの一部または全部を記憶し得ると必ず仮定される。
【０２０４】
(1)1つまたは複数の特徴行列:
【０２０５】
【数２３】
0006517347.tif 000024
【０２０６】
rn,m∈{0,1}、1≦n≦N、1≦m≦M、MおよびNは両方とも1よりも大きい正整数であり、Mは多重化されたデータストリームの数を表すものとしてよく、Nはコーディングユニットに含まれるリソースユニットの数を表し得るか、またはコードワード長として理解され得る。
【０２０７】
(2)1つまたは複数の特徴シーケンス:
【０２０８】
【数２４】
0006517347.tif 000025
【０２０９】
1≦m≦M
【０２１０】
(3)1つまたは複数のコードブック:
【０２１１】
【数２５】
0006517347.tif 000026
【０２１２】
Qm≧2、Qmはコートブックに対応する変調次数を表すものとしてよく、各コードブックは1つの変調次数に対応するものとしてよく、Nは1よりも大きい正整数であり、コーディングユニットに含まれるリソースユニットの数を表し得るか、またはコードワード長として理解され得る。
【０２１３】
次に、図4および図5を参照しつつ本発明のこの実施形態によるコードブック指示情報を決定するための方法230について詳しく説明する。
【０２１４】
図4に示されているように、本発明のこの実施形態において、適宜、第1のコードブックおよび1つまたは複数の第2のコードブックを示すために使用されるコードブック指示情報を決定するステップは、次のステップを含む。
【０２１５】
S231:第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定し、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０２１６】
S232:コードブック指示情報を決定し、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される。
【０２１７】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、各コードブックは1つの変調次数に対応し、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する。コードブックa内のすべてのコードワードの変調シンボルがすべて0変調シンボルであるロケーションにおいて、コードブックb内のすべてのコードワードの変調シンボルもすべて0変調シンボルである。すなわち、コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０２１８】
前述の方式で分割を通じて取得された1つまたは複数のコードブック集合は、1つまたは複数のコードブッククラスタにさらに分割されるものとしてよく、各コードブッククラスタは1つまたは複数のコードブック集合からなり、同じコードブッククラスタ内の任意の2つのコードブック集合、たとえば、コードブック集合Aおよびコードブック集合Bは、次のような特徴を有する。コードブック集合A内のコードワードおよびコードブック集合B内のコードワードは、同じ総数の変調シンボルを有する、すなわち、すべてのコードワードの長さは同じであり、データストリームが多重化されるリソースユニットの数は同じである。すなわち、コードブッククラスタは同じコードブッククラスタ内のコードワードが同じ総数の変調シンボルを有するという条件を満たす。
【０２１９】
本発明のこの実施形態において、ネットワークデバイスは、同じコードブッククラスタ内で、第1のダウンリンクデータストリームを送信するために使用される第1のコードブックおよび第2のダウンリンクデータストリームを送信するために使用される1つまたは複数の第2のコードブックを割り振る。第1のコードブックおよび1つまたは複数の第2のコードブックをユーザ機器に示すために、ネットワークデバイスは、第1のコードブックが属している第1のコードブック集合、1つまたは複数の第2のコードブックが属している1つまたは複数の第2のコードブック集合、ならびに第1のコードブック集合および1つまたは複数の第2のコードブック集合が属している第1のコードブッククラスタを決定する。このようにして、ネットワークデバイスは、第1のコードブックおよび1つまたは複数の第2のコードブックを示すために使用されるコードブック指示情報が第1のコードブッククラスタ情報、第1のコードブック集合情報、および第1の指示情報を含み得ると決定する。たとえば、コードブック指示情報は、3つの論理情報セグメントからなるものとしてよい。論理情報セグメント1は、端末デバイスに、第1のダウンリンクデータストリームおよび第2のダウンリンクデータストリームを送信するために使用される第1のコードブッククラスタを示すための、第1のコードブッククラスタ情報を搬送し得る。論理情報セグメント2は、端末デバイスに、第1のコードブッククラスタ内の第1のダウンリンクデータストリームを送信するために使用される第1のコードブック集合を示すための、第1のコードブック集合情報を搬送し得る。論理情報セグメント3は、第1の指示情報を搬送し得る。第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される。
【０２２０】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０２２１】
したがって、端末デバイスが命令、またはコードブック指示情報を搬送するメッセージを受信した後、たとえば、論理情報セグメント1に従って、端末デバイスは、ネットワークデバイスが第1のダウンリンクデータストリームおよび第2のダウンリンクデータストリームを送信するためにどのコードブッククラスタ内のコードブックを使用するかを学習し得る。論理情報セグメント2に従って、端末デバイスは、ネットワークデバイスが第1のダウンリンクデータストリームを送信するために論理情報セグメント1によって示されているコードブッククラスタ内のどのコードブック集合内のコードブックを使用するかを学習し得る。論理情報セグメント3に従って、端末デバイスは、ネットワークデバイスが第1のダウンリンクデータストリームを送信するために論理情報セグメント2によって示されているコードブック集合内のどのコードブックを使用するかを学習し得る。それに加えて、端末デバイスは、ネットワークデバイスが論理情報セグメント1によって示されるコードブッククラスタ内のどのコードブック集合を使用するか、および第2のダウンリンクデータストリームを送信するためにコードブック集合内のどのコードブックを使用するかをさらに学習し得る。
【０２２２】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０２２３】
本発明のこの実施形態において、ネットワークデバイスは、第1のコードブック集合内の第1のコードブックを端末デバイスに対して示し、第1のコードブッククラスタ内の1つまたは複数の第2のコードブック集合および1つまたは複数の第2のコードブック集合内の1つまたは複数の第2のコードブックを端末デバイスに対して示すために複数の方式を使用し得る。次に、別々に説明を行う。
【０２２４】
適宜、本発明のこの実施形態において、第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０２２５】
特に、本発明のこの実施形態において、たとえば、第1の指示情報を搬送する論理情報セグメント3は、3つの論理情報サブセグメント、すなわち、論理情報サブセグメント1、論理情報サブセグメント2、および論理情報サブセグメント3をさらに含み得る。論理情報サブセグメント1は、第1のコードブック集合内の第1のコードブックを示すために第1のコードブック情報を搬送し得る。論理情報サブセグメント2は、第1のコードブッククラスタ内の1つまたは複数の第2のコードブック集合を示すために第2のコードブック集合情報を搬送し得る。論理情報サブセグメント3は、1つまたは複数の第2のコードブック集合内の1つまたは複数の第2のコードブックを示すために第2のコードブック情報を搬送し得る。
【０２２６】
本発明のこの実施形態において、コードブック集合内の任意の2つの異なるコードブックが異なる変調次数に対応するときに、論理情報サブセグメント1および論理情報サブセグメント3は、代替的に、コードブック集合内のダウンリンクデータストリームに使用されるコードブックを示すために変調次数を示し得る。したがって、端末デバイスは、論理情報サブセグメント1および論理情報サブセグメント3に従って、ネットワークデバイスによって送信されたダウンリンクデータストリームに対応する変調次数を学習するものとしてよく、次いで、コードブック集合内の変調次数と一対一対応関係にあるコードブックを決定することができる。すなわち、第1のコードブック情報は、第1のコードブックの変調次数情報を含み、第1のコードブック集合内の各コードブックは、異なる変調次数を有し、第2のコードブック情報は、各第2のコードブックの変調次数情報を含み、1つまたは複数の第2のコードブック集合内の各コードブックは、異なる変調次数を有する。
【０２２７】
本発明のこの実施形態は、第1の指示情報が第1のコードブック情報、第2のコードブック集合情報、および第2のコードブック情報を含む一例のみを使用することによって説明されているが、本発明それはそれに限定されないことが理解されるであろう。たとえば、第1のコードブックおよびネットワークデバイスによって使用される1つまたは複数の第2のコードブックの変調次数が同じであるときに、第1のコードブック情報および第2のコードブック情報は、コードブックの変調次数情報のみを含み得る。別の例として、ネットワークデバイスおよび端末デバイスが両方とも、既定により同じ固定変調次数を使用するときに、第1の指示情報は、第2のコードブック集合情報のみを含み得る。なおも別の例では、第1のコードブックおよびネットワークデバイスによって使用される1つまたは複数の第2のコードブックが同じコードブック集合に属しているときに、第1の指示情報は、第1のコードブック情報および第2のコードブック情報のみを含み得る。なおも別の例として、ネットワークデバイスおよび端末デバイスが両方とも、既定によりコードブック集合内で同じ固定された数を有するコードブックを使用するときに、第1の指示情報は、第2のコードブック集合情報および固定された数のコードブックを示すために使用される情報のみを含み得る。
【０２２８】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０２２９】
適宜、本発明のこの実施形態において、第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０２３０】
本発明のこの実施形態において、コードブック集合内の任意の2つの異なるコードブックが異なる変調次数に対応するときに、論理情報セグメント3は、代替的に、コードブック集合内のダウンリンクデータストリームに使用されるコードブックを示すために変調次数を示し得る。したがって、端末デバイスは、論理情報サブセグメント3に従って、ネットワークデバイスによって送信されたダウンリンクデータストリームに対応する変調次数を学習するものとしてよく、次いで、コードブック集合内の変調次数と一対一対応関係にあるコードブックを決定することができる。すなわち、第1の指示情報は、第1のコードブックおよび1つまたは複数の第2のコードブックの変調次数情報を含み、各コードブック集合内の各コードブックは、異なる変調次数を有する。
【０２３１】
特に、本発明のこの実施形態において、たとえば、コードブック指示情報が第1のコードブッククラスタ情報、第1のコードブック集合情報、および第1の指示情報を含む一例を使用することによって説明がなされている。K1≧1個のコードブッククラスタが分割を通じて取得されると仮定すると、論理情報セグメント1は、L1=ceil(log2(K1))個のビットからなるビットマップ
【０２３２】
【数２６】
0006517347.tif 000027
【０２３３】
によって表されるものとしてよく、第1のダウンリンクデータストリームおよび第2のダウンリンクデータストリームを送信するためにネットワークデバイスによって使用される第1のコードブッククラスタを示すために使用され、論理情報セグメント2は、L2=ceil(log2(K2))個のビットからなるビットマップ
【０２３４】
【数２７】
0006517347.tif 000028
【０２３５】
によって表されるものとしてよく、第1のダウンリンクデータストリームを端末デバイスに送信するためにネットワークデバイスによって使用される第1のコードブック集合を示すために使用される。
【０２３６】
論理情報セグメント1によって示されている第1のコードブッククラスタはK2≧1個のコードブック集合を含み、各コードブック集合内の各コードブックは異なる変調次数を有し、各コードブック集合はK3≧1個の変調次数を使用し得ることが仮定される。次いで、ネットワークデバイスが異なるダウンリンクデータストリームを送信するために異なる変調次数を使用してよいときに、論理情報セグメント3はビット列情報のK2個のグループを含むものとしてよく、ビット列情報の各グループはL3個のビットを含むものとしてよく、ビット列情報のグループに対応するコードブック集合が第1のコードブック集合または1つまたは複数の第2のコードブック集合に属しているかどうかを示し、ビット列情報のグループに対応するコードブック集合が第1のコードブック集合または1つまたは複数の第2のコードブック集合に属しているときに、ビット列情報のグループは、第1のコードブックまたは対応するコードブック集合内の1つまたは複数の第2のコードブックを示すためにさらに使用される。すなわち、論理情報セグメント3は、K2*L3(L3=ceil(log2(K3)))個のビットからなるビットマップ
【０２３７】
【数２８】
0006517347.tif 000029
【０２３８】
によって表されるものとしてよい。ビットセグメントのk番目
【０２３９】
【数２９】
0006517347.tif 000030
【０２４０】
は、ネットワークデバイスがダウンリンクデータストリームを送信するためにビットセグメントのk番目に対応するコードブック集合内のコードブックを使用するかどうかを示す。たとえば、ネットワークデバイスは、ビットセグメントのk番目に対応するコードブック集合内のコードブックが使用されないことを示すために全0ビットを使用し得る。したがって、ネットワークデバイスは、ビットセグメントのk番目に対応するコードブック集合内のコードブックが使用されることを示すために非全0ビットを使用し得る。別の例として、ネットワークデバイスは、ビットセグメントのk番目に対応するコードブック集合内のコードブックが使用されないことを示すために全1ビットを使用し、ビットセグメントのk番目に対応するコードブック集合内のコードブックが使用されることを示すために非全1ビットを使用し得る。ネットワークデバイスがダウンリンクデータストリームを送信するためにビットセグメントのk番目に対応するコードブック集合内のコードブックを使用するときに、ビットセグメントのk番目は、ネットワークデバイスが対応するコードブック集合内のどのコードブックを使用するかをさらに示し得る。たとえば、ビットセグメントのk番目は、使用されているコードブックの変調次数情報を含むものとしてよい。
【０２４１】
本発明のこの実施形態において、ネットワークデバイスがダウンリンクデータストリームを送信するために第1のコードブッククラスタに含まれる各コードブック集合内のコードブックを使用するときに、すなわち、使用される各コードブック集合が第1のコードブック集合または1つまたは複数の第2のコードブック集合に属しているときに、第1の指示情報は、第1のコードブッククラスタ内のすべてのコードブック集合と一対一対応関係にあるビット列情報のM個のグループを含み得ることが理解されるであろう。ビット列情報の各グループは、第1のコードブックまたは対応するコードブック集合内の1つまたは複数の第2のコードブックを示すためにのみ使用され得る。Mは第1のコードブッククラスタに含まれるコードブック集合の数である。すなわち、ビット列情報の各グループは、ダウンリンクデータストリームを送信するために対応するコードブック集合内のどのコードブックが使用されるかを示すためにのみ使用され得る。さらに、ネットワークデバイスが既定により異なるダウンリンクデータストリームを送信するために同じ変調次数を使用するときに、論理情報セグメント3は、L3個のビットからなるビットマップ
【０２４２】
【数３０】
0006517347.tif 000031
【０２４３】
によって表されるものとしてよく、ダウンリンクデータストリームを送信するためにネットワークデバイスによって使用される変調次数を示すために使用される。
【０２４４】
すなわち、本発明のこの実施形態において、適宜、第1の指示情報は、第1のコードブックおよび1つまたは複数の第2のコードブックの変調次数情報を含み、各コードブック集合内の各コードブックは、異なる変調次数を有する。
【０２４５】
本発明のこの実施形態において、論理情報セグメントがインデックス値を示す場合、関係する情報の間の矛盾のないインデックス関係、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するコードブッククラスタ、コードブック集合、およびコードブックを一意に決定することができることは理解されるであろう。
【０２４６】
本発明のこの実施形態において、ネットワークデバイスおよび端末デバイスは、複数の方法を使用することによってコードブックを事前記憶しておいてよいが、次の2つの条件が満たされる必要があることもさらに理解されるであろう。第一に、ネットワークデバイスおよび端末デバイスは、記憶されているコードブックに従って、コーディングユニットに含まれる一定数のリソースユニットまたはサブキャリアまたはリソース要素を学習し得る。第二に、ネットワークデバイスおよび端末デバイスは、記憶されているコードブックに従って、端末デバイスがコーディングユニットのどのリソースユニットまたはサブキャリアまたはリソース要素上でどの非0変調シンボルを送信するかを学習し得る。
【０２４７】
前述の記憶条件を満たす単純で直接的な方法は、コードワードのすべての0変調シンボルおよび非0変調シンボルを記憶するステップを含む、前述の形式でコードブックを記憶することである。
【０２４８】
【数３１】
0006517347.tif 000032
【０２４９】
たとえば、変調次数がQPSKまたは4次変調であるときに、図2の可変ノード3によって使用されるコードブックは、次のように記憶され得る。
【０２５０】
【数３２】
0006517347.tif 000033
【０２５１】
コードブックが前述の方式で記憶された後、コードワード内の0変調シンボルおよび非0変調シンボルの総数は、コーディングユニットに含まれるリソースユニットまたはサブキャリアまたはリソース要素の数であり、非0変調シンボルのロケーションおよび値は、端末デバイスがコーディングユニットの対応するロケーションにおけるリソースユニットまたはサブキャリアまたはリソース要素上で対応する値を有する非0変調シンボルを送信することを示す。たとえば、図2の可変ノード3に対するコードブックが使用されるときに、端末デバイスは、コーディングユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信する。cn,q=α*exp(j*β)、1≦n≦2、1≦q≦4、αおよびβは任意の実数であってよく、任意のqについて、1≦q≦4、c1,qおよびc2,qは同時にゼロでなく、
【０２５２】
【数３３】
0006517347.tif 000034
【０２５３】
および
【０２５４】
【数３４】
0006517347.tif 000035
【０２５５】
1≦q1≦4および1≦q2≦4という条件を満たす少なくともq1およびq2がある。
【０２５６】
本発明のこの実施形態は、一例として前述の解決方法のみを使用することによって説明されているが、本発明は、それに限定されないことがさらに理解されるであろう。本発明のこの実施形態に基づき、別の方法は、第1のコードブック集合内の第1のコードブック、1つまたは複数の第2のコードブック集合、および1つまたは複数の第2のコードブックを示すために使用され得る。それに加えて、本発明のこの実施形態に基づき、第1のコードブックおよび1つまたは複数の第2のコードブックを示すために別の方法が使用され得る。
【０２５７】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０２５８】
本発明のこの実施形態において、特徴シーケンスまたは特徴行列とコードブックとの間に対応関係が存在しているので、特徴シーケンスまたは特徴行列は、1つまたは複数のコードブックを含むコードブック集合またはコードブッククラスタを示すために使用され得ることが理解されるであろう。したがって、本発明のこの実施形態において、端末デバイスに送信されるコードブック指示情報は、代替的に、特徴シーケンスまたは特徴行列を使用することによって決定され得る。次に、図5を参照しつつ、特徴シーケンスまたは特徴行列を使用することによってコードブック指示情報を決定するための方法について詳しく説明する。
【０２５９】
図5は、本発明のこの実施形態によりコードブック指示情報を決定するための方法230の別の実施形態を示している。図5に示されているように、本発明のこの実施形態において、適宜、第1のコードブックおよび1つまたは複数の第2のコードブックを示すために使用されるコードブック指示情報を決定するステップは、次のステップを含む。
【０２６０】
S233:第1のコードブックが属している第1の特徴シーケンスと、1つまたは複数の第2のコードブックが属している1つまたは複数の第2の特徴シーケンスと、第1の特徴シーケンスおよび1つまたは複数の第2の特徴シーケンスが属している第1の特徴行列とを決定し、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０２６１】
S234:コードブック指示情報を決定し、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される。
【０２６２】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、各コードブックは1つの変調次数に対応し、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する。コードブックa内のすべてのコードワードの変調シンボルがすべて0変調シンボルであるロケーションにおいて、コードブックb内のすべてのコードワードの変調シンボルもすべて0変調シンボルである。すなわち、コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０２６３】
コードブック集合が前述の方式で分割を通して取得された後、上で説明されているように、各コードブック集合は、特徴行列の特徴シーケンスと一対一対応関係にある。対応関係は、次の方式で決定される。コードブック集合内のコードブックが特徴行列の特徴シーケンスに対応する場合、すなわち、前述の2つの条件が満たされる場合、コードブックが属しているコードブック集合は、特徴行列の特徴シーケンスと一対一対応関係にある。すなわち、特徴シーケンスとコードブックとの間の対応関係は、次の2つの条件によって決定され得る。
【０２６４】
(1)コードブック内のコードワードの変調シンボルの総数は、対応する特徴シーケンス内の要素の総数と同じである。
【０２６５】
(2)特徴シーケンス内の任意の1要素について、対応するコードブック内に少なくとも1つのコードワードが見つかるものとしてよく、それにより、1要素のロケーションにおけるコードワードの変調シンボルは、0変調シンボルではない。特徴シーケンス内の任意の0要素について、0要素に対応するロケーションにおける対応するコードブック内のすべてのコードワードの変調シンボルは、すべて0変調シンボルである。
【０２６６】
したがって、本発明のこの実施形態において、ネットワークデバイスおよび端末デバイスは、コードブッククラスタに対応する事前設計された特徴行列およびコードブック集合に対応する事前設計された特徴シーケンスを記憶し得る。
【０２６７】
本発明のこの実施形態において、ネットワークデバイスは、同じ特徴行列に対応するコードブッククラスタ内で、第1のダウンリンクデータストリームを送信するために使用される第1のコードブックおよび第2のダウンリンクデータストリームを送信するために使用される1つまたは複数の第2のコードブックを割り振る。第1のコードブックおよび1つまたは複数の第2のコードブックをユーザ機器に示すために、ネットワークデバイスは、第1のコードブックが属している第1の特徴シーケンス、1つまたは複数の第2のコードブックが属している1つまたは複数の第2の特徴シーケンス、ならびに第1の特徴シーケンスおよび1つまたは複数の第2の特徴シーケンスが属している第1の特徴行列を決定する。
【０２６８】
このようにして、ネットワークデバイスは、第1のコードブックおよび1つまたは複数の第2のコードブックを示すために使用されるコードブック指示情報が、第1の特徴行列情報、第1の特徴シーケンス情報、および第2の指示情報を含むと決定し得る。たとえば、コードブック指示情報は、3つの論理情報セグメントからなるものとしてよい。論理情報セグメント1は、端末デバイスに、第1のダウンリンクデータストリームおよび第2のダウンリンクデータストリームを送信するために使用される第1の特徴行列を示すための、第1の特徴行列情報を搬送し得る。論理情報セグメント2は、端末デバイスに、第1の特徴行列内の第1のダウンリンクデータストリームを送信するために使用される第1の特徴シーケンスを示すための、第1の特徴シーケンス情報を搬送し得る。論理情報セグメント3は、第2の指示情報を搬送し得る。第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される。
【０２６９】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０２７０】
したがって、端末デバイスが命令、またはコードブック指示情報を搬送するメッセージを受信した後、たとえば、論理情報セグメント1に従って、端末デバイスは、ネットワークデバイスが第1のダウンリンクデータストリームおよび第2のダウンリンクデータストリームを送信するためにどの特徴行列に対応する1つまたは複数のコードブックのうちのコードブックを使用するかを学習し得る。すなわち、1つまたは複数のコードブックを含むコードブッククラスタは特徴行列と一対一対応関係にあるので、端末デバイスは、一対一対応関係に従って、ネットワークデバイスが第1のダウンリンクデータストリームおよび第2のダウンリンクデータストリームを送信するためにどのコードブッククラスタ内のコードブックを使用するかを学習し得る。論理情報セグメント2に従って、端末デバイスは、ネットワークデバイスが第1のダウンリンクデータストリームを送信するために論理情報セグメント1によって示されている特徴行列内のどの特徴シーケンスに対応する1つまたは複数のコードブックのうちのコードブックを使用するかを学習し得る。すなわち、1つまたは複数のコードブックを含むコードブック集合は特徴シーケンスと一対一対応関係にあるので、端末デバイスは、一対一対応関係に従って、論理情報セグメント2によって示される特徴シーケンスを使用することによって、ネットワークデバイスが第1のダウンリンクデータストリームを送信するためにどのコードブック集合内のコードブックを使用するかを学習し得る。さらに、同様に、論理情報セグメント3に従って、端末デバイスは、ネットワークデバイスが第1のダウンリンクデータストリームを送信するために論理情報セグメント2によって示されている特徴シーケンスに対応する1つまたは複数のコードブックのうちのどのコードブックを使用するかを学習し得る。それに加えて、端末デバイスは、ネットワークデバイスが論理情報セグメント1によって示される特徴行列内のどの特徴シーケンス使用するか、および第2のダウンリンクデータストリームを送信するために特徴シーケンスに対応する1つまたは複数のコードブックのうちのどのコードブックを使用するかをさらに学習し得る。
【０２７１】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０２７２】
本発明のこの実施形態において、ネットワークデバイスは、端末デバイスに、第1の特徴シーケンスに対応する1つまたは複数のコードブックのうちの第1のコードブックを示し、端末デバイスに、第1の特徴行列内の1つまたは複数の第2の特徴シーケンスおよび1つまたは複数の第2の特徴シーケンスに対応する1つまたは複数のコードブックのうちの1つまたは複数の第2のコードブックを示すために複数の方式を使用し得る。次に、別々に説明を行う。
【０２７３】
適宜、本発明のこの実施形態において、第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【０２７４】
特に、本発明のこの実施形態において、たとえば、第2の指示情報を搬送する論理情報セグメント3は、3つの論理情報サブセグメント、すなわち、論理情報サブセグメント1、論理情報サブセグメント2、および論理情報サブセグメント3をさらに含み得る。論理情報サブセグメント1は、第1の特徴シーケンスに対応する1つまたは複数のコードブックのうちの第1のコードブックを示すために第3のコードブック情報を搬送し得る。論理情報サブセグメント2は、第1の特徴行列内の1つまたは複数の第2の特徴シーケンスを示すために第2の特徴シーケンス情報を搬送し得る。論理情報サブセグメント3は、1つまたは複数の第2の特徴シーケンスに対応する1つまたは複数のコードブックのうちの1つまたは複数の第2のコードブックを示すために第4のコードブック情報を搬送し得る。
【０２７５】
本発明のこの実施形態において、各特徴シーケンスに対応する1つまたは複数のコードブックのうちの任意の2つの異なるコードブックが異なる変調次数に対応するときに、論理情報サブセグメント1および論理情報サブセグメント3は、代替的に、特徴シーケンスに対応する1つまたは複数のコードブックにおいてダウンリンクデータストリームに使用されるコードブックを示すために変調次数を示し得る。したがって、端末デバイスは、論理情報サブセグメント1および論理情報サブセグメント3に従って、ネットワークデバイスによって送信されたダウンリンクデータストリームに対応する変調次数を学習するものとしてよく、次いで、特徴シーケンスに対応する1つまたは複数のコードブックにおける変調次数と一対一対応関係にあるコードブックを決定することができる。
【０２７６】
すなわち、本発明のこの実施形態において、第3のコードブック情報は、第1のコードブックの変調次数情報を含み、第1の特徴シーケンスに対応する1つまたは複数のコードブックの各々は、異なる変調次数を有し、第4のコードブック情報は、各第2のコードブックの変調次数情報を含み、各第2の特徴シーケンスに対応する1つまたは複数のコードブックの各々は、異なる変調次数を有する。
【０２７７】
本発明のこの実施形態は、第2の指示情報が第3のコードブック情報、第2の特徴シーケンス情報、および第4のコードブック情報を含む一例のみを使用することによって説明されているが、本発明それはそれに限定されないことが理解されるであろう。たとえば、第1のコードブックおよびネットワークデバイスによって使用される1つまたは複数の第2のコードブックの変調次数が同じであるときに、第3のコードブック情報および第4のコードブック情報は、コードブックの変調次数情報のみを含み得る。別の例として、ネットワークデバイスおよび端末デバイスが両方とも、既定により同じ固定変調次数を使用するときに、第2の指示情報は、第2の特徴シーケンス情報のみを含み得る。なおも別の例では、第1のコードブックおよびネットワークデバイスによって使用される1つまたは複数の第2のコードブックが同じ特徴シーケンスに対応しているときに、第1の指示情報は、第3のコードブック情報および第4のコードブック情報のみを含み得る。
【０２７８】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０２７９】
適宜、本発明のこの実施形態において、第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【０２８０】
本発明のこの実施形態において、各特徴シーケンスに対応する1つまたは複数のコードブックのうちの任意の2つの異なるコードブックが異なる変調次数に対応するときに、論理情報セグメント3は、代替的に、ダウンリンクデータストリームに使用されるコードブックを示すために変調次数を示し得る。したがって、端末デバイスは、論理情報セグメント3に従って、ネットワークデバイスによって送信されたダウンリンクデータストリームに対応する変調次数を学習するものとしてよく、次いで、特徴シーケンスに対応する1つまたは複数のコードブックにおける変調次数と一対一対応関係にあるコードブックを決定することができる。すなわち、第2の指示情報は第1のコードブックおよび1つまたは複数の第2のコードブックの変調次数情報を含み、各特徴シーケンスに対応する1つまたは複数のコードブックの各々は、異なる変調次数を有する。
【０２８１】
特に、本発明のこの実施形態において、たとえば、コードブック指示情報が第1の特徴行列情報、第1の特徴シーケンス情報、および第2の指示情報を含む一例を使用することによって説明がなされている。K1≧1個の特徴行列が分割を通じて取得されると仮定すると、論理情報セグメント1は、L1=ceil(log2(K1))個のビットからなるビットマップ
【０２８２】
【数３５】
0006517347.tif 000036
【０２８３】
によって表されるものとしてよく、第1のダウンリンクデータストリームおよび第2のダウンリンクデータストリームを送信するためにネットワークデバイスによって使用される第1の特徴行列を示すために使用され、論理情報セグメント2は、L2=ceil(log2(K2))個のビットからなるビットマップ
【０２８４】
【数３６】
0006517347.tif 000037
【０２８５】
によって表されるものとしてよく、第1のダウンリンクデータストリームを端末デバイスに送信するためにネットワークデバイスによって使用される第1の特徴シーケンスを示すために使用される。
【０２８６】
論理情報セグメント1によって示される第1の特徴行列はK2≧1個の特徴シーケンスを含み、K3≧1個の変調次数が使用され得ると仮定される。次いで、ネットワークデバイスが異なるダウンリンクデータストリームを送信するために異なる変調次数を使用してよいときに、論理情報セグメント3はビット列情報のK2個のグループを含むものとしてよく、ビット列情報の各グループはL3個のビットを含むものとしてよく、ビット列情報のグループに対応する特徴シーケンスが第1の特徴シーケンスまたは1つまたは複数の第2の特徴シーケンスに属しているかどうかを示し、ビット列情報のグループに対応する特徴シーケンスが第1の特徴シーケンスまたは1つまたは複数の第2の特徴シーケンスに属しているときに、ビット列情報のグループは第1のコードブックまたは対応する特徴シーケンスに対応する1つまたは複数のコードブックのうちの1つまたは複数の第2のコードブックを示すためにさらに使用される。すなわち、論理情報セグメント3は、K2*L3(L3=ceil(log2(K3)))個のビットからなるビットマップ
【０２８７】
【数３７】
0006517347.tif 000038
【０２８８】
によって表されるものとしてよい。ビットセグメントのk番目
【０２８９】
【数３８】
0006517347.tif 000039
【０２９０】
は、ネットワークデバイスがダウンリンクデータストリームを送信するためにビットセグメントのk番目に対応する特徴シーケンスに対応する1つまたは複数のコードブックのうちのコードブックを使用するかどうかを示す。たとえば、ネットワークデバイスは、ビットセグメントのk番目に対応する特徴シーケンスが使用されないことを示すために全0ビットを使用し得る。したがって、ネットワークデバイスは、ビットセグメントのk番目に対応する特徴シーケンスが使用されていることを示すために非全0ビットを使用し得る。別の例として、ネットワークデバイスは、ビットセグメントのk番目に対応する特徴シーケンスが使用されないことを示すために全1ビットを使用し得る。したがって、ネットワークデバイスは、ビットセグメントのk番目に対応する特徴シーケンスが使用されていることを示すために非全1ビットを使用し得る。ネットワークデバイスがダウンリンクデータストリームを送信するためにビットセグメントのk番目に対応する特徴シーケンスに対応する1つまたは複数のコードブックのうちのコードブックを使用するときに、ビットセグメントのk番目は、ネットワークデバイスが対応する特徴シーケンスに対応するどのコードブックを使用するかをさらに示し得る。たとえば、ビットセグメントのk番目は、使用されているコードブックの変調次数情報を含むものとしてよい。
【０２９１】
本発明のこの実施形態において、ネットワークデバイスがダウンリンクデータストリームを送信するために第1の特徴行列に含まれる各特徴シーケンスに対応する1つまたは複数のコードブックのうちのコードブックを使用するときに、すなわち、各使用されている特徴シーケンスが第1の特徴シーケンスまたは1つまたは複数の第2の特徴シーケンスに属しているときに、第1の指示情報は第1の特徴行列内のすべての特徴シーケンスと一対一対応関係にあるビット列情報のM個のグループを含み得ることが理解されるであろう。ビット列情報の各グループは第1のコードブックまたは対応する特徴シーケンスに対応する1つまたは複数のコードブックのうちの1つまたは複数の第2のコードブックを示すためにのみ使用され得る。Mは第1の特徴行列に含まれる特徴シーケンスの数である。すなわち、ビット列情報の各グループは、ダウンリンクデータストリームを送信するために対応する特徴シーケンスに対応するどのコードブックが使用されるかを示すためにのみ使用され得る。さらに、ネットワークデバイスが既定により異なるダウンリンクデータストリームを送信するために同じ変調次数を使用するときに、論理情報セグメント3は、L3個のビットからなるビットマップ
【０２９２】
【数３９】
0006517347.tif 000040
【０２９３】
によって表されるものとしてよく、ダウンリンクデータストリームを送信するためにネットワークデバイスによって使用される変調次数を示すために使用される。
【０２９４】
すなわち、本発明のこの実施形態において、適宜、第2の指示情報は第1のコードブックおよび1つまたは複数の第2のコードブックの変調次数情報を含み、各特徴シーケンスに対応する1つまたは複数のコードブックの各々は、異なる変調次数を有する。
【０２９５】
本発明のこの実施形態において、論理情報セグメントが、インデックス値を示す場合、関係する情報の間の矛盾のないインデックス関係、たとえば、特徴行列インデックス値と特徴行列との間のインデックス関係、特徴シーケンスインデックス値と各特徴行列内の特徴シーケンスとの間のインデックス関係、およびコードブックインデックス値と1つまたは複数のコードブックのうちのコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応する特徴行列、特徴シーケンス、およびコードブックを一意に決定することができることが理解されるであろう。
【０２９６】
本発明のこの実施形態において、ネットワークデバイスおよび端末デバイスは、複数の方法を使用することによって特徴行列およびコードブックを事前記憶しておいてよいが、次の2つの条件が満たされる必要があることもさらに理解されるであろう。第一に、ネットワークデバイスおよび端末デバイスは、記憶されている特徴行列およびコードブックに従って、コーディングユニットに含まれる一定数のリソースユニットまたはサブキャリアまたはリソース要素を学習し得る。第二に、ネットワークデバイスおよび端末デバイスは、記憶されている特徴行列およびコードブックに従って、端末デバイスがコーディングユニットのどのリソースユニットまたはサブキャリアまたはリソース要素上でどの非0変調シンボルを送信するかを学習し得る。
【０２９７】
前述の記憶条件を満たす単純で直接的な方法は次のとおりである。
【０２９８】
(1)特徴行列を前述の形式
【０２９９】
【数４０】
0006517347.tif 000041
【０３００】
で記憶する。
【０３０１】
たとえば、図2に示されている例について、対応する特徴行列は次のように表され得る。
【０３０２】
【数４１】
0006517347.tif 000042
【０３０３】
(2)1要素の次数の対応するコードワードの変調シンボルを前述の特徴シーケンスに記憶する。たとえば、変調次数がQPSKまたは4次変調であるときに、図2の可変ノード3によって使用されるコードブックは、次のように記憶され得る。
【０３０４】
【数４２】
0006517347.tif 000043
【０３０５】
特徴行列およびコードブックが、前述の方式で記憶された後、ネットワークデバイスおよび端末デバイスは、特徴行列に従って、コーディングユニットに含まれる一定数のリソースユニットまたはサブキャリアまたはリソース要素、すなわち、特徴行列の一定数の行を学習し、特徴行列内の特徴シーケンスおよび特徴シーケンスに対応する1つまたは複数のコードブックのうちのコードブックに従って、端末デバイスが特徴シーケンスを使用するときにコーディングユニットのどのリソースユニットまたはサブキャリアまたはリソース要素上で0変調シンボルおよび非0変調シンボルを送信するかを学習し得る。たとえば、図2の可変ノード3に対するコードブックが使用されるときに、端末デバイスは、コーディングユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信する。cn,q=α*exp(j*β)、1≦n≦2、1≦q≦4、αおよびβは任意の実数であってよく、任意のqについて、1≦q≦4、c1,qおよびc2,qは同時にゼロでなく、
【０３０６】
【数４３】
0006517347.tif 000044
【０３０７】
および
【０３０８】
【数４４】
0006517347.tif 000045
【０３０９】
1≦q1≦4および1≦q2≦4という条件を満たす少なくともq1およびq2がある。
【０３１０】
本発明のこの実施形態は、一例として前述の解決方法のみを使用することによって説明されているが、本発明は、それに限定されないことはさらに理解されるであろう。本発明のこの実施形態に基づき、別の方法は、第1の特徴シーケンスに対応する1つまたは複数のコードブックのうちの第1のコードブック、1つまたは複数の第2の特徴シーケンス、および1つまたは複数の第2のコードブックを示すために使用され得る。それに加えて、本発明のこの実施形態に基づき、第1のコードブックおよび1つまたは複数の第2のコードブックを示すために別の方法が使用され得る。
【０３１１】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０３１２】
本発明のこの実施形態において、ネットワークデバイスは、複数の方式でコードブック指示情報を端末デバイスに送信し得る。たとえば、ネットワークデバイスは、ダウンリンク制御チャネルを使用することによって動的または半永続的方式で、またはデータチャネルを使用することによって半永続的方式で、またはブロードキャストチャネルもしくはデータチャネルを使用することによって永続的方式で端末デバイスへの指示を実行し得る。
【０３１３】
適宜、本発明のこの実施形態において、コードブック指示情報を端末デバイスに送信するステップは、ダウンリンクスケジューリングメッセージ、専用上位層制御シグナリング、またはシステムブロードキャストメッセージを端末デバイスに送信するステップであって、ダウンリンクスケジューリングメッセージ、専用上位層制御シグナリング、およびシステムブロードキャストメッセージはコードブック指示情報を含む、ステップを含む。
【０３１４】
特に、本発明のこの実施形態において、たとえば、ネットワークデバイスは、コードブックならびに別のシステムリソースおよびパラメータ、たとえば、周波数リソース、送信電力、ならびに変調符号化方式を、端末デバイスによって定期的にまたは非定期的に報告されるチャネル状態情報に従って端末デバイスのダウンリンクデータストリームに対して、割り振るかまたは指定し、割り振られたまたは指定されたコードブックならびに別のシステムリソースおよびパラメータをダウンリンクスケジューリングメッセージにダウンリンク制御情報(Downlink Control Information、略して「DCI」)として追加し、ダウンリンクスケジューリングメッセージを端末デバイスに配信し得る。
【０３１５】
ネットワークデバイスによって配信されたダウンリンクスケジューリングメッセージを受信した後に、端末デバイスは、非直交多元接続技術を使用することによって、ダウンリンクスケジューリングメッセージによって示されているコードブックならびに別のシステムリソースおよびパラメータに従って第1のダウンリンクデータストリームを受信し得る。
【０３１６】
前述のプロセスにおいて、第1のコードブックを示すために使用されるコードブック指示情報は、ダウンリンクスケジューリングメッセージで、ダウンリンク制御情報(Downlink Control Information、略して「DCI」)の一部として搬送され、ロングタームエボリューション(Long Term Evolution、略して「LTE」)システムにおいて、ダウンリンク物理制御チャネル、たとえば、物理ダウンリンク制御チャネル(Physical Downlink Control Channel、略して「PDCCH」)を使用することによって動的または半永続的(Semi-Persistent)方式で端末デバイスに配信され得る。
【０３１７】
別の例として、第1のコードブックを示すために使用されるコードブック指示情報は、無線リソース制御(Radio Resource Control、略して「RRC」)接続確立メッセージまたはRRC接続再構成メッセージで搬送され、ダウンリンク物理データチャネル、たとえば、LTEシステムにおける物理ダウンリンク共有チャネル(Physical Downlink Shared Channel、略して「PDSCH」)を使用することによって半永続的方式で端末デバイスに配信され得る。
【０３１８】
適宜、専用上位層制御シグナリングは、無線リソース制御RRC接続確立メッセージとRRC接続再構成メッセージとを含む。本発明のこの実施形態は、専用上位層制御シグナリングがRRC接続確立メッセージおよびRRC接続再構成メッセージを含む一例のみを使用することによって説明されているが、本発明はそれに限定されず、コードブック指示情報を端末デバイスに送信するために他の専用上位層制御シグナリングが使用され得ることは理解されるであろう。
【０３１９】
なおも別の例では、第1のコードブックを示すために使用されるコードブック指示情報は、システムブロードキャストメッセージ、たとえば、LTEシステムにおけるマスター情報ブロック(Master Information Block、略して「MIB」)またはシステム情報ブロック(System Information Block、略して「SIB」)で搬送され、ダウンリンク物理ブロードキャストチャネルまたは物理データチャネル、たとえば、LTEシステムにおける物理ブロードキャストチャネル(Physical Broadcast Channel、略して「PBCH」)または物理ダウンリンク共有チャネルPDSCHを使用することによって永続的方式で端末デバイスに配信され得る。
【０３２０】
本発明のこの実施形態において、ネットワークデバイスは、ビット列またはテーブルのうちの少なくとも1つを使用することによってコードブック指示情報を端末デバイスに送信する。適宜、コードブック指示情報はビット列情報である。
【０３２１】
特に、本発明のこの実施形態において、コードブック指示情報内の論理情報セグメントは、複数の方法を使用することによって実装されるものとしてよく、これは限定はしないが次のいくつかの方法を含む。
【０３２２】
方式1:論理情報セグメントでは、独立したビット列またはビットマップを使用して、情報指示機能を実装する。
【０３２３】
前述の実施形態において、コードブック指示情報内の論理情報セグメント(たとえば、論理情報セグメントはコードブッククラスタを示すために使用される)によって示される情報が、最大個数Kの可能性を有する(たとえば、合計K個のコードブッククラスタがある)と仮定すると、論理情報セグメントは、L=ceil(log2(K))個のビットからなるビットマップ
【０３２４】
【数４５】
0006517347.tif 000046
【０３２５】
によって表され得る。ceil(・)は、切り上げを意味する。ビットマップの値は、示された情報のインデックス値を表す。端末デバイスは、ビットマップによって示されているインデックス値に従って事前確立されているインデックス関係から、インデックス値に一意に対応する可能性を決定し得る。
【０３２６】
たとえば、コードブック指示情報が特徴行列情報、特徴シーケンス情報、およびコードブック情報を含む一例を使用することによって説明がなされている。K1≧1個のSCMA特徴行列が分割を通じて全体として取得されると仮定すると、論理情報セグメント1は、L1=ceil(log2(K1))個のビットからなるビットマップ
【０３２７】
【数４６】
0006517347.tif 000047
【０３２８】
によって表されるものとしてよく、第1のダウンリンクデータストリームおよび第2のダウンリンクデータストリームを送信するためにネットワークデバイスによって使用される第1の特徴行列を示すために使用される。論理情報セグメント1によって示される第1の特徴行列はK2≧1個の特徴シーケンスを含み、K3≧1個の変調次数が使用され得ると仮定すると、ネットワークデバイスが異なるダウンリンクデータストリームを送信するために異なる変調次数を使用してよいときに、論理情報セグメント3は、K2*L3(L3=ceil(log2(K3)))個のビットからなるビットマップ
【０３２９】
【数４７】
0006517347.tif 000048
【０３３０】
によって表されるものとしてよい。k番目のビットセグメントが、特定の合意されている形式のビット組合せ、たとえば、全0または全1である場合、これは、ネットワークデバイスが、データストリームを送信するために論理情報セグメント1によって示される第1の特徴行列内のk番目の特徴シーケンスを使用しないことを示す。そうでなければ、k番目のビットセグメント
【０３３１】
【数４８】
0006517347.tif 000049
【０３３２】
は、論理情報セグメント1によって示される第1の特徴行列内のk番目の特徴シーケンス(k番目の列)を使用することによってデータストリームを送信するためにネットワークデバイス基地局によって使用される変調次数を示す。ネットワークデバイスが既定により異なるデータストリームを送信するために同じ変調次数を使用するときに、論理情報セグメント3は、L3個のビットからなるビットマップ
【０３３３】
【数４９】
0006517347.tif 000050
【０３３４】
によって表されるものとしてよく、データストリームを送信するためにネットワークデバイスによって使用される変調次数を示すために使用される。論理情報セグメント2は、L2=ceil(log2(K2))個のビットからなるビットマップ
【０３３５】
【数５０】
0006517347.tif 000051
【０３３６】
によって表されるものとしてよく、第1のダウンリンクデータストリームをユーザ機器に送信するために基地局によって使用される第1の特徴シーケンスを示すために使用される。
【０３３７】
前述の例では、コードブック指示情報内の3つの論理情報セグメントは、すべて、情報指示機能を実装するために独立したビット列またはビットマップを使用するが、実際には、論理情報セグメントはすべてが同じ実装を使用することを必要としないことが理解されるであろう。したがって、実際のアプリケーションでは、いくつかの論理情報セグメントは、情報指示機能を実装するために独立したビットマップを使用するものとしてよく、他の論理情報セグメントでは別の方式を使用している。本発明のこの実施形態は、それに限定されない。
【０３３８】
本発明の1つの特定の実施形態のみを一例として使用することによって上で説明がなされていることはさらに理解されるであろう。この方法は、本発明の別の実施形態においてコードブック指示情報内の論理情報セグメントにも適用され得ることに留意されたい。
【０３３９】
方式2:複数の論理情報セグメントが結合指示(joint indication)を実行する。
【０３４０】
論理情報セグメントは、一般的に、テーブルに基づき結合指示を実行し得る。テーブルは、次のような形式をとり得る。テーブルは、複数の列を含む。列の1つは、総合インデックス列である。各インデックス値は、複数の論理情報セグメントによって示される情報の組合せに対応する。総合インデックス列を除くテーブル内の各列は、1つの論理情報セグメントに対応するものとしてよく、対応する論理情報セグメントによって示される情報の可能性を示すために使用される。論理情報セグメントの値は、インデックス値であり得るか、または特定の示されたコンテンツ、たとえば、コードブッククラスタ、コードブック集合、コードブック、特徴行列、または特徴シーケンスであってよい。
【０３４１】
テーブルを用いることで、ネットワークデバイスおよび端末デバイスは、総合インデックス値と複数の論理情報セグメントによって示されている情報の可能なすべての組合せとの間の対応関係を確立することができる。ネットワークデバイスは、コードブック指示情報を使用することによって総合インデックス値を端末デバイスに送信する。端末デバイスは、総合インデックス値に従って、テーブルに対しクエリを実行することによって、各論理情報セグメントによって示される情報に一意に対応する可能性を学習し得る。
【０３４２】
コードブック指示情報が第1のコードブッククラスタ情報、第1のコードブック集合情報、および第1の指示情報を含む一例をいぜんとして使用することによって説明がなされている。コードブック指示情報を実装するために使用されるテーブルの形式は、Table 1(表1)に示されている。
【０３４３】
【表１】
0006517347.tif 000052
【０３４４】
Table 1(表1)に示されているように、複数の論理情報セグメントの結合指示テーブルは、4つの列からなるものとしてよく、第1の列は、総合インデックス列(例ではインデックス列と称されている)であり、他の3つの列はコードブック指示情報内の3つの論理情報セグメントにそれぞれ対応する。mはインデックス値であり、i、j、およびkは、論理情報セグメントによって示される情報のインデックス値であり得るか、または対応する情報の特定のコンテンツ、たとえば、前述の形式で記憶されているコードブック、ならびに分割を通じて取得されるコードブック集合およびコードブッククラスタであり得る。
【０３４５】
前述の例では、コードブック指示情報内のすべての論理情報セグメントは、結合指示を実行するが、実際には、論理情報セグメントはすべてが同じ実装を使用することを必要としないことが理解されるであろう。したがって、実際のアプリケーションでは、いくつかの論理情報セグメントは、情報指示機能を実装するために結合指示方式を使用するものとしてよく、他の論理情報セグメントでは別の実装を使用している。本発明のこの実施形態は、それに限定されない。
【０３４６】
本発明の1つの特定の実施形態のみを一例として使用することによって上で説明がなされていることはさらに理解されるであろう。この方法は、本発明の別の実施形態においてコードブック指示情報内の論理情報セグメントにも適用され得ることに留意されたい。
【０３４７】
方式3:論理情報セグメント、およびコードブック指示情報が配置されており、別の指示機能を有しているメッセージまたは命令の中にある情報セグメントは、結合指示を実行する。
【０３４８】
一般的に、この方式も、テーブルに基づいて実装される。テーブルは、次のような形式をとり得る。テーブルは、複数の列を含む。列の1つは、総合インデックス列である。各インデックス値は、他の列によって示されるコンテンツの組合せを表す。総合インデックス列以外のテーブル内の少なくとも1つの列は、本発明のこの実施形態におけるコードブック指示情報内の論理情報セグメントに対応し、対応する論理情報セグメントによって示されるコンテンツの可能性を表す。論理情報セグメントの値は、インデックス値であり得るか、または特定の示されたコンテンツ、たとえば、特徴行列、特徴シーケンス、コードブック、または変調次数であってよい。
【０３４９】
テーブル内の他の列の少なくとも1つは、他の情報(本発明のこの実施形態におけるコードブック指示情報内の論理情報セグメントによって示される情報と異なる)を示す機能を有する情報セグメント、たとえば、トランスポートブロックのサイズを示す情報セグメント、または冗長性バージョンを示す情報セグメントに対応する。
【０３５０】
テーブルを用いることで、ネットワークデバイスおよび端末デバイスは、総合インデックス値、本発明のこの実施形態におけるコードブック指示情報内の論理情報セグメントによって示される情報の可能なすべての組合せ、および他の情報を示す機能を有する情報セグメントによって示される情報の可能なすべての組合せの間の対応関係を確立することができる。ネットワークデバイスは、コードブック指示情報を使用することによって総合インデックス値を端末デバイスに送信する。端末デバイスは、総合インデックス値に従って、テーブルに対してクエリを実行することによって、本発明のこの実施形態におけるコードブック指示情報内の論理情報セグメントによって示される情報に一意に対応する可能性、および他の情報を示す機能を有する情報セグメントによって示される情報に一意に対応する可能性を学習し得る。
【０３５１】
コードブック指示情報が第1のコードブッククラスタ情報、第1のコードブック集合情報、および第1の指示情報を含む一例をいぜんとして使用することによって説明がなされている。ネットワークデバイスが、既定により異なるダウンリンクデータストリームを送信するために同じ変調次数を使用するときの、コードブック指示情報を実装するために使用されるテーブルの形式がTable 2(表2)に示されている。
【０３５２】
【表２】
0006517347.tif 000053
【０３５３】
Table 2(表2)に示されているように、結合指示テーブルは、合計3つの列を含む。第1の列は、総合インデックス列である。第2の列は、トランスポートブロックインデックス列であり、トランスポートブロックのサイズを示すために使用される。第3の列は、コードブック指示情報内の論理情報セグメント3を示すために使用され得る。
【０３５４】
本発明の1つの特定の実施形態のみを一例として使用することによって上で説明がなされていることは理解されるであろう。この方法は、本発明の別の実施形態においてコードブック指示情報内の論理情報セグメントにも適用され得ることに留意されたい。
【０３５５】
本発明のこの実施形態において、コードブック指示情報内の論理情報セグメントは、すべて論理的概念であることがさらに理解されるであろう。コードブック指示情報が配置されているメッセージまたは命令、たとえば、ダウンリンクスケジューリングメッセージ、RRC接続確立メッセージ、RRC接続再構成メッセージ、またはブロードキャストメッセージ内の情報セグメントまたはビット列が、前述の実施形態における論理情報セグメントの情報指示機能を実装する場合、これは次のように理解されるか、または考えられるべきである。情報セグメントまたはビット列は、前述の実施形態における対応する論理情報セグメントの一実装である。本明細書の情報セグメントまたはビット列は、コードブック指示情報が配置されているメッセージまたは命令を構成するすべてのビット内の任意の部分であってよく、情報ビットおよびチェックビット、たとえば、端末デバイスの無線ネットワーク一時識別子(Radio Network Temporary Identifier、略して「RNTI」)を使用することによってスクランブルされた巡回冗長検査(Cyclic Redundancy Check、略して「CRC」)ビットを含む。
【０３５６】
前述の説明は、コードブック指示情報の様々な実装の詳細な説明である。非直交多元接続技術を一例として使用するLTEシステムを使用して、次に、LTEシステムにおける本発明のこの実施形態の特定のアプリケーションを詳細に説明する。
【０３５７】
LTEシステムでは、ネットワークデバイスは、ダウンリンクスケジューリングメッセージを使用して、端末デバイスによって受信されるべき各ダウンリンクトランスポートブロック(トランスポートブロックは本発明のこの実施形態ではデータまたはデータストリームと同等である)について次の情報セグメントを送信し、対応する情報を示す。
トランスポートブロックiについて。ここで、i=1または2:
変調符号化方式指示情報セグメント:トランスポートブロックのサイズおよび変調次数を示すために使用される、5ビット
新規データ指示情報セグメント:トランスポートブロックが再送データであるか新規データであるかを示すために使用される、1ビット
冗長バージョン指示情報セグメント:冗長バージョン番号を示すために使用される、2ビット
【０３５８】
非直交多元接続技術がLTEシステム内に導入されるときに、前述の情報セグメントが端末デバイスの各トランスポートブロックについて配信されると、本発明のこの実施形態における1つまたは複数の論理情報セグメントは、コードブック指示情報を示すために、配信される必要がさらにある。次に、非直交多元接続技術を使用するLTEシステムにおける本発明のいくつかの実施形態のアプリケーションを提示する。
【０３５９】
コードブック指示情報が第1のコードブッククラスタ情報、第1のコードブック集合情報、および第1のコードブック情報を含む一実施形態について、ネットワークデバイスは、ダウンリンクスケジューリングメッセージを使用して、端末デバイスのトランスポートブロックに対する次の情報セグメントを送信し、対応する情報を示す。
トランスポートブロックiについて。ここで、i=1または2:
コードブッククラスタ指示情報セグメント:トランスポートブロックを送信するために使用されるコードブッククラスタを示すために使用される、L1ビット
コードブック集合指示情報セグメント:トランスポートブロックを送信するために使用されるコードブック集合を示すために使用される、L2ビット
変調符号化方式および冗長バージョン情報セグメント:トランスポートブロックのサイズ、変調次数、および冗長バージョン番号を示すために使用される、5ビット
新規データ指示情報セグメント:トランスポートブロックが再送データであるか新規データであるかを示すために使用される、1ビット
【０３６０】
端末デバイスがダウンリンクスケジューリングメッセージを受信し、復号した後、各トランスポートブロックについて、端末デバイスは、対応するコードブッククラスタ指示情報セグメントに従って、どのコードブッククラスタ内のコードブックがトランスポートブロックを送信するために使用されるかを学習し、対応するコードブック集合指示情報セグメントに従って、コードブッククラスタ内のどのコードブック集合内のコードブックがトランスポートブロックを送信するために使用されるかを学習し、変調符号化方式および冗長バージョン情報セグメントに従って、トランスポートブロックを送信するために使用される変調次数を学習し、変調次数とコードブック集合内のコードブックとの間の対応関係に従って、変調次数に対応するコードブックを決定し、コードブックを使用することによってトランスポートブロックを送信し得る。
【０３６１】
コードブック指示情報が第1の特徴行列情報、第1の特徴シーケンス情報、および第2の指示情報を含む一実施形態について、ネットワークデバイスが、既定により異なるデータストリームを1つまたは複数のユーザ機器に送信するために同じ変調次数を使用すると仮定すると、ネットワークデバイスは、ダウンリンクスケジューリングメッセージを使用して、端末デバイスのトランスポートブロックに対する次の情報セグメントを送信し、対応する情報を示す。
トランスポートブロックiについて。ここで、i=1または2:
特徴行列指示情報セグメント:トランスポートブロックを受信するために端末デバイスによって使用される特徴行列を示すために使用される、L1ビット
特徴シーケンス指示情報セグメント:トランスポートブロックを受信するために端末デバイスによって使用される第1の特徴シーケンスを示すために使用される、L2ビット
変調符号化方式指示情報セグメント:トランスポートブロックのサイズおよび変調次数を示すために使用される、5ビット
新規データ指示情報セグメント:トランスポートブロックが再送データであるか新規データであるかを示すために使用される、1ビット
冗長バージョン指示情報セグメント:冗長バージョン番号を示すために使用される、2ビット
【０３６２】
端末デバイスがダウンリンクスケジューリングメッセージを受信し、復号した後、各トランスポートブロックについて、端末デバイスは、対応する特徴行列指示情報セグメントに従って、トランスポートブロックを受信するために使用される第1の特徴行列を学習し、変調符号化方式情報セグメントに従って、端末デバイスのトランスポートブロックを含むすべてのトランスポートブロックを送信するためにネットワークデバイスによって使用される変調次数を学習し、特徴シーケンスとコードブック集合との間の一対一対応関係および変調次数とコードブック集合との間の一対一対応関係に従って、端末デバイスのトランスポートブロックを含むすべてのトランスポートブロックを送信するためにネットワークデバイスによってそれぞれ使用されるコードブック、すなわち、第1のコードブックおよび1つまたは複数の第2のコードブックを決定し得る。さらに、端末デバイスは、対応する特徴シーケンス指示情報セグメントに従って、端末デバイスのトランスポートブロックに対応する第1の特徴シーケンスを学習し、対応する第1のコードブックを学習する。このようにして、端末デバイスは、第1のコードブックおよび1つまたは複数の第2のコードブックに従って、端末デバイスのトランスポートブロックを正しく受信することができる。
【０３６３】
本発明のこの実施形態において、適宜、コードブックはスパース符号多元接続SCMAコードブックである。適宜、コードブックに含まれているコードワードの0変調シンボルの数は、非0変調シンボルの数以上である。
【０３６４】
前述の説明は、LTEシステムにおける本発明のこの実施形態のただ1つの可能な特定のアプリケーションのみを説明しているが、本発明はそれに限定されないことが理解されるであろう。非直交多元接続技術を使用するLTEシステムにおいて、ネットワークデバイスは、代替的に、コードブック指示情報を示すために別の情報セグメントを送信し得る。
【０３６５】
前述のプロセスの順序番号は、本発明の様々な実施形態における実行順序を意味しないことがさらに理解されるであろう。プロセスの実行順序は、プロセスの機能および内部論理に従って決定されるべきであり、本発明の実施形態の実装プロセスに対する制限と解釈されるべきでない。
【０３６６】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０３６７】
前述の説明では、ネットワークデバイスの観点から図3から図5を参照しつつ本発明の一実施形態による指示情報伝送方法を詳しく説明している。次に、端末デバイスの観点から図6から図8を参照しつつ本発明の一実施形態による指示情報伝送方法を説明する。
【０３６８】
図6に示されているように、本発明の一実施形態による指示情報伝送方法300は、たとえば、通信システム内の端末デバイスによって実行され得る。端末デバイスは、たとえば、ユーザ機器である。図6に示されているように、方法300は以下のステップを含む。
【０３６９】
S310:ネットワークデバイスによって送信されたコードブック指示情報を受信し、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む。
【０３７０】
S320:コードブック指示情報に従って第1のコードブックおよび1つまたは複数の第2のコードブックを決定する。
【０３７１】
S330:第1のコードブックおよび1つまたは複数の第2のコードブックに従って、ネットワークデバイスによって送信された第1のダウンリンクデータストリームを復号する。
【０３７２】
特に、SCMAシステムなどの非直交多元接続システムでは、ネットワークデバイスは、各端末デバイスによって受信されるべき1つまたは複数のダウンリンクデータストリームに対してコードブックを割り振るか、または指定する。ネットワークデバイスによって端末デバイスに送信されたダウンリンクデータストリームを正しく受信するか、または復号するために、端末デバイスは、ダウンリンクデータストリームを送信するためにネットワークデバイスによって使用されるコードブック、およびダウンリンクデータストリームを送信するためにネットワークデバイスによって使用される時間周波数リソース上で別のダウンリンクデータストリームを送信するためにネットワークデバイスによって使用される1つまたは複数のコードブックを学習する必要がある。
【０３７３】
したがって、ネットワークデバイスは、第1のコードブックおよび1つまたは複数の第2のコードブックを決定し、第1のコードブックおよび1つまたは複数の第2のコードブックを示すために使用されるコードブック指示情報を決定するものとしてよい。第1のコードブックは、第1のダウンリンクデータストリームを端末デバイスに送信するためにネットワークデバイスによって使用されるコードブックである。1つまたは複数の第2のコードブックは、第2のダウンリンクデータストリームを別の端末デバイスに送信するためにネットワークデバイスによって使用される1つまたは複数のコードブックである。第2のダウンリンクデータストリームは第1のダウンリンクデータストリームに対して使用される時間周波数リソースで搬送される第1のダウンリンクデータストリーム以外の1つまたは複数のダウンリンクデータストリームである。さらに、ネットワークデバイスは、コードブック指示情報を端末デバイスに送信し得る。コードブック指示情報は、第1のダウンリンクデータストリームを受信するために端末デバイスによって使用される第1のコードブック、および1つまたは複数の第2のコードブックを示すために使用される。
【０３７４】
ネットワークデバイスによって送信されたコードブック指示情報を受信した後、端末デバイスは、コードブック指示情報に従って、第1のダウンリンクデータストリームを送信するためにネットワークデバイスによって使用される第1のコードブックと、ダウンリンクデータストリームを送信するためにネットワークデバイスによって使用される同じ時間周波数リソース上で別のダウンリンクデータストリームを送信するためにネットワークデバイスによって使用される1つまたは複数の第2のコードブックとを決定し得る。このようにして、端末デバイスは、第1のコードブックおよび1つまたは複数の第2のコードブックに従って、ネットワークデバイスによって送信された第1のダウンリンクデータストリームを受信するか、または復号することができる。したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムのネットワーク容量は、効果的に改善され得る。
【０３７５】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０３７６】
本発明のこの実施形態において、非直交多元接続技術により、コードブックを使用することによって同じリソースユニット上で複数の異なるデータストリームが伝送される、すなわち、同じリソースユニット上で複数の異なるデータストリームが多重化される。異なるデータストリームに対して異なるコードブックが使用される。したがって、リソースの利用が改善される。データストリームは、同じ端末デバイスからでも異なる端末デバイスからでもよい。
【０３７７】
したがって、非直交多元接続技術により、データストリーム内のデータは、特定のマッピング関係に従ってコードワード、すなわち、多次元複素ベクトルに直接マッピングされ、それにより、データは拡張され、複数のリソースユニット上で送信される。データは、バイナリビットデータまたは多変量データであってよい。リソースユニットは、時間領域、周波数領域、空間領域、時間周波数領域、時間空間領域、または時間周波数空間領域のリソースユニットであってよい。
【０３７８】
本発明のこの実施形態において、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む。各特徴行列は2つ以上の特徴シーケンスからなり、各特徴行列は1つまたは複数のコードブックに対応し、各特徴シーケンスも1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０３７９】
本発明のこの実施形態において、複数のコードブックは、1つまたは複数のコードブッククラスタに分割されるものとしてよく、各コードブッククラスタは1つまたは複数のコードブックを含むものとしてよく、同じコードブッククラスタ内の任意の2つのコードブック、たとえば、コードブックaおよびコードブックbは、次のような特徴を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードの長さが同じであり、データストリームが多重化されるリソースユニットの数が同じであるという条件を満たす。
【０３８０】
本発明のこの実施形態において、複数のコードブックは、代替的に、1つまたは複数のコードブック集合に分割されるものとしてよく、各コードブック集合は1つまたは複数のコードブックを含むものとしてよく、同じコードブック集合内の任意の2つのコードブック、たとえば、コードブックcおよびコードブックdは、次のような特徴を有する。(1)コードブックc内のコードワードおよびコードブックd内のコードワードは、同じ総数の変調シンボルを有する。(2)コードブックc内のすべてのコードワードの変調シンボルがすべて0変調シンボルであるロケーションにおいて、コードブックd内のすべてのコードワードの変調シンボルもすべて0変調シンボルである。
【０３８１】
本発明のこの実施形態において、各コードブッククラスタは1つまたは複数のコードブック集合を含み、各コードブック集合は1つまたは複数のコードブックを含み、各コードブックは2つ以上のコードワードからなり、各コードブッククラスタは同じコードブッククラスタ内のコードワードが同じ総数の変調シンボルを有するという条件を満たし、各コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０３８２】
非直交多元接続システムでは、コードブックが直接記憶され得ることは理解されるであろう。たとえば、前述のコードブックまたはコードブック内のコードワードは、直接記憶されるか、または対応する特徴シーケンス要素が1要素であるコードワード内のロケーションにある変調シンボルのみが記憶されるか、または同様のことがなされる。したがって、本発明が適用されるときに、非直交多元接続システム内のネットワークデバイスおよび端末デバイスは両方とも、次の事前設計されたコンテンツの一部または全部を記憶し得ると必ず仮定される。
【０３８３】
(1)1つまたは複数の特徴行列:
【０３８４】
【数５１】
0006517347.tif 000054
【０３８５】
rn,m∈{0,1}、1≦n≦N、1≦m≦M、MおよびNは両方とも1よりも大きい正整数であり、Mは多重化されたデータストリームの数を表すものとしてよく、Nはコーディングユニットに含まれるリソースユニットの数を表し得るか、またはコードワード長として理解され得る。
【０３８６】
(2)1つまたは複数の特徴シーケンス:
【０３８７】
【数５２】
0006517347.tif 000055
【０３８８】
1≦m≦M
【０３８９】
(3)1つまたは複数のコードブック:
【０３９０】
【数５３】
0006517347.tif 000056
【０３９１】
Qm≧2、Qmはコートブックに対応する変調次数を表すものとしてよく、各コードブックは1つの変調次数に対応するものとしてよく、Nは1よりも大きい正整数であり、コーディングユニットに含まれるリソースユニットの数を表し得るか、またはコードワード長として理解され得る。
【０３９２】
次に、図7および図8を参照しつつ本発明のこの実施形態による第1のコードブックおよび1つまたは複数の第2のコードブックを決定するための方法について詳しく説明する。
【０３９３】
図7に示されているように、本発明のこの実施形態において、適宜、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される。
【０３９４】
コードブック指示情報に従って第1のコードブックおよび1つまたは複数の第2のコードブックを決定するステップは、次のステップを含む。
【０３９５】
S321:第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定し、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０３９６】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、各コードブックは1つの変調次数に対応し、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する。コードブックa内のすべてのコードワードの変調シンボルがすべて0変調シンボルであるロケーションにおいて、コードブックb内のすべてのコードワードの変調シンボルもすべて0変調シンボルである。すなわち、コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０３９７】
前述の方式で分割を通じて取得された1つまたは複数のコードブック集合は、1つまたは複数のコードブッククラスタにさらに分割されるものとしてよく、各コードブッククラスタは1つまたは複数のコードブック集合からなり、同じコードブッククラスタ内の任意の2つのコードブック集合、たとえば、コードブック集合Aおよびコードブック集合Bは、次のような特徴を有する。コードブック集合A内のコードワードおよびコードブック集合B内のコードワードは、同じ総数の変調シンボルを有する、すなわち、すべてのコードワードの長さは同じであり、データストリームが多重化されるリソースユニットの数は同じである。すなわち、コードブッククラスタは同じコードブッククラスタ内のコードワードが同じ総数の変調シンボルを有するという条件を満たす。
【０３９８】
本発明のこの実施形態において、ネットワークデバイスによって送信され、端末デバイスによって受信されたコードブック指示情報は、第1のコードブッククラスタ情報、第1のコードブック集合情報、および第1の指示情報を含み得る。たとえば、コードブック指示情報は、3つの論理情報セグメントからなるものとしてよい。論理情報セグメント1は、端末デバイスに、第1のダウンリンクデータストリームおよび第2のダウンリンクデータストリームを送信するために使用される第1のコードブッククラスタを示すための、第1のコードブッククラスタ情報を搬送し得る。論理情報セグメント2は、端末デバイスに、第1のコードブッククラスタ内の第1のダウンリンクデータストリームを送信するために使用される第1のコードブック集合を示すための、第1のコードブック集合情報を搬送し得る。論理情報セグメント3は、第1の指示情報を搬送し得る。第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される。
【０３９９】
本発明のこの実施形態において、コードブック指示情報の論理情報セグメントは、コードブック指示情報が配置されている命令で任意の順序により連続または不連続動作で搬送され得ることが理解されるであろうが、これは本発明のこの実施形態において限定されない。
【０４００】
端末デバイスが命令、またはコードブック指示情報を搬送するメッセージを受信した後、たとえば、論理情報セグメント1に従って、端末デバイスは、ネットワークデバイスが第1のダウンリンクデータストリームおよび第2のダウンリンクデータストリームを送信するためにどのコードブッククラスタ内のコードブックを使用するかを学習し得る。論理情報セグメント2に従って、端末デバイスは、ネットワークデバイスが第1のダウンリンクデータストリームを送信するために論理情報セグメント1によって示されているコードブッククラスタ内のどのコードブック集合内のコードブックを使用するかを学習し得る。論理情報セグメント3に従って、端末デバイスは、ネットワークデバイスが第1のダウンリンクデータストリームを送信するために論理情報セグメント2によって示されているコードブック集合内のどのコードブックを使用するかを学習し得る。それに加えて、端末デバイスは、ネットワークデバイスが論理情報セグメント1によって示されるコードブッククラスタ内のどのコードブック集合を使用するか、および第2のダウンリンクデータストリームを送信するためにコードブック集合内のどのコードブックを使用するかをさらに学習し得る。
【０４０１】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０４０２】
本発明のこの実施形態において、端末デバイスは、第1のコードブック集合内の第1のコードブック、第1のコードブッククラスタ内の1つまたは複数の第2のコードブック集合、および複数の方式でネットワークデバイスによって示されている1つまたは複数の第2のコードブック集合内の1つまたは複数の第2のコードブックを受信し得る。次に、別々に説明を行う。
【０４０３】
適宜、本発明のこの実施形態において、第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０４０４】
特に、本発明のこの実施形態において、たとえば、第1の指示情報を搬送する論理情報セグメント3は、3つの論理情報サブセグメント、すなわち、論理情報サブセグメント1、論理情報サブセグメント2、および論理情報サブセグメント3をさらに含み得る。論理情報サブセグメント1は、第1のコードブック集合内の第1のコードブックを示すために第1のコードブック情報を搬送し得る。論理情報サブセグメント2は、第1のコードブッククラスタ内の1つまたは複数の第2のコードブック集合を示すために第2のコードブック集合情報を搬送し得る。論理情報サブセグメント3は、1つまたは複数の第2のコードブック集合内の1つまたは複数の第2のコードブックを示すために第2のコードブック情報を搬送し得る。
【０４０５】
本発明のこの実施形態において、コードブック集合内の任意の2つの異なるコードブックが異なる変調次数に対応するときに、論理情報サブセグメント1および論理情報サブセグメント3は、代替的に、コードブック集合内のダウンリンクデータストリームに使用されるコードブックを示すために変調次数を示し得る。したがって、端末デバイスは、論理情報サブセグメント1および論理情報サブセグメント3に従って、ネットワークデバイスによって送信されたダウンリンクデータストリームに対応する変調次数を学習するものとしてよく、次いで、コードブック集合内の変調次数と一対一対応関係にあるコードブックを決定することができる。すなわち、第1のコードブック情報は、第1のコードブックの変調次数情報を含み、第1のコードブック集合内の各コードブックは、異なる変調次数を有し、第2のコードブック情報は、各第2のコードブックの変調次数情報を含み、1つまたは複数の第2のコードブック集合内の各コードブックは、異なる変調次数を有する。
【０４０６】
本発明のこの実施形態は、第1の指示情報が第1のコードブック情報、第2のコードブック集合情報、および第2のコードブック情報を含む一例のみを使用することによって説明されているが、本発明それはそれに限定されないことが理解されるであろう。たとえば、第1のコードブックおよびネットワークデバイスによって使用される1つまたは複数の第2のコードブックの変調次数が同じであるときに、第1のコードブック情報および第2のコードブック情報は、コードブックの変調次数情報のみを含み得る。別の例として、ネットワークデバイスおよび端末デバイスが両方とも、既定により同じ固定変調次数を使用するときに、第1の指示情報は、第2のコードブック集合情報のみを含み得る。なおも別の例では、第1のコードブックおよびネットワークデバイスによって使用される1つまたは複数の第2のコードブックが同じコードブック集合に属しているときに、第1の指示情報は、第1のコードブック情報および第2のコードブック情報のみを含み得る。なおも別の例として、ネットワークデバイスおよび端末デバイスが両方とも、既定によりコードブック集合内で同じ固定された数を有するコードブックを使用するときに、第1の指示情報は、第2のコードブック集合情報および固定された数のコードブックを示すために使用される情報のみを含み得る。
【０４０７】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０４０８】
適宜、本発明のこの実施形態において、第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０４０９】
本発明のこの実施形態において、コードブック集合内の任意の2つの異なるコードブックが異なる変調次数に対応するときに、論理情報セグメント3は、代替的に、コードブック集合内のダウンリンクデータストリームに使用されるコードブックを示すために変調次数を示し得る。したがって、端末デバイスは、論理情報セグメント3に従って、ネットワークデバイスによって送信されたダウンリンクデータストリームに対応する変調次数を学習するものとしてよく、次いで、コードブック集合内の変調次数と一対一対応関係にあるコードブックを決定することができる。すなわち、第1の指示情報は、第1のコードブックおよび1つまたは複数の第2のコードブックの変調次数情報を含み、各コードブック集合内の各コードブックは、異なる変調次数を有する。
【０４１０】
すなわち、本発明のこの実施形態において、適宜、第1の指示情報は、第1のコードブックおよび1つまたは複数の第2のコードブックの変調次数情報を含み、各コードブック集合内の各コードブックは、異なる変調次数を有する。
【０４１１】
本発明のこの実施形態において、論理情報セグメントがインデックス値を示す場合、関係する情報の間の矛盾のないインデックス関係、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するコードブッククラスタ、コードブック集合、およびコードブックを一意に決定することができることが理解されるであろう。
【０４１２】
本発明のこの実施形態において、ネットワークデバイスおよび端末デバイスは、複数の方法を使用することによってコードブックを事前記憶しておいてよいが、次の2つの条件が満たされる必要があることもさらに理解されるであろう。第一に、ネットワークデバイスおよび端末デバイスは、記憶されているコードブックに従って、コーディングユニットに含まれる一定数のリソースユニットまたはサブキャリアまたはリソース要素を学習し得る。第二に、ネットワークデバイスおよび端末デバイスは、記憶されているコードブックに従って、端末デバイスがコーディングユニットのどのリソースユニットまたはサブキャリアまたはリソース要素上でどの非0変調シンボルを送信するかを学習し得る。
【０４１３】
前述の記憶条件を満たす単純で直接的な方法は、コードワードのすべての0変調シンボルおよび非0変調シンボルを記憶するステップを含む、前述の形式でコードブックを記憶することである。
【０４１４】
【数５４】
0006517347.tif 000057
【０４１５】
たとえば、変調次数がQPSKまたは4次変調であるときに、図2の可変ノード3によって使用されるコードブックは、次のように記憶され得る。
【０４１６】
【数５５】
0006517347.tif 000058
【０４１７】
コードブックが前述の方式で記憶された後、コードワード内の0変調シンボルおよび非0変調シンボルの総数は、コーディングユニットに含まれるリソースユニットまたはサブキャリアまたはリソース要素の数であり、非0変調シンボルのロケーションおよび値は、端末デバイスがコーディングユニットの対応するロケーションにおけるリソースユニットまたはサブキャリアまたはリソース要素上で対応する値を有する非0変調シンボルを送信することを示す。たとえば、図2の可変ノード3に対するコードブックが使用されるときに、端末デバイスは、コーディングユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信する。cn,q=α*exp(j*β)、1≦n≦2、1≦q≦4、αおよびβは任意の実数であってよく、任意のqについて、1≦q≦4、c1,qおよびc2,qは同時にゼロでなく、
【０４１８】
【数５６】
0006517347.tif 000059
【０４１９】
および
【０４２０】
【数５７】
0006517347.tif 000060
【０４２１】
1≦q1≦4および1≦q2≦4という条件を満たす少なくともq1およびq2がある。
【０４２２】
本発明のこの実施形態は、一例として前述の解決方法のみを使用することによって説明されているが、本発明は、それに限定されないことがさらに理解されるであろう。本発明のこの実施形態に基づき、別の方法は、第1のコードブック集合内の第1のコードブック、1つまたは複数の第2のコードブック集合、および1つまたは複数の第2のコードブックを示すために使用され得る。それに加えて、本発明のこの実施形態に基づき、第1のコードブックおよび1つまたは複数の第2のコードブックを示すために別の方法が使用され得る。
【０４２３】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０４２４】
本発明のこの実施形態において、特徴シーケンスまたは特徴行列とコードブックとの間に対応関係が存在しているので、特徴シーケンスまたは特徴行列は、1つまたは複数のコードブックを含むコードブック集合またはコードブッククラスタを示すために使用され得ることが理解されるであろう。したがって、本発明のこの実施形態において、端末デバイスに送信されるコードブック指示情報は、代替的に、特徴シーケンスまたは特徴行列を使用することによって決定され得る。次に、図8を参照しつつ、特徴シーケンスまたは特徴行列を使用することによってコードブック指示情報を決定するための方法について詳しく説明する。
【０４２５】
図8に示されているように、本発明のこの実施形態において、適宜、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される。
【０４２６】
コードブック指示情報に従って第1のコードブックおよび1つまたは複数の第2のコードブックを決定するステップは、次のステップを含む。
【０４２７】
S322:第1の特徴行列情報、第1の特徴シーケンス情報、および第2の指示情報に従って、第1の特徴行列に含まれる第1の特徴シーケンスに対応する1つまたは複数のコードブックのうちの第1のコードブックと、第1の特徴行列に含まれる1つまたは複数の第2の特徴シーケンスに対応する1つまたは複数のコードブックのうちの1つまたは複数の第2のコードブックとを決定し、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０４２８】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、各コードブックは1つの変調次数に対応し、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する。コードブックa内のすべてのコードワードの変調シンボルがすべて0変調シンボルであるロケーションにおいて、コードブックb内のすべてのコードワードの変調シンボルもすべて0変調シンボルである。すなわち、コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。
【０４２９】
コードブック集合が前述の方式で分割を通して取得された後、上で説明されているように、各コードブック集合は、特徴行列の特徴シーケンスと一対一対応関係にある。対応関係は、次の方式で決定される。コードブック集合内のコードブックが特徴行列の特徴シーケンスに対応する場合、すなわち、前述の2つの条件が満たされる場合、コードブックが属しているコードブック集合は、特徴行列の特徴シーケンスと一対一対応関係にある。すなわち、特徴シーケンスとコードブックとの間の対応関係は、次の2つの条件によって決定され得る。
【０４３０】
(1)コードブック内のコードワードの変調シンボルの総数は、対応する特徴シーケンス内の要素の総数と同じである。
【０４３１】
(2)特徴シーケンス内の任意の1要素について、対応するコードブック内に少なくとも1つのコードワードが見つかるものとしてよく、それにより、1要素のロケーションにおけるコードワードの変調シンボルは、0変調シンボルではない。特徴シーケンス内の任意の0要素について、0要素に対応するロケーションにおける対応するコードブック内のすべてのコードワードの変調シンボルは、すべて0変調シンボルである。
【０４３２】
したがって、本発明のこの実施形態において、ネットワークデバイスおよび端末デバイスは、コードブッククラスタに対応する事前設計された特徴行列およびコードブック集合に対応する事前設計された特徴シーケンスを記憶し得る。
【０４３３】
本発明のこの実施形態において、ネットワークデバイスによって送信され、端末デバイスによって受信され、第1のコードブックおよび1つまたは複数の第2のコードブックを示すために使用されるコードブック指示情報は、第1の特徴行列情報、第1の特徴シーケンス情報、および第2の指示情報を含む。たとえば、コードブック指示情報は、3つの論理情報セグメントからなるものとしてよい。論理情報セグメント1は、端末デバイスに、第1のダウンリンクデータストリームおよび第2のダウンリンクデータストリームを送信するために使用される第1の特徴行列を示すための、第1の特徴行列情報を搬送し得る。論理情報セグメント2は、端末デバイスに、第1の特徴行列内の第1のダウンリンクデータストリームを送信するために使用される第1の特徴シーケンスを示すための、第1の特徴シーケンス情報を搬送し得る。論理情報セグメント3は、第2の指示情報を搬送し得る。第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される。
【０４３４】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０４３５】
端末デバイスが命令、またはコードブック指示情報を搬送するメッセージを受信した後、たとえば、論理情報セグメント1に従って、端末デバイスは、ネットワークデバイスが第1のダウンリンクデータストリームおよび第2のダウンリンクデータストリームを送信するためにどの特徴行列に対応する1つまたは複数のコードブックのうちのコードブックを使用するかを学習し得る。すなわち、1つまたは複数のコードブックを含むコードブッククラスタは特徴行列と一対一対応関係にあるので、端末デバイスは、一対一対応関係に従って、ネットワークデバイスが第1のダウンリンクデータストリームおよび第2のダウンリンクデータストリームを送信するためにどのコードブッククラスタ内のコードブックを使用するかを学習し得る。論理情報セグメント2に従って、端末デバイスは、ネットワークデバイスが第1のダウンリンクデータストリームを送信するために論理情報セグメント1によって示されている特徴行列内のどの特徴シーケンスに対応する1つまたは複数のコードブックのうちのコードブックを使用するかを学習し得る。すなわち、1つまたは複数のコードブックを含むコードブック集合は特徴シーケンスと一対一対応関係にあるので、端末デバイスは、一対一対応関係に従って、論理情報セグメント2によって示される特徴シーケンスを使用することによって、ネットワークデバイスが第1のダウンリンクデータストリームを送信するためにどのコードブック集合内のコードブックを使用するかを学習し得る。さらに、同様に、論理情報セグメント3に従って、端末デバイスは、ネットワークデバイスが第1のダウンリンクデータストリームを送信するために論理情報セグメント2によって示されている特徴シーケンスに対応する1つまたは複数のコードブックのうちのどのコードブックを使用するかを学習し得る。それに加えて、端末デバイスは、ネットワークデバイスが論理情報セグメント1によって示される特徴行列内のどの特徴シーケンスを使用するか、および第2のダウンリンクデータストリームを送信するために特徴シーケンスに対応する1つまたは複数のコードブックのうちのどのコードブックを使用するかをさらに学習し得る。
【０４３６】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０４３７】
本発明のこの実施形態において、端末デバイスは、第1のコードブック集合内の第1のコードブック、第1のコードブッククラスタ内の1つまたは複数の第2のコードブック集合、および複数の方式でネットワークデバイスによって示されている1つまたは複数の第2のコードブック集合内の1つまたは複数の第2のコードブックを受信し得る。次に、別々に説明を行う。
【０４３８】
適宜、本発明のこの実施形態において、第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【０４３９】
特に、本発明のこの実施形態において、たとえば、第2の指示情報を搬送する論理情報セグメント3は、3つの論理情報サブセグメント、すなわち、論理情報サブセグメント1、論理情報サブセグメント2、および論理情報サブセグメント3をさらに含み得る。論理情報サブセグメント1は、第1の特徴シーケンスに対応する1つまたは複数のコードブックのうちの第1のコードブックを示すために第3のコードブック情報を搬送し得る。論理情報サブセグメント2は、第1の特徴行列内の1つまたは複数の第2の特徴シーケンスを示すために第2の特徴シーケンス情報を搬送し得る。論理情報サブセグメント3は、1つまたは複数の第2の特徴シーケンスに対応する1つまたは複数のコードブックのうちの1つまたは複数の第2のコードブックを示すために第4のコードブック情報を搬送し得る。
【０４４０】
本発明のこの実施形態において、各特徴シーケンスに対応する1つまたは複数のコードブックのうちの任意の2つの異なるコードブックが異なる変調次数に対応するときに、論理情報サブセグメント1および論理情報サブセグメント3は、代替的に、特徴シーケンスに対応する1つまたは複数のコードブックにおいてダウンリンクデータストリームに使用されるコードブックを示すために変調次数を示し得る。したがって、端末デバイスは、論理情報サブセグメント1および論理情報サブセグメント3に従って、ネットワークデバイスによって送信されたダウンリンクデータストリームに対応する変調次数を学習するものとしてよく、次いで、特徴シーケンスに対応する1つまたは複数のコードブックにおける変調次数と一対一対応関係にあるコードブックを決定することができる。
【０４４１】
すなわち、本発明のこの実施形態において、第3のコードブック情報は、第1のコードブックの変調次数情報を含み、第1の特徴シーケンスに対応する1つまたは複数のコードブックの各々は、異なる変調次数を有し、第4のコードブック情報は、各第2のコードブックの変調次数情報を含み、各第2の特徴シーケンスに対応する1つまたは複数のコードブックの各々は、異なる変調次数を有する。
【０４４２】
本発明のこの実施形態は、第2の指示情報が第3のコードブック情報、第2の特徴シーケンス情報、および第4のコードブック情報を含む一例のみを使用することによって説明されているが、本発明それはそれに限定されないことが理解されるであろう。たとえば、第1のコードブックおよびネットワークデバイスによって使用される1つまたは複数の第2のコードブックの変調次数が同じであるときに、第3のコードブック情報および第4のコードブック情報は、コードブックの変調次数情報のみを含み得る。別の例として、ネットワークデバイスおよび端末デバイスが両方とも、既定により同じ固定変調次数を使用するときに、第2の指示情報は、第2の特徴シーケンス情報のみを含み得る。なおも別の例では、第1のコードブックおよびネットワークデバイスによって使用される1つまたは複数の第2のコードブックが同じ特徴シーケンスに対応しているときに、第1の指示情報は、第3のコードブック情報および第4のコードブック情報のみを含み得る。
【０４４３】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０４４４】
適宜、本発明のこの実施形態において、第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【０４４５】
本発明のこの実施形態において、各特徴シーケンスに対応する1つまたは複数のコードブックのうちの任意の2つの異なるコードブックが異なる変調次数に対応するときに、論理情報セグメント3は、代替的に、ダウンリンクデータストリームに使用されるコードブックを示すために変調次数を示し得る。したがって、端末デバイスは、論理情報セグメント3に従って、ネットワークデバイスによって送信されたダウンリンクデータストリームに対応する変調次数を学習するものとしてよく、次いで、特徴シーケンスに対応する1つまたは複数のコードブックにおける変調次数と一対一対応関係にあるコードブックを決定することができる。すなわち、第2の指示情報は第1のコードブックおよび1つまたは複数の第2のコードブックの変調次数情報を含み、各特徴シーケンスに対応する1つまたは複数のコードブックの各々は、異なる変調次数を有する。
【０４４６】
本発明のこの実施形態において、適宜、第2の指示情報は第1のコードブックおよび1つまたは複数の第2のコードブックの変調次数情報を含み、各特徴シーケンスに対応する1つまたは複数のコードブックの各々は、異なる変調次数を有する。
【０４４７】
本発明のこの実施形態において、論理情報セグメントが、インデックス値を示す場合、関係する情報の間の矛盾のないインデックス関係、たとえば、特徴行列インデックス値と特徴行列との間のインデックス関係、特徴シーケンスインデックス値と各特徴行列内の特徴シーケンスとの間のインデックス関係、およびコードブックインデックス値と1つまたは複数のコードブックのうちのコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応する特徴行列、特徴シーケンス、およびコードブックを一意に決定することができることが理解されるであろう。
【０４４８】
本発明のこの実施形態において、ネットワークデバイスおよび端末デバイスは、複数の方法を使用することによって特徴行列およびコードブックを事前記憶しておいてよいが、次の2つの条件が満たされる必要があることもさらに理解されるであろう。第一に、ネットワークデバイスおよび端末デバイスは、記憶されている特徴行列およびコードブックに従って、コーディングユニットに含まれる一定数のリソースユニットまたはサブキャリアまたはリソース要素を学習し得る。第二に、ネットワークデバイスおよび端末デバイスは、記憶されている特徴行列およびコードブックに従って、端末デバイスがコーディングユニットのどのリソースユニットまたはサブキャリアまたはリソース要素上でどの非0変調シンボルを送信するかを学習し得る。
【０４４９】
前述の記憶条件を満たす単純で直接的な方法は次のとおりである。
【０４５０】
(1)特徴行列を前述の形式
【０４５１】
【数５８】
0006517347.tif 000061
【０４５２】
で記憶する。
【０４５３】
たとえば、図2に示されている例について、対応する特徴行列は次のように表され得る。
【０４５４】
【数５９】
0006517347.tif 000062
【０４５５】
(2)1要素の次数の対応するコードワードの変調シンボルを前述の特徴シーケンスに記憶する。たとえば、変調次数がQPSKまたは4次変調であるときに、図2の可変ノード3によって使用されるコードブックは、次のように記憶され得る。
【０４５６】
【数６０】
0006517347.tif 000063
【０４５７】
特徴行列およびコードブックが、前述の方式で記憶された後、ネットワークデバイスおよび端末デバイスは、特徴行列に従って、コーディングユニットに含まれる一定数のリソースユニットまたはサブキャリアまたはリソース要素、すなわち、特徴行列の一定数の行を学習し、特徴行列内の特徴シーケンスおよび特徴シーケンスに対応する1つまたは複数のコードブックのうちのコードブックに従って、端末デバイスが特徴シーケンスを使用するときにコーディングユニットのどのリソースユニットまたはサブキャリアまたはリソース要素上で0変調シンボルおよび非0変調シンボルを送信するかを学習し得る。たとえば、図2の可変ノード3に対するコードブックが使用されるときに、端末デバイスは、コーディングユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信する。cn,q=α*exp(j*β)、1≦n≦2、1≦q≦4、αおよびβは任意の実数であってよく、任意のqについて、1≦q≦4、c1,qおよびc2,qは同時にゼロでなく、
【０４５８】
【数６１】
0006517347.tif 000064
【０４５９】
および
【０４６０】
【数６２】
0006517347.tif 000065
【０４６１】
1≦q1≦4および1≦q2≦4という条件を満たす少なくともq1およびq2がある。
【０４６２】
本発明のこの実施形態は、一例として前述の解決方法のみを使用することによって説明されているが、本発明は、それに限定されないことがさらに理解されるであろう。本発明のこの実施形態に基づき、別の方法は、第1の特徴シーケンスに対応する1つまたは複数のコードブックのうちの第1のコードブック、1つまたは複数の第2の特徴シーケンス、および1つまたは複数の第2のコードブックを示すために使用され得る。それに加えて、本発明のこの実施形態に基づき、第1のコードブックおよび1つまたは複数の第2のコードブックを示すために別の方法が使用され得る。
【０４６３】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０４６４】
適宜、本発明のこの実施形態において、ネットワークデバイスによって送信されたコードブック指示情報を受信するステップは、ダウンリンクスケジューリングメッセージ、専用上位層制御シグナリング、またはネットワークデバイスによって送信されたシステムブロードキャストメッセージを受信するステップであって、ダウンリンクスケジューリングメッセージ、専用上位層制御シグナリング、およびシステムブロードキャストメッセージはコードブック指示情報を含む、ステップを含む。
【０４６５】
適宜、本発明のこの実施形態において、専用上位層制御シグナリングは、無線リソース制御RRC接続確立メッセージとRRC接続再構成メッセージとを含む。
【０４６６】
本発明のこの実施形態において、端末デバイスは、ビット列またはテーブルのうちの少なくとも1つを使用することによってネットワークデバイスによって送信されたコードブック指示情報を受信し得る。適宜、コードブック指示情報はビット列情報である。
【０４６７】
本発明のこの実施形態において、適宜、コードブックはスパース符号多元接続SCMAコードブックである。さらに、適宜、コードブックに含まれているコードワードの0変調シンボルの数は、非0変調シンボルの数以上である。
【０４６８】
ネットワークデバイスと端末デバイスとの間のやり取り、ネットワークデバイス側から説明されている関係する特徴および機能、ならびに同様のものは、端末デバイス側からの関係する特徴および機能に対応することが理解されるであろう。簡潔にするため、詳細は本明細書では再び説明されない。
【０４６９】
前述のプロセスの順序番号は、本発明の様々な実施形態における実行順序を意味しないことがさらに理解されるであろう。プロセスの実行順序は、プロセスの機能および内部論理に従って決定されるべきであり、本発明の実施形態の実装プロセスに対する制限と解釈されるべきでない。
【０４７０】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０４７１】
前述の説明では、図3から図8を参照しつつ本発明の一実施形態による指示情報伝送方法を詳しく説明している。次の説明では、図9から図15を参照しつつ本発明の一実施形態による指示情報伝送装置を説明している。
【０４７２】
図9は、本発明の情報の一実施形態による指示情報伝送装置500を示している。図9に示されているように、装置500は、
1つまたは複数のコードブックにおいて、第1のダウンリンクデータストリームを端末デバイスに送信するために使用される第1のコードブックを決定するように構成されている第1の決定モジュール510であって、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、第1の決定モジュール510と、
第2のダウンリンクデータストリームを送信するために使用される1つまたは複数の第2のコードブックを決定するように構成されている第2の決定モジュール520であって、第2のダウンリンクデータストリームは第1のダウンリンクデータストリームに対して使用される時間周波数リソースで搬送される第1のダウンリンクデータストリーム以外の1つまたは複数のダウンリンクデータストリームである、第2の決定モジュール520と、
第1の決定モジュール510によって決定された第1のコードブックおよび第2の決定モジュール520によって決定された1つまたは複数の第2のコードブックを示すために使用されるコードブック指示情報を決定するように構成されている第3の決定モジュール530と、
第3の決定モジュール530によって決定されたコードブック指示情報を端末デバイスに送信するように構成されている送信モジュール540とを備える。
【０４７３】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０４７４】
本発明のこの実施形態において、適宜、図10に示されているように、第3の決定モジュール530は、
第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するように構成されている第1の決定ユニット531であって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす、第1の決定ユニット531と、
コードブック指示情報を決定するように構成されている第2の決定ユニット532であって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、第2の決定ユニット532とを備える。
【０４７５】
本発明のこの実施形態において、適宜、第2の決定ユニット532によって決定された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０４７６】
本発明のこの実施形態において、適宜、第2の決定ユニット532によって決定された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０４７７】
本発明のこの実施形態において、適宜、第2の決定ユニット532によって決定された第1の指示情報は、第1のコードブックおよび1つまたは複数の第2のコードブックの変調次数情報を含み、各コードブック集合内の各コードブックは、異なる変調次数を有する。
【０４７８】
図11に示されているように、本発明のこの実施形態において、適宜、第3の決定モジュール530は、
第1のコードブックが属している第1の特徴シーケンスと、1つまたは複数の第2のコードブックが属している1つまたは複数の第2の特徴シーケンスと、第1の特徴シーケンスおよび1つまたは複数の第2の特徴シーケンスが属している第1の特徴行列とを決定するように構成されている第3の決定ユニット533であって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、第3の決定ユニット533と、
コードブック指示情報を決定するように構成されている第4の決定ユニット534であって、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される、第4の決定ユニット534とを備える。
【０４７９】
本発明のこの実施形態において、適宜、第4の決定ユニット534によって決定された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【０４８０】
本発明のこの実施形態において、適宜、第4の決定ユニット534によって決定された第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【０４８１】
本発明のこの実施形態において、適宜、第4の決定ユニット534によって決定された第2の指示情報は、第1のコードブックおよび1つまたは複数の第2のコードブックの変調次数情報を含み、各特徴シーケンスに対応する1つまたは複数のコードブックの各々は、異なる変調次数を有する。
【０４８２】
適宜、本発明のこの実施形態において、送信モジュール540は、ダウンリンクスケジューリングメッセージ、専用上位層制御シグナリング、またはシステムブロードキャストメッセージを端末デバイスに送信するように特に構成され、ダウンリンクスケジューリングメッセージ、専用上位層制御シグナリング、およびシステムブロードキャストメッセージはコードブック指示情報を含む。
【０４８３】
適宜、本発明のこの実施形態において、専用上位層制御シグナリングは、無線リソース制御RRC接続確立メッセージとRRC接続再構成メッセージとを含む。
【０４８４】
本発明のこの実施形態において、適宜、第3の決定モジュール530によって決定されたコードブック指示情報はビット列情報である。
【０４８５】
本発明のこの実施形態において、適宜、コードブックはスパース符号多元接続SCMAコードブックである。
【０４８６】
本発明のこの実施形態において、適宜、コードブックに含まれているコードワードの0変調シンボルの数は、非0変調シンボルの数以上である。
【０４８７】
本発明のこの実施形態において、適宜、装置500は、ネットワークデバイスである。
【０４８８】
本発明のこの実施形態による装置500は、本発明の方法実施形態におけるネットワークデバイスに対応するものとしてよく、装置500内のモジュールの前述および他の動作および/または機能は、図3から図5の方法200における対応する手順を実装するために別々に使用され、簡潔にするため本明細書では詳しく説明されていないことが理解されるであろう。
【０４８９】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０４９０】
前述の説明では、ネットワークデバイス側から図9から図11を参照しつつ本発明の一実施形態による指示情報伝送装置を詳しく説明している。次の説明では、端末デバイス側から図12および図13を参照しつつ本発明の一実施形態による指示情報伝送装置を詳しく説明する。
【０４９１】
図12は、本発明の情報の一実施形態による指示情報伝送装置600を示している。図12に示されているように、装置600は、
ネットワークデバイスによって送信されたコードブック指示情報を受信するように構成されている受信モジュール610であって、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む、受信モジュール610と、
受信モジュール610によって受信されたコードブック指示情報に従って第1のコードブックおよび1つまたは複数の第2のコードブックを決定するように構成されている決定モジュール620と、
第1のコードブックおよび決定モジュール620によって決定された1つまたは複数の第2のコードブックに従って、ネットワークデバイスによって送信された第1のダウンリンクデータストリームを復号するように構成されている復号モジュール630とを備える。
【０４９２】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０４９３】
本発明のこの実施形態において、適宜、図13に示されているように、受信モジュール610によって受信されたコードブック指示情報は、第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、
決定モジュール620は、第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するように構成されている第1の決定ユニット621であって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす、第1の決定ユニット621を備える。
【０４９４】
適宜、本発明のこの実施形態において、受信モジュール610によって受信された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０４９５】
適宜、本発明のこの実施形態において、受信モジュール610によって受信された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０４９６】
適宜、本発明のこの実施形態において、受信モジュール610によって受信された第1の指示情報は、第1のコードブックおよび1つまたは複数の第2のコードブックの変調次数情報を含み、各コードブック集合内の各コードブックは、異なる変調次数を有する。
【０４９７】
図13に示されているように、適宜、本発明のこの実施形態において、受信モジュール610によって受信されたコードブック指示情報は、第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用され、
決定モジュール620は、第1の特徴行列情報、第1の特徴シーケンス情報、および第2の指示情報に従って、第1の特徴行列に含まれる第1の特徴シーケンスに対応する1つまたは複数のコードブックのうちの第1のコードブックと、第1の特徴行列に含まれる1つまたは複数の第2の特徴シーケンスに対応する1つまたは複数のコードブックのうちの1つまたは複数の第2のコードブックとを決定するように構成されている第2の決定ユニット622であって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、第2の決定ユニット622を備える。
【０４９８】
本発明のこの実施形態において、適宜、受信モジュール610によって受信された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【０４９９】
本発明のこの実施形態において、適宜、受信ユニット610によって受信された第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【０５００】
本発明のこの実施形態において、適宜、受信モジュール610によって受信された第2の指示情報は、第1のコードブックおよび1つまたは複数の第2のコードブックの変調次数情報を含み、各特徴シーケンスに対応する1つまたは複数のコードブックの各々は、異なる変調次数を有する。
【０５０１】
適宜、本発明のこの実施形態において、受信モジュール610は、ネットワークデバイスによって送信されたダウンリンクスケジューリングメッセージ、専用上位層制御シグナリング、またはシステムブロードキャストメッセージを受信するように特に構成され、ダウンリンクスケジューリングメッセージ、専用上位層制御シグナリング、およびシステムブロードキャストメッセージはコードブック指示情報を含む。
【０５０２】
適宜、本発明のこの実施形態において、専用上位層制御シグナリングは、無線リソース制御RRC接続確立メッセージとRRC接続再構成メッセージとを含む。
【０５０３】
適宜、本発明のこの実施形態において、受信モジュール610によって受信されたコードブック指示情報はビット列情報である。
【０５０４】
本発明のこの実施形態において、適宜、コードブックはスパース符号多元接続SCMAコードブックである。
【０５０５】
本発明のこの実施形態において、適宜、コードブックに含まれているコードワードの0変調シンボルの数は、非0変調シンボルの数以上である。
【０５０６】
本発明のこの実施形態において、適宜、装置600は、端末デバイスである。
【０５０７】
本発明のこの実施形態による指示情報伝送装置600は、本発明の方法実施形態における端末デバイスに対応するものとしてよく、装置600内のモジュールの前述および他の動作および/または機能は、図6から図8の方法300における対応する手順を実装するために別々に使用され、簡潔にするため本明細書では詳しく説明されていないことが理解されるであろう。
【０５０８】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０５０９】
図14に示されているように、本発明の一実施形態は、指示情報伝送装置800をさらに実現する。装置800は、プロセッサ810、メモリ820、バスシステム830、および送信機840を備える。プロセッサ810、メモリ820、および送信機840は、バスシステム830を使用することによって接続される。メモリ820は、命令を記憶するように構成されている。プロセッサ810は、信号を送信する送信機840を制御するために、メモリ820に記憶されている命令を実行するように構成される。
【０５１０】
プロセッサ810は、
1つまたは複数のコードブックにおいて、第1のダウンリンクデータストリームを端末デバイスに送信するために使用される第1のコードブックを決定するように構成され、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含み、さらに
第2のダウンリンクデータストリームを送信するために使用される1つまたは複数の第2のコードブックを決定するように構成され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに
第1のコードブックおよび1つまたは複数の第2のコードブックを示すために使用されるコードブック指示情報を決定するように構成される。
【０５１１】
送信機840は、コードブック指示情報を端末デバイスに送信するように構成される。
【０５１２】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０５１３】
本発明のこの実施形態において、プロセッサ810は、中央演算処理装置(Central Processing Unit、略して「CPU」)であり得るか、または、プロセッサ810は、別の汎用プロセッサ、デジタルシグナルプロセッサ(DSP)、特定用途向け集積回路(ASIC)、フィールドプログラマブルゲートアレイ(FPGA)、または別のプログラム可能な論理デバイス、ディスクリートゲートもしくはトランジスタ論理素子、ディスクリートハードウェアコンポーネント、または同様のものであってよいことが理解されるであろう。汎用プロセッサは、マイクロプロセッサであるか、またはプロセッサは、任意の従来型のプロセッサまたは同様のものであってよい。
【０５１４】
メモリ820は、リードオンリーメモリとランダムアクセスメモリとを含むものとしてよく、命令とデータとをプロセッサ810に供給する。メモリ820の一部は、不揮発性ランダムアクセスメモリをさらに含み得る。たとえば、メモリ820は、デバイスタイプ情報をさらに記憶し得る。
【０５１５】
バスシステム830は、データバスに加えて電源バス、制御バス、ステータス信号バス、および同様のものを備え得る。しかしながら、説明を明確にするために、図中の様々なタイプのバスはすべてバスシステム830としてマークを付けられている。
【０５１６】
一実装プロセスにおいて、前述の方法のステップは、プロセッサ810内のハードウェアの集積論理回路を使用することによって、またはソフトウェアの形態の命令を使用することによって遂行され得る。本発明の実施形態を参照しつつ開示されている方法のステップは、ハードウェアプロセッサを用いて直接実行され、遂行され得るか、またはプロセッサ内のハードウェアモジュールおよびソフトウェアモジュールの組合せを使用することによって実行され、遂行され得る。ソフトウェアモジュールは、ランダムアクセスメモリ、フラッシュメモリ、リードオンリーメモリ、プログラマブルリードオンリーメモリ、電気的消去可能プログラム可能メモリ、またはレジスタなどの、当技術分野において成熟している記憶媒体内に配置され得る。記憶媒体は、メモリ820内に配置され、プロセッサ810は、メモリ820内の情報を読み取り、プロセッサ810のハードウェアと組み合わせて前述の方法のステップを遂行する。繰り返しを避けるため、詳細は本明細書で再び説明されない。
【０５１７】
適宜、一実施形態において、プロセッサ810によって、第1のコードブックおよび1つまたは複数の第2のコードブックを示すために使用されるコードブック指示情報を決定するステップは、
第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するステップであって、各コードブッククラスタは少なくとも1つのコードブック集合を含み、各コードブック集合は少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす、ステップと、
コードブック指示情報を決定するステップであって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、ステップとを含む。
【０５１８】
適宜、一実施形態において、プロセッサ810によって決定された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０５１９】
適宜、一実施形態において、プロセッサ810によって決定された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０５２０】
適宜、一実施形態において、プロセッサ810によって決定された第1の指示情報は、第1のコードブックおよび1つまたは複数の第2のコードブックの変調次数情報を含み、各コードブック集合内の各コードブックは、異なる変調次数を有する。
【０５２１】
適宜、一実施形態において、プロセッサ810によって、第1のコードブックおよび1つまたは複数の第2のコードブックを示すために使用されるコードブック指示情報を決定するステップは、
第1のコードブックが属している第1の特徴シーケンスと、1つまたは複数の第2のコードブックが属している1つまたは複数の第2の特徴シーケンスと、第1の特徴シーケンスおよび1つまたは複数の第2の特徴シーケンスが属している第1の特徴行列とを決定するステップであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、ステップと、
コードブック指示情報を決定するステップであって、コードブック指示情報は第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用される、ステップとを含む。
【０５２２】
適宜、一実施形態において、プロセッサ810によって決定された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【０５２３】
適宜、一実施形態において、プロセッサ810によって決定された第2の指示情報は、第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【０５２４】
適宜、一実施形態において、プロセッサ810によって決定された第2の指示情報は、第1のコードブックおよび1つまたは複数の第2のコードブックの変調次数情報を含み、各特徴シーケンスに対応する1つまたは複数のコードブックの各々は、異なる変調次数を有する。
【０５２５】
適宜、一実施形態において、送信機840によって、コードブック指示情報を端末デバイスに送信するステップは、
ダウンリンクスケジューリングメッセージ、専用上位層制御シグナリング、またはシステムブロードキャストメッセージを端末デバイスに送信するステップであって、ダウンリンクスケジューリングメッセージ、専用上位層制御シグナリング、およびシステムブロードキャストメッセージはコードブック指示情報を含む、ステップを含む。
【０５２６】
適宜、一実施形態において、専用上位層制御シグナリングは、無線リソース制御RRC接続確立メッセージとRRC接続再構成メッセージとを含む。
【０５２７】
適宜、一実施形態において、プロセッサ810によって決定されたコードブック指示情報はビット列情報である。
【０５２８】
適宜、一実施形態において、コードブックはスパース符号多元接続SCMAコードブックである。
【０５２９】
適宜、一実施形態において、コードブックに含まれているコードワードの0要素の数は、変調シンボルの数以上である。
【０５３０】
適宜、一実施形態において、装置800は、ネットワークデバイスである。
【０５３１】
本発明のこの実施形態による指示情報伝送装置800は、本発明の実施形態におけるネットワークデバイスおよび装置500に対応するものとしてよく、本発明の実施形態による方法を実行するための対応するエンティティに対応するものとしてよく、装置800内のモジュールの前述および他の動作および/または機能は、図3から図5の方法における対応する手順を実装するために別々に使用され、本明細書では簡潔にするために詳しく説明されていないことが理解されるであろう。
【０５３２】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０５３３】
図15に示されているように、本発明の一実施形態は、指示情報伝送装置900をさらに実現する。装置900は、プロセッサ910、メモリ920、バスシステム930、および受信機940を備える。プロセッサ910、メモリ920、および受信機940は、バスシステム930を使用することによって接続される。メモリ920は、命令を記憶するように構成されている。プロセッサ910は、信号を受信する受信機940を制御するために、メモリ920に記憶されている命令を実行するように構成される。
【０５３４】
受信機940は、ネットワークデバイスによって送信されたコードブック指示情報を受信するように構成され、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、少なくとも2つの変調シンボルは少なくとも1つの0変調シンボルと少なくとも1つの非0変調シンボルとを含む。
【０５３５】
プロセッサ910は、コードブック指示情報に従って第1のコードブックおよび1つまたは複数の第2のコードブックを決定し、第1のコードブックおよび1つまたは複数の第2のコードブックに従って、ネットワークデバイスによって送信された第1のダウンリンクデータストリームを復号するように構成されている。
【０５３６】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０５３７】
本発明のこの実施形態において、プロセッサ910は、中央演算処理装置(Central Processing Unit、略して「CPU」)であってよいか、または、プロセッサ910は、別の汎用プロセッサ、デジタルシグナルプロセッサ(DSP)、特定用途向け集積回路(ASIC)、フィールドプログラマブルゲートアレイ(FPGA)、または別のプログラム可能な論理デバイス、ディスクリートゲートもしくはトランジスタ論理素子、ディスクリートハードウェアコンポーネント、または同様のものであってよいことが理解されるであろう。汎用プロセッサは、マイクロプロセッサであるか、またはプロセッサは、任意の従来型のプロセッサまたは同様のものであってよい。
【０５３８】
メモリ920は、リードオンリーメモリとランダムアクセスメモリとを含むものとしてよく、命令とデータとをプロセッサ910に供給する。メモリ920の一部は、不揮発性ランダムアクセスメモリをさらに含み得る。たとえば、メモリ920は、デバイスタイプ情報をさらに記憶し得る。
【０５３９】
バスシステム930は、データバスに加えて電源バス、制御バス、ステータス信号バス、および同様のものを備え得る。しかしながら、説明を明確にするために、図中の様々なタイプのバスはすべてバスシステム930としてマークを付けられている。
【０５４０】
一実装プロセスにおいて、前述の方法のステップは、プロセッサ910内のハードウェアの集積論理回路を使用することによって、またはソフトウェアの形態の命令を使用することによって遂行され得る。本発明の実施形態を参照しつつ開示されている方法のステップは、ハードウェアプロセッサを用いて直接実行され、遂行され得るか、またはプロセッサ内のハードウェアモジュールおよびソフトウェアモジュールの組合せを使用することによって実行され、遂行され得る。ソフトウェアモジュールは、ランダムアクセスメモリ、フラッシュメモリ、リードオンリーメモリ、プログラマブルリードオンリーメモリ、電気的消去可能プログラム可能メモリ、またはレジスタなどの、当技術分野において成熟している記憶媒体内に配置され得る。記憶媒体は、メモリ920内に配置され、プロセッサ910は、メモリ920内の情報を読み取り、プロセッサ910のハードウェアと組み合わせて前述の方法のステップを遂行する。繰り返しを避けるため、詳細は本明細書で再び説明されない。
【０５４１】
適宜、一実施形態において、受信機940によって受信されたコードブック指示情報は、第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、
プロセッサ910によって、コードブック指示情報に従って第1のコードブックおよび1つまたは複数の第2のコードブックを決定するステップは、
第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するステップであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす、ステップを含む。
【０５４２】
適宜、一実施形態において、受信機940によって受信された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０５４３】
適宜、一実施形態において、受信機940によって受信された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０５４４】
適宜、一実施形態において、受信機940によって受信された第1の指示情報は、第1のコードブックおよび1つまたは複数の第2のコードブックの変調次数情報を含み、各コードブック集合内の各コードブックは、異なる変調次数を有する。
【０５４５】
適宜、一実施形態において、受信機940によって受信されたコードブック指示情報は、第1の特徴行列情報、第1の特徴シーケンス情報、および第2の指示情報を含み、第1の特徴行列情報は第1の特徴行列を示すために使用され、第1の特徴シーケンス情報は第1の特徴行列内の第1の特徴シーケンスを示すために使用され、第2の指示情報は第1の特徴シーケンスに対応する1つまたは複数のコードブックのうちの第1のコードブックを示すために使用され、第2の指示情報は第1の特徴行列内の1つまたは複数の第2の特徴シーケンスおよび1つまたは複数の第2の特徴シーケンスに対応する1つまたは複数のコードブックのうちの1つまたは複数の第2のコードブックを示すためにさらに使用され、
プロセッサ910によって、コードブック指示情報に従って第1のコードブックおよび1つまたは複数の第2のコードブックを決定するステップは、
第1の特徴行列情報、第1の特徴シーケンス情報、および第2の指示情報に従って、第1の特徴行列に含まれる第1の特徴シーケンスに対応する1つまたは複数のコードブックのうちの第1のコードブックと、第1の特徴行列に含まれる1つまたは複数の第2の特徴シーケンスに対応する1つまたは複数のコードブックのうちの1つまたは複数の第2のコードブックとを決定するステップであって、各特徴行列は2つ以上の特徴シーケンスからなり、各特徴シーケンスは1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する、ステップを含む。
【０５４６】
適宜、一実施形態において、受信機940によって受信された第2の指示情報は、第3のコードブック情報、第2の特徴シーケンス情報、および第4のコードブック情報を含み、第3のコードブック情報は第1の特徴シーケンスに対応する1つまたは複数のコードブックのうちの第1のコードブックを示すために使用され、第2の特徴シーケンス情報は、第1の特徴行列内の1つまたは複数の第2の特徴シーケンスを示すために使用され、第4のコードブック情報は、1つまたは複数の第2の特徴シーケンスに対応する1つまたは複数のコードブックのうちの1つまたは複数の第2のコードブックを示すために使用される。
【０５４７】
適宜、一実施形態において、受信機940によって受信された第2の指示情報は第1の特徴行列内のすべての特徴シーケンスと一対一対応関係にあるビット列情報のM個のグループを含み、ビット列情報の各グループは対応する特徴シーケンスが第1の特徴シーケンスまたは1つまたは複数の第2の特徴シーケンスに属しているかどうかを示すために使用され、ビット列情報の各グループに対応する特徴シーケンスが第1の特徴シーケンスまたは1つまたは複数の第2の特徴シーケンスに属しているときに、ビット列情報の各グループは第1のコードブックまたは対応する特徴シーケンスに対応する1つまたは複数のコードブックのうちの1つまたは複数の第2のコードブックを示すためにさらに使用され、Mは第1の特徴行列に含まれる特徴シーケンスの数である。
【０５４８】
適宜、一実施形態において、受信機940によって受信された第2の指示情報は、第1のコードブックおよび1つまたは複数の第2のコードブックの変調次数情報を含み、各特徴シーケンスに対応する1つまたは複数のコードブックの各々は、異なる変調次数を有する。
【０５４９】
適宜、一実施形態において、受信機940によって、ネットワークデバイスによって送信されたコードブック指示情報を受信するステップは、
ダウンリンクスケジューリングメッセージ、専用上位層制御シグナリング、またはネットワークデバイスによって送信されたシステムブロードキャストメッセージを受信するステップであって、ダウンリンクスケジューリングメッセージ、専用上位層制御シグナリング、およびシステムブロードキャストメッセージはコードブック指示情報を含む、ステップを含む。
【０５５０】
適宜、一実施形態において、専用上位層制御シグナリングは、無線リソース制御RRC接続確立メッセージとRRC接続再構成メッセージとを含む。
【０５５１】
適宜、一実施形態において、受信機940によって受信されたコードブック指示情報はビット列情報である。
【０５５２】
適宜、一実施形態において、コードブックはスパース符号多元接続SCMAコードブックである。
【０５５３】
適宜、一実施形態において、コードブックに含まれているコードワードの0変調シンボルの数は、非0変調シンボルの数以上である。
【０５５４】
適宜、一実施形態において、装置900は、端末デバイスである。
【０５５５】
本発明のこの実施形態による指示情報伝送装置900は、本発明の実施形態における端末デバイスおよび装置600に対応するものとしてよく、本発明の実施形態による方法を実行するための対応するエンティティに対応するものとしてよく、装置900内のモジュールの前述および他の動作および/または機能は、図6から図8の方法における対応する手順を実装するために別々に使用され、本明細書では簡潔にするために詳しく説明されていないことが理解されるであろう。
【０５５６】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０５５７】
コードブック集合を包括的に説明するために、本明細書では、前述の実施形態におけるコードブック集合は、次のようにさらに説明される。前述の説明では、図1から図15を参照しつつ、コードブック集合が次のような特徴を有する場合の指示情報伝送方法および装置を説明している。コードブック集合は、同じコードブック集合内のコードワードが同じ総数の変調シンボルを有し、同じコードブック集合のうちの任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たす。説明のこの段落では、特許出願第PCT/CN2014/094539号の優先権を主張するものとしてよい。
【０５５８】
本発明の一実施形態において、複数のコードブックが、代替的に、別の特徴を有する1つまたは複数のコードブック集合に分割されるものとしてよく、また各コードブック集合は、1つまたは複数のコードブックも含み得る。たとえば、コードブック集合は、次のような特徴を有し得る。コードブック集合は同じコードブック集合内のコードワードが同じ総数の変調シンボルを有し、同じコードブック集合内のコードブックが同じ総数のコードワードを有するという条件を満たす。代替的に、これは次のように理解され得る。コードブック集合内の各コードワードは、同じ長さを有し、コードブック集合内の各コードブックは、同じ個数のコードワードを有する。したがって、次の説明では、図16から図22を参照しつつ、コードブック集合が前述の特徴を有する場合の指示情報伝送方法および装置を詳しく、さらに説明している。
【０５５９】
本発明の一実施形態において、図3に示されている指示情報伝送方法200は、たとえば、非直交多元接続システムにおいてネットワークデバイスによって実行され得る。ネットワークデバイスは、たとえば、基地局である。方法200は、次のステップを含み得る。
【０５６０】
S210:1つまたは複数のコードブックにおいて、第1のダウンリンクデータストリームを端末デバイスに送信するために使用される第1のコードブックを決定し、コードブックは2つ以上のコードワードからなり、コードワードは多次元複素ベクトルであり、データと少なくとも2つの変調シンボルとの間のマッピング関係を示すために使用され、マッピング関係は、直接マッピング関係であってよく、直接マッピング関係は、中間変調シンボルを取得する必要がないものと理解されてよく、少なくとも2つの変調シンボルは少なくとも1つの0変調シンボルと少なくとも1つの非0変調シンボルとを含む。
【０５６１】
S220:第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームである。
【０５６２】
S230:第1のコードブックおよび1つまたは複数の第2のコードブックを示すために使用されるコードブック指示情報を決定する。
【０５６３】
S240:コードブック指示情報を端末デバイスに送信する。
【０５６４】
特に、SCMAシステムなどの非直交多元接続システムでは、ネットワークデバイスは、各端末デバイスによって受信されるべき1つまたは複数のダウンリンクデータストリームに対してコードブックを割り振るか、または指定する。ネットワークデバイスによって端末デバイスに送信されたダウンリンクデータストリームを正しく受信するか、または復号するために、端末デバイスは、ダウンリンクデータストリームを送信するためにネットワークデバイスによって使用されるコードブック、およびダウンリンクデータストリームを送信するためにネットワークデバイスによって使用される時間周波数リソース上で別のダウンリンクデータストリームを送信するためにネットワークデバイスによって使用される1つまたは複数のコードブックを学習する必要がある。
【０５６５】
したがって、ネットワークデバイスは、第1のコードブックおよび1つまたは複数の第2のコードブックを決定し、第1のコードブックおよび1つまたは複数の第2のコードブックを示すために使用されるコードブック指示情報を決定するものとしてよい。第1のコードブックは、第1のダウンリンクデータストリームを端末デバイスに送信するためにネットワークデバイスによって使用されるコードブックである。1つまたは複数の第2のコードブックは、第2のダウンリンクデータストリームを別の端末デバイスに送信するためにネットワークデバイスによって使用される1つまたは複数のコードブックである。第2のダウンリンクデータストリームは第1のダウンリンクデータストリームに対して使用される時間周波数リソースで搬送される第1のダウンリンクデータストリーム以外の1つまたは複数のダウンリンクデータストリームである。さらに、ネットワークデバイスは、コードブック指示情報を端末デバイスに送信し得る。コードブック指示情報は、第1のダウンリンクデータストリームを受信するために端末デバイスによって使用される第1のコードブック、および1つまたは複数の第2のコードブックを示すために使用される。
【０５６６】
ネットワークデバイスによって送信されたコードブック指示情報を受信した後、端末デバイスは、コードブック指示情報に従って、第1のダウンリンクデータストリームを送信するためにネットワークデバイスによって使用される第1のコードブックと、ダウンリンクデータストリームを送信するためにネットワークデバイスによって使用される同じ時間周波数リソース上で別のダウンリンクデータストリームを送信するためにネットワークデバイスによって使用される1つまたは複数の第2のコードブックとを決定し得る。このようにして、端末デバイスは、第1のコードブックおよび1つまたは複数の第2のコードブックに従って、ネットワークデバイスによって送信された第1のダウンリンクデータストリームを受信するか、または復号することができる。したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムのネットワーク容量は、効果的に改善され得る。
【０５６７】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０５６８】
本発明のこの実施形態において、非直交多元接続技術により、コードブックを使用することによって同じリソースユニット上で複数の異なるデータストリームが伝送される、すなわち、同じリソースユニット上で複数の異なるデータストリームが多重化される。異なるデータストリームに対して異なるコードブックが使用される。したがって、リソースの利用が改善される。データストリームは、同じ端末デバイスからでも異なる端末デバイスからでもよい。
【０５６９】
コードワードは、多次元複素ベクトルによって表現され得る。複素ベクトルは、2つ以上の次元を有するものとしてよく、データと2つ以上の変調シンボルとの間のマッピング関係を示すために使用される。変調シンボルは、少なくとも1つの0変調シンボルと少なくとも1つの非0変調シンボルとを含む。データは、バイナリビットデータまたは多変量データであってよい。コードブックは、2つ以上のコードワードからなるものとしてよい。コードブックは、特定の長さのデータの可能なデータの組合せとコードブック内のコードワードとの間のマッピング関係を示し得る。
【０５７０】
したがって、非直交多元接続技術により、データストリーム内のデータは、特定のマッピング関係に従ってコードワード、すなわち、多次元複素ベクトルに直接マッピングされ、それにより、データは拡張され、複数のリソースユニット上で送信される。データは、バイナリビットデータまたは多変量データであってよい。リソースユニットは、時間領域、周波数領域、空間領域、時間周波数領域、時間空間領域、または時間周波数空間領域のリソースユニットであってよい。
【０５７１】
本発明のこの実施形態において、コードブックは2つ以上のコードワードからなり、コードワードは多次元複素ベクトルであり、データと少なくとも2つの変調シンボルとの間のマッピング関係を示すために使用され、マッピング関係は、直接マッピング関係であってよく、少なくとも2つの変調シンボルは少なくとも1つの0変調シンボルと少なくとも1つの非0変調シンボルとを含む。各特徴行列は2つ以上の特徴シーケンスからなり、各特徴行列は1つまたは複数のコードブックに対応し、各特徴シーケンスも1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０５７２】
本発明のこの実施形態において、複数のコードブックは、1つまたは複数のコードブッククラスタに分割されるものとしてよく、各コードブッククラスタは1つまたは複数のコードブックを含むものとしてよく、同じコードブッククラスタ内の任意の2つのコードブック、たとえば、コードブックaおよびコードブックbは、次のような特徴を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードの長さが同じであり、データストリームが多重化されるリソースユニットの数が同じであるという条件を満たす。
【０５７３】
本発明の一実施形態において、複数のコードブックが、代替的に、別の特徴を有する1つまたは複数のコードブック集合に分割されるものとしてよく、また各コードブック集合は、1つまたは複数のコードブックも含み得る。たとえば、コードブック集合は、次のような特徴を有し得る。コードブック集合は同じコードブック集合内のコードワードが同じ総数の変調シンボルを有し、同じコードブック集合内のコードブックが同じ総数のコードワードを有するという条件を満たす。代替的に、これは次のように理解され得る。コードブック集合内の各コードワードは、同じ長さを有し、コードブック集合内の各コードブックは、同じ個数のコードワードを有する。
【０５７４】
なおも説明の一例として図2を使用して、変調次数がQPSKまたは4次変調であると仮定されている。次いで、図2のデータストリーム1に使用されるコードブックは、コードブック1として表されるものとしてよく、データストリーム3に使用されるコードブックは、コードブック3として表されるものとしてよく、コードブック1およびコードブック3は、それぞれ、次のように表され得る。
コードブック1:
【０５７５】
【数６３】
0006517347.tif 000066
【０５７６】
およびコードブック3:
【０５７７】
【数６４】
0006517347.tif 000067
【０５７８】
en,q=α*exp(j*β)、n∈{2,4}、1≦q≦4、αおよびβは任意の実数であってよく、任意のqについて、1≦q≦4、e2,qおよびe4,qは同時にゼロでなく、
【０５７９】
【数６５】
0006517347.tif 000068
【０５８０】
および
【０５８１】
【数６６】
0006517347.tif 000069
【０５８２】
1≦q1≦4および1≦q2≦4という条件を満たす少なくともq1およびq2がある。
【０５８３】
コードブック1は、4つのコードワードを有し、各コードワードは、4つの変調シンボルを有する。すなわち、コードブック1のコードワードの総数は4であり、コードブック1内の各コードワードの変調シンボルの総数は、4である。同様に、コードブック3のコードワードの総数は4であり、コードブック3内の各コードワードの変調シンボルの総数は、4である。したがって、前述の特徴に従って分割を通してコードブック集合が取得される場合、コードブック1およびコードブック3は、同じコードブック集合に属すものとしてよい。
【０５８４】
したがって、本発明のこの実施形態において、複数のコードブックは、代替的に、1つまたは複数のコードブック集合に分割されるものとしてよく、各コードブック集合は1つまたは複数のコードブックを含むものとしてよく、同じコードブック集合内の任意の2つのコードブック、たとえば、コードブックcおよびコードブックdは、次のような特徴を有する。(1)コードブックc内のコードワードおよびコードブックd内のコードワードは、同じ総数の変調シンボルを有する。(2)コードブックc内のコードワードの数は、コードブックd内のコードワードの数と同じである、すなわち、コードブック集合内のコードブックは同じ総数のコードワードを有する。
【０５８５】
本発明のこの実施形態において、「コードワードの変調シンボルの総数」は、コードワードに含まれている変調シンボルの数を意味することが理解されるであろう。したがって、本発明のこの実施形態において、「コードブックのコードワードの総数」は、コードブックに含まれているコードワードの数を意味する。たとえば、前述のコードブック2は、4つのコードワードを有し、コードワード1は、4つの変調シンボルを有する。したがって、コードブック2のコードワードの総数は、4であり、コードブック2内の各コードワード1の変調シンボルの総数は、4である。コードブック2およびコードワード1は、それぞれ、次のように表され得る。
コードブック2:
【０５８６】
【数６７】
0006517347.tif 000070
【０５８７】
およびコードワード1:
【０５８８】
【数６８】
0006517347.tif 000071
【０５８９】
本発明のこの実施形態において、各コードブッククラスタは1つまたは複数のコードブック集合を含み、各コードブック集合は1つまたは複数のコードブックを含み、各コードブックは2つ以上のコードワードからなり、各コードブッククラスタは同じコードブッククラスタ内のコードワードが同じ総数の変調シンボルを有するという条件を満たし、各コードブック集合は同じコードブック集合内のコードワードが同じ総数の変調シンボルを有し、同じコードブック集合内のコードブックが同じ総数のコードワードを有するという条件を満たす。
【０５９０】
本発明のこの実施形態において、適宜、第1のコードブックおよび1つまたは複数の第2のコードブックを示すために使用されるコードブック指示情報を決定するステップは、
第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するステップであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップと、
コードブック指示情報を決定するステップであって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、ステップとを含む。
【０５９１】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、各コードブック集合は1つの変調次数に対応するものとしてよく、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する。コードブックa内のコードワードの数は、コードブックb内のコードワードの数と同じである、すなわち、コードブック集合内のコードブックは同じ総数のコードワードを有する。すなわち、コードブック集合は同じコードブック集合内のコードワードが同じ総数の変調シンボルを有し、同じコードブック集合内のコードブックが同じ総数のコードワードを有するという条件を満たす。
【０５９２】
前述の方式で分割を通じて取得された1つまたは複数のコードブック集合は、1つまたは複数のコードブッククラスタにさらに分割されるものとしてよく、各コードブッククラスタは1つまたは複数のコードブック集合からなり、同じコードブッククラスタ内の任意の2つのコードブック集合、たとえば、コードブック集合Aおよびコードブック集合Bは、次のような特徴を有する。コードブック集合A内のコードワードおよびコードブック集合B内のコードワードは、同じ総数の変調シンボルを有する、すなわち、すべてのコードワードの長さは同じであり、データストリームが多重化されるリソースユニットの数は同じである。すなわち、コードブッククラスタは同じコードブッククラスタ内のコードワードが同じ総数の変調シンボルを有するという条件を満たす。
【０５９３】
本発明のこの実施形態において、ネットワークデバイスは、同じコードブッククラスタ内で、第1のダウンリンクデータストリームを送信するために使用される第1のコードブックおよび第2のダウンリンクデータストリームを送信するために使用される1つまたは複数の第2のコードブックを割り振る。第1のコードブックおよび1つまたは複数の第2のコードブックをユーザ機器に示すために、ネットワークデバイスは、第1のコードブックが属している第1のコードブック集合、1つまたは複数の第2のコードブックが属している1つまたは複数の第2のコードブック集合、ならびに第1のコードブック集合および1つまたは複数の第2のコードブック集合が属している第1のコードブッククラスタを決定する。このようにして、ネットワークデバイスは、第1のコードブックおよび1つまたは複数の第2のコードブックを示すために使用されるコードブック指示情報が第1のコードブッククラスタ情報、第1のコードブック集合情報、および第1の指示情報を含み得ると決定する。たとえば、コードブック指示情報は、3つの論理情報セグメントからなるものとしてよい。論理情報セグメント1は、端末デバイスに、第1のダウンリンクデータストリームおよび第2のダウンリンクデータストリームを送信するために使用される第1のコードブッククラスタを示すための、第1のコードブッククラスタ情報を搬送し得る。論理情報セグメント2は、端末デバイスに、第1のコードブッククラスタ内の第1のダウンリンクデータストリームを送信するために使用される第1のコードブック集合を示すための、第1のコードブック集合情報を搬送し得る。論理情報セグメント3は、第1の指示情報を搬送し得る。第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される。
【０５９４】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０５９５】
したがって、端末デバイスが命令、またはコードブック指示情報を搬送するメッセージを受信した後、たとえば、論理情報セグメント1に従って、端末デバイスは、ネットワークデバイスが第1のダウンリンクデータストリームおよび第2のダウンリンクデータストリームを送信するためにどのコードブッククラスタ内のコードブックを使用するかを学習し得る。論理情報セグメント2に従って、端末デバイスは、ネットワークデバイスが第1のダウンリンクデータストリームを送信するために論理情報セグメント1によって示されているコードブッククラスタ内のどのコードブック集合内のコードブックを使用するかを学習し得る。論理情報セグメント3に従って、端末デバイスは、ネットワークデバイスが第1のダウンリンクデータストリームを送信するために論理情報セグメント2によって示されているコードブック集合内のどのコードブックを使用するかを学習し得る。それに加えて、端末デバイスは、ネットワークデバイスが論理情報セグメント1によって示されるコードブッククラスタ内のどのコードブック集合を使用するか、および第2のダウンリンクデータストリームを送信するためにコードブック集合内のどのコードブックを使用するかをさらに学習し得る。
【０５９６】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０５９７】
本発明のこの実施形態において、ネットワークデバイスは、第1のコードブック集合内の第1のコードブックを端末デバイスに対して示し、第1のコードブッククラスタ内の1つまたは複数の第2のコードブック集合および1つまたは複数の第2のコードブック集合内の1つまたは複数の第2のコードブックを端末デバイスに対して示すために複数の方式を使用し得る。次に、別々に説明を行う。
【０５９８】
適宜、本発明のこの実施形態において、第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０５９９】
特に、本発明のこの実施形態において、たとえば、第1の指示情報を搬送する論理情報セグメント3は、3つの論理情報サブセグメント、すなわち、論理情報サブセグメント1、論理情報サブセグメント2、および論理情報サブセグメント3をさらに含み得る。論理情報サブセグメント1は、第1のコードブック集合内の第1のコードブックを示すために第1のコードブック情報を搬送し得る。論理情報サブセグメント2は、第1のコードブッククラスタ内の1つまたは複数の第2のコードブック集合を示すために第2のコードブック集合情報を搬送し得る。論理情報サブセグメント3は、1つまたは複数の第2のコードブック集合内の1つまたは複数の第2のコードブックを示すために第2のコードブック情報を搬送し得る。
【０６００】
本発明のこの実施形態は、第1の指示情報が第1のコードブック情報、第2のコードブック集合情報、および第2のコードブック情報を含む一例のみを使用することによって説明されているが、本発明それはそれに限定されないことが理解されるであろう。
【０６０１】
適宜、本発明のこの実施形態において、第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０６０２】
本発明のこの実施形態において、論理情報セグメントがインデックス値を示す場合、関係する情報の間の矛盾のないインデックス関係、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するコードブッククラスタ、コードブック集合、およびコードブックを一意に決定することができることが理解されるであろう。
【０６０３】
本発明のこの実施形態は、一例として前述の解決方法のみを使用することによって説明されているが、本発明は、それに限定されないことがさらに理解されるであろう。本発明のこの実施形態に基づき、別の方法は、第1のコードブック集合内の第1のコードブック、1つまたは複数の第2のコードブック集合、および1つまたは複数の第2のコードブックを示すために使用され得る。それに加えて、本発明のこの実施形態に基づき、第1のコードブックおよび1つまたは複数の第2のコードブックを示すために別の方法が使用され得る。
【０６０４】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６０５】
次に、図16および図17を参照しつつ本発明のこの実施形態によるコードブック指示情報を決定するための方法220について詳しく説明する。
【０６０６】
図16に示されているように、本発明のこの実施形態において、適宜、第1のコードブックおよび1つまたは複数の第2のコードブックを示すために使用されるコードブック指示情報を決定するステップは、次のステップを含む。
【０６０７】
S235:第1のモードと第1のデータストリームおよび第2のデータストリームが属している複数の端末デバイスにおける端末デバイスのランクとを決定し、第1のモードは、第1のコードブックおよび1つまたは複数の第2のコードブックが属している第3のコードブック集合、ならびに複数の端末デバイスへの第3のコードブック集合内のコードブックの割り振りに関する情報を示すために使用され、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす。
【０６０８】
S236:コードブック指示情報を決定し、コードブック指示情報は第1のモード情報および第1の端末デバイスランク情報を含み、第1のモード情報は第1のモードを示すために使用され、第1の端末デバイスランク情報は複数の端末デバイスにおける端末デバイスのランクを示すために使用される。
【０６０９】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する、すなわち、コードブックa内のコードワードおよびコードブックb内のコードワードは、同じ長さを有し、データストリームが多重化されるリソースユニットの数は、同じである。さらに、コードブックa内のコードワードの数は、コードブックb内のコードワードの数と同じである、すなわち、コードブック集合内のコードブックは同じ総数のコードワードを有する。したがって、本発明のこの実施形態において、コードブック集合内のコードブックは、同じ数のコードワードを有する。コードワードの数は、変調次数と称され得る。確かに、当業者であれば、変調次数に別の名前を付けることができる。したがって、本発明のこの実施形態におけるコードブック集合は、変調次数を有するコードブックからなることが理解され得る。さらに、コードブックのコードワードは、同じ長さを有する。
【０６１０】
本発明のこの実施形態において、ネットワークデバイスおよび端末デバイスは、様々な事前設計されたモードをさらに記憶し得る。一態様において、各モードは、第1のダウンリンクデータストリームおよび第2のダウンリンクデータストリームを端末デバイスに送信するためにネットワークデバイスによって使用される同じコードブック集合を示す。すなわち、本発明のこの実施形態において、第1のコードブックおよび1つまたは複数の第2のコードブックは、同じコードブック集合に属す。別の態様において、各モードは、複数の端末デバイスへのコードブック集合内のコードブックの割り振りに関する情報をさらに示す。すなわち、各モードは、ランクに従って配置構成されている各端末デバイスにダウンリンクデータストリームを送信するためにそれぞれ使用されるコードブックに関する情報をさらに示し得る。コードブック情報は、たとえば、コードブック集合内のコードブックの数情報であってよい。
【０６１１】
第1の端末デバイスランク情報と各モードによって示され、複数の端末デバイスへのコードブックの割り振りに関するものである情報の配置構成順序との間に対応関係が存在することは理解されるであろう。たとえば、コードブック割り振り情報のうちの第1のコードブック情報部分は、第1の端末デバイスに対応する、すなわち、第1のコードブック情報部分は、第1を端末デバイスによって使用されるコードブック情報である。
【０６１２】
たとえば、ダウンリンクデータストリームを送信するためにネットワークデバイスによって使用されるコードブック集合は、6つのコードブックを含むと仮定すると、ネットワークデバイスおよび端末デバイスによって記憶され、モードを示すために使用されるフォームは、Table 3(表3)に示されているものである。
【０６１３】
【表３】
0006517347.tif 000072
【０６１４】
Table 3(表3)に示されているように、モード0は、ネットワークデバイスがダウンリンクデータストリームを3つの端末デバイスに送信し、コードブック集合0を使用することを示し得る。第1の端末デバイスは、番号がコードブック集合0内で0および2であるコードブックを使用する。第2の端末デバイスは、番号がコードブック集合0内で3であるコードブックを使用する。第3の端末デバイスは、番号がコードブック集合0内で1、4、および5であるコードブックを使用する。モード1は、ネットワークデバイスがダウンリンクデータストリームを4つの端末デバイスに送信し、コードブック集合0を使用することを示し得る。第1の端末デバイスは、番号がコードブック集合0内で1および2であるコードブックを使用する。第2の端末デバイスは、番号がコードブック集合0内で0および4であるコードブックを使用する。第3の端末デバイスは、番号がコードブック集合0内で3であるコードブックを使用する。第4の端末デバイスは、番号がコードブック集合0内で5であるコードブックを使用する。
【０６１５】
本発明のこの実施形態において、コードブック割り振り情報は、端末デバイスの数を示すためにさらに使用され得ることが理解されるであろう。端末デバイスの数は、データ伝送時の端末デバイスの実際の数であり得るか、または端末デバイスの、システムによってサポートされ得る、最大数であり得る。
【０６１６】
したがって、本発明のこの実施形態において、ネットワークデバイスによって決定され、第1のコードブックおよび1つまたは複数の第2のコードブックを示すために使用されるコードブック指示情報は、第1のモード情報および第1の端末デバイスランク情報を含み得る。論理情報セグメント1は、第1のモードを示すための第1のモード情報を搬送し得る。論理情報セグメント2は、複数の端末デバイスにおける端末デバイスのランクを示すための第1の端末デバイスランク情報を搬送し得る。
【０６１７】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０６１８】
したがって、端末デバイスが命令、またはコードブック指示情報を搬送するメッセージを受信した後、たとえば、端末デバイスは、論理情報セグメント1に従って、ネットワークデバイスがダウンリンクデータストリームを送信するためにどのモードを使用するかを学習し得る。このようにして、端末デバイスは、ダウンリンクデータストリームおよびコードブック集合内のコードブックの割り振りに関する情報を複数の端末デバイスに送信するためにネットワークデバイスによって使用されるコードブック集合を学習し得る。さらに、端末デバイスは、論理情報セグメント2に従って端末デバイスのランク情報を学習し得る。したがって、端末デバイスは、第1のダウンリンクデータストリームを端末デバイスに送信するためにネットワークデバイスによって使用される第1のコードブックを決定することができ、端末デバイスは、第2のダウンリンクデータストリームを別の端末デバイスに送信するためにネットワークデバイスによって使用される1つまたは複数の第2のコードブックも決定することができ、それにより、端末デバイスは、同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６１９】
なおもTable 3(表3)に示されているモードを一例として使用し、ネットワークデバイスはモード0を使用してダウンリンクデータストリームを送信し、3つの端末デバイスにおいて第1のダウンリンクデータストリームを受信する端末デバイスのランクが2位であると決定すると仮定される。次いで、ネットワークデバイスは、端末デバイスのモード0およびランク情報のみを端末デバイスに示すことを必要とする。端末デバイスは、受信されたコードブック指示情報に従って、ネットワークデバイスがコードブック集合0を使用してダウンリンクデータストリームを送信することを学習するものとしてよく、端末デバイスは、番号がコードブック集合0で3であるコードブックが第1のコードブックであり、他のコードブックが第2のコードブックであることを学習し得る。このようにして、端末デバイスは、ネットワークデバイスによって端末デバイスに送信された第1のダウンリンクデータストリームを復号することができる。
【０６２０】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６２１】
本発明のこの実施形態において、端末デバイスは、第1のダウンリンクデータストリームを端末デバイスに送信するためにネットワークデバイスによって使用される第1のコードブックと、第1のデータストリームを搬送する同じ時間周波数リソース上にあり、他のダウンリンクデータストリームを送信するために使用される1つまたは複数の第2のコードブックのみを学習することを必要とし、1つまたは複数の第2のコードブックがそれぞれどの端末デバイスに対応するかを特に学習することを必要とし得ない、すなわち、ダウンリンクデータストリームを他の端末デバイスの各々に送信するためにネットワークデバイスによって使用されるコードブックを学習することを必要とし得ないことは理解されるであろう。
【０６２２】
本発明のこの実施形態において、論理情報セグメントがインデックス値を示す場合、関係する情報の間の矛盾のないインデックス関係、たとえば、モードインデックス値とモードとの間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するモード、コードブック集合、およびコードブックを一意に決定することができることがさらに理解されるであろう。
【０６２３】
本発明のこの実施形態において、ネットワークデバイスおよび端末デバイスは、複数の方法を使用することによってコードブックを事前記憶しておいてよいが、次の2つの条件が満たされる必要があることもさらに理解されるであろう。第一に、ネットワークデバイスおよび端末デバイスは、記憶されているコードブックに従って、コーディングユニットに含まれる一定数のリソースユニットまたはサブキャリアまたはリソース要素を学習し得る。第二に、ネットワークデバイスおよび端末デバイスは、記憶されているコードブックに従って、端末デバイスがコーディングユニットのどのリソースユニットまたはサブキャリアまたはリソース要素上でどの非0変調シンボルを送信するかを学習し得る。
【０６２４】
前述の記憶条件を満たす単純で直接的な方法は、コードワードのすべての0変調シンボルおよび非0変調シンボルを記憶するステップを含む、前述の形式でコードブックを記憶することである。
【０６２５】
【数６９】
0006517347.tif 000073
【０６２６】
たとえば、変調次数が4次変調であるときに、図2の可変ノード3によって使用されるコードブックは、次のように記憶され得る。
【０６２７】
【数７０】
0006517347.tif 000074
【０６２８】
コードブックが前述の方式で記憶された後、コードワード内の0変調シンボルおよび非0変調シンボルの総数は、コーディングユニットに含まれるリソースユニットまたはサブキャリアまたはリソース要素の数であり、非0変調シンボルのロケーションおよび値は、端末デバイスがコーディングユニットの対応するロケーションにおけるリソースユニットまたはサブキャリアまたはリソース要素上で対応する値を有する非0変調シンボルを送信することを示す。たとえば、図2の可変ノード3に対するコードブックが使用されるときに、端末デバイスは、コーディングユニットの第1のリソースユニットまたはサブキャリアまたはリソース要素上で変調シンボルc1,qを送信し、端末デバイスは、第2のリソースユニットまたはサブキャリアまたはリソース要素上で変調シンボルc2,qを送信し、端末デバイスは、第3および第4のリソースユニットまたはサブキャリアまたはリソース要素上で0変調シンボルを送信する。cn,q=α*exp(j*β)、1≦n≦2、1≦q≦4、αおよびβは任意の実数であってよく、任意のqについて、1≦q≦4、c1,qおよびc2,qは同時にゼロでなく、
【０６２９】
【数７１】
0006517347.tif 000075
【０６３０】
および
【０６３１】
【数７２】
0006517347.tif 000076
【０６３２】
1≦q1≦4および1≦q2≦4という条件を満たす少なくともq1およびq2がある。
【０６３３】
本発明のこの実施形態は、前述のモードのみを一例として使用することによって説明されていることが理解されるであろう。モードは、ダウンリンクデータストリームを複数の端末デバイスに送信するため、およびコードブック集合内のコードブックの割り振りに関する情報を複数の端末デバイスに送信するためにネットワークデバイスによって使用される同じコードブック集合を示すために使用される。しかし、本発明は、それに限定されない。たとえば、モードは、コードブック集合が属しているコードブッククラスタを示すためにさらに使用され得る。
【０６３４】
本発明のこの実施形態は、コードブック指示情報が第1のモード情報および第1の端末デバイスランク情報を含む一例のみを使用することによって説明されているが、本発明それはそれに限定されないことが理解されるであろう。たとえば、ネットワークデバイスおよび端末デバイスが両方とも、既定により固定モードを使用してデータを送信するときに、コードブック指示情報は、第1の端末デバイスランク情報のみを含み得る。
【０６３５】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６３６】
前述の説明では、図16を参照しつつ、ネットワークデバイスが同じコードブック集合内のコードブックを使用してダウンリンクデータストリームを端末デバイスに送信する場合について説明している。本発明のこの実施形態において、ネットワークデバイスは、代替的に、異なるコードブック集合内のコードブックを使用してダウンリンクデータストリームを端末デバイスに送信し得る。次に、図17を参照しつつ説明を行う。
【０６３７】
図17は、本発明のこの実施形態によりコードブック指示情報を決定するための方法230のさらに別の概略フローチャートである。図17に示されているように、本発明のこの実施形態において、適宜、第1のコードブックおよび1つまたは複数の第2のコードブックを示すために使用されるコードブック指示情報を決定するステップは、次のステップを含む。
【０６３８】
S237:第2のモードと、第1のデータストリームおよび第2のデータストリームが属している複数の端末デバイスにおける端末デバイスのランクと、複数の端末デバイスの各々によって使用されるコードブック集合とを決定し、第2のモードは、第1のコードブックおよび1つまたは複数の第2のコードブックが属している第2の特徴行列、ならびに複数の端末デバイスへの第2の特徴行列内の特徴シーケンスの割り振りに関する情報を示すために使用され、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する。
【０６３９】
S238:コードブック指示情報を決定し、コードブック指示情報は第2のモード情報と、第2の端末デバイスランク情報と、第3のコードブック集合情報とを含み、第2のモード情報は第2のモードを示すために使用され、第2の端末デバイスランク情報は複数の端末デバイスにおける端末デバイスのランクを示すために使用され、第3のコードブック集合情報は各端末デバイスによって使用され、第2の特徴行列に対応するコードブック集合を示すために使用される。
【０６４０】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する、すなわち、コードブックa内のコードワードおよびコードブックb内のコードワードは同じ長さを有し、データストリームが多重化されるリソースユニットの数は同じである。さらに、コードブックa内のコードワードの数は、コードブックb内のコードワードの数と同じである、すなわち、コードブック集合内のコードブックは同じ総数のコードワードを有する。したがって、本発明のこの実施形態において、コードブック集合は、変調次数を有するコードブックからなり、コードブックのコードワードは、同じ長さを有する。
【０６４１】
コードブック集合が前述の方式で分割を通して取得された後、1つのコードブック集合は、1つの特徴行列に一意に対応し得る。1つの特徴行列は、1つまたは複数のコードブック集合に対応するものとしてよく、各コードブック集合は、1つの変調次数に対応するものとしてよい。
【０６４２】
本発明のこの実施形態において、ネットワークデバイスおよび端末デバイスは、様々な事前設計されたモードをさらに記憶し得る。一態様において、各モードは、第1のダウンリンクデータストリームおよび第2のダウンリンクデータストリームを複数の端末デバイスに送信するためにネットワークデバイスによって使用される同じ特徴行列を示す。すなわち、本発明のこの実施形態において、第1のコードブックおよび1つまたは複数の第2のコードブックは、同じ特徴行列に対応する。したがって、第1のコードブックおよび1つまたは複数の第2のコードブックは、異なる変調次数を有し得る。別の態様において、各モードは、複数の端末デバイスへの特徴行列内の特徴シーケンスの割り振りに関する情報をさらに示す。本発明のこの実施形態において、特徴行列に対応するコードブック集合内の各コードブックは、特徴行列内の各特徴シーケンスにそれぞれ対応する。したがって、割り振り情報は、端末デバイスによって使用され、特徴行列に対応するコードブック集合内の端末デバイスによって使用されるコードブックに関する情報を示すために使用され得る。なおも別の態様において、複数の端末デバイスへの特徴シーケンスの割り振りに関する情報を示すことに加えて、各モードは、複数の端末デバイスの数をさらに示し得る。
【０６４３】
本発明のこの実施形態において、「コードブック集合内の各コードブックは、それぞれ、特徴行列内の各特徴シーケンスに対応する」は、コードブック集合内のコードブックの数が特徴行列内の特徴シーケンスの数と同じであり、コードブック内のコードワードの変調シンボルの総数が対応する特徴シーケンスの要素の総数と同じであることを意味するものとしてよく、また特徴シーケンス内の任意の1要素について、対応するコードブック内に少なくとも1つのコードワードが見つかり、したがって、1要素のロケーションにおけるコードワードの変調シンボルが0変調シンボルでなく、特徴シーケンス内の任意の0要素について、0要素のロケーションにおける対応するコードブック内のすべてのコードワードの変調シンボルがすべて0変調シンボルであることも意味し得ることが理解されるであろう。
【０６４４】
本発明のこの実施形態において、好ましくは、コードブック集合内の各コードブックは、特徴行列内の各特徴シーケンスと一対一対応関係にある、すなわち、コードブック集合内のi番目のコードブックは特徴行列内のi番目の特徴シーケンスに対応し、iは自然数であり、特徴シーケンスの数以下である。
【０６４５】
たとえば、ダウンリンクデータストリームを送信するためにネットワークデバイスによって使用される特徴行列に含まれる特徴シーケンスの数が対応するコードブック集合に含まれるコードブックの数と同じであると仮定すると、ネットワークデバイスおよび端末デバイスによって記憶され、モードを示すために使用されるフォームは、Table 4(表4)に示されているものである。
【０６４６】
【表４】
0006517347.tif 000077
【０６４７】
Table 4(表4)に示されているように、モード0は、ネットワークデバイスがダウンリンクデータストリームを3つの端末デバイスに送信し、4つの行と6つの列を有する特徴行列を使用することを示し得る。4つの行と6つの列を有する特徴行列は、1つまたは複数のコードブック集合に対応するものとしてよい。第1の端末デバイスは、特徴行列内の特徴シーケンス0および1に対応するコードブックを使用してデータを送信する。すなわち、第1の端末によって使用され、4つの行と6つの列とを有する特徴行列に対応するコードブック集合内のコードブック0および1は、データを送信するために使用される。第2の端末デバイスは、特徴行列内の特徴シーケンス3および5に対応するコードブックを使用してデータを送信する。すなわち、第2の端末によって使用され、4つの行と6つの列とを有する特徴行列に対応するコードブック集合内のコードブック3および5は、データを送信するために使用される。第3の端末デバイスは、特徴行列内の特徴シーケンス2および4に対応するコードブックを使用してデータを送信する。すなわち、第3の端末によって使用され、4つの行と6つの列とを有する特徴行列に対応するコードブック集合内のコードブック2および4は、データを送信するために使用される。モード1は、ネットワークデバイスがダウンリンクデータストリームを4つの端末デバイスに送信し、4つの行と6つの列とを有する特徴行列を使用することを示し得る。第1の端末デバイスは、特徴行列内の特徴シーケンス1および2に対応するコードブックを使用してデータを送信する。第2の端末デバイスは、特徴行列内の特徴シーケンス0に対応するコードブックを使用してデータを送信する。第3の端末デバイスは、特徴行列内の特徴シーケンス4に対応するコードブックを使用してデータを送信する。第4の端末デバイスは、特徴行列内の特徴シーケンス3および5に対応するコードブックを使用してデータを送信する。別のモードは、モード1を参照することで理解され得る。確かに、4つの行と6つの列を有する特徴行列が1つのコードブック集合にのみに対応する場合、端末に割り振られているコードブック集合は、同じコードブック集合である。
【０６４８】
本発明のこの実施形態において、特徴シーケンス割り振り情報は、端末デバイスの数を示すためにさらに使用され得ることが理解されるであろう。端末デバイスの数は、データ伝送時の端末デバイスの実際の数であり得るか、または端末デバイスの、システムによってサポートされ得る、最大数であり得る。
【０６４９】
したがって、本発明のこの実施形態において、ネットワークデバイスによって決定されたコードブック指示情報は、第2のモード情報と、第2の端末デバイスランク情報と、第3のコードブック集合情報とを含み得る。論理情報セグメント1は、第2のモードを示すための第2のモード情報を搬送し得る。論理情報セグメント2は、複数の端末デバイスにおける端末デバイスのランクを示すための第2の端末デバイスランク情報を搬送し得る。論理情報セグメント3は、第3のコードブック集合情報を搬送して、各端末デバイスによって使用され、第2の特徴行列に対応するコードブック集合を示すことができる。第2のモードによって示される特徴行列が1つのコードブック集合にのみに対応する場合、端末に割り振られているコードブック集合は、同じコードブック集合であり、各端末によってそれぞれ使用され、第2の特徴行列に対応するコードブック集合は、示される必要がない。したがって、論理情報セグメント3はオプションであってよいことが理解され得る。
【０６５０】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０６５１】
したがって、端末デバイスが命令、またはコードブック指示情報を搬送するメッセージを受信した後、たとえば、端末デバイスは、論理情報セグメント1に従って、ネットワークデバイスがダウンリンクデータストリームを送信するためにどのモードを使用するかを学習し得る。このようにして、端末デバイスは、ダウンリンクデータストリームおよび特徴行列内の特徴シーケンスの割り振りに関する情報を複数の端末デバイスに送信するためにネットワークデバイスによって使用される特徴行列を学習し得る。さらに、端末デバイスは、論理情報セグメント2に従って、複数の端末デバイスにおける端末デバイスのランクを学習し得る。このようにして、端末デバイスは、端末デバイスが特徴行列内のどの1つまたは複数の特徴シーケンスを使用するかを学習することができる。さらに、端末デバイスは、論理情報セグメント3に従って、各端末デバイスによって使用され、第2の特徴行列に対応するコードブック集合を学習し得る。確かに、論理情報セグメント3は、上で説明されているように、オプションであってよい。したがって、複数の端末デバイスへの特徴行列内の特徴シーケンスの割り振りに関する情報ならびにコードブック集合内の各コードブックと特徴行列内の各特徴シーケンスとの間の対応関係に従って、端末デバイスは、第1のダウンリンクデータストリームを端末デバイスに送信するためにネットワークデバイスによって使用される第1のコードブックをさらに決定することができ、端末デバイスは、第2のダウンリンクデータストリームを別の端末デバイスに送信するためにネットワークデバイスによって使用される1つまたは複数の第2のコードブックも決定することができ、それにより、端末デバイスは、同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６５２】
なおもTable 4(表4)に示されているモードを一例として使用することで、ネットワークデバイスは、モード0がダウンリンクデータストリームを送信するために使用されると決定し、3つの端末デバイスにおいて第1のダウンリンクデータストリームを受信する端末デバイスのランクが2位であると決定し、各端末デバイスによってそれぞれ使用され、特徴行列に対応するコードブック集合を決定すると仮定される。次いで、ネットワークデバイスは、端末デバイスに、モード0、端末デバイスのランク情報、および端末デバイスによって使用されるコードブック集合のみを示すことを必要とする。端末デバイスは、受信されたコードブック指示情報に従って、ダウンリンクデータストリームを送信するためにネットワークデバイスによって使用される特徴行列と、特徴行列に対応する1つまたは複数のコードブック集合にあり、端末デバイスによって使用されるコードブック集合と、各端末デバイスによって使用され、特徴行列に対応するコードブック集合とを学習し得る。このようにして、第2の端末デバイスは、複数の端末デバイスへの特徴行列内の特徴シーケンスの割り振りに関する情報およびコードブック集合内の各コードブックと特徴行列内の各特徴シーケンスとの間の対応関係に従って、第2の端末デバイスによって使用されるコードブック集合内のコードブック3および5が、第1のコードブックであり、第1の端末デバイスによって使用されるコードブック集合内のコードブック0および1が、第2のコードブックであり、第3の端末デバイスによって使用されるコードブック集合内のコードブック2および4が、第2コードブックであるとさらに決定することができる。このようにして、端末デバイスは、ネットワークデバイスによって端末デバイスに送信された第1のダウンリンクデータストリームを復号することができる。確かに、特徴行列が1つのコードブック集合にのみに対応する場合、各端末は、同じコードブック集合を使用するので、端末デバイスは、端末デバイスによってそれぞれ使用されるコードブック集合を決定する必要があり得ない。
【０６５３】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６５４】
本発明のこの実施形態において、論理情報セグメントがインデックス値を示す場合、関係する情報の間の矛盾のないインデックス関係、たとえば、モードインデックス値とモードとの間のインデックス関係、特徴行列インデックス値と各特徴行列との間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するモード、特徴行列、コードブック集合、およびコードブックを一意に決定することができることがさらに理解されるであろう。
【０６５５】
本発明のこの実施形態において、ネットワークデバイスおよび端末デバイスは、複数の方法を使用することによってコードブックを事前記憶しておいてよいが、次の2つの条件が満たされる必要があることもさらに理解されるであろう。第一に、ネットワークデバイスおよび端末デバイスは、記憶されているコードブックに従って、コーディングユニットに含まれる一定数のリソースユニットまたはサブキャリアまたはリソース要素を学習し得る。第二に、ネットワークデバイスおよび端末デバイスは、記憶されているコードブックに従って、端末デバイスがコーディングユニットのどのリソースユニットまたはサブキャリアまたはリソース要素上でどの非0変調シンボルを送信するかを学習し得る。
【０６５６】
前述の記憶条件を満たす単純で直接的な方法は、コードワードのすべての0変調シンボルおよび非0変調シンボルを記憶するステップを含む、前述の形式でコードブックを記憶することである。簡潔にするため、詳細は本明細書で再び説明されない。
【０６５７】
本発明のこの実施形態は、コードブック指示情報が第2のモード情報、第2の端末デバイスランク情報、および第3のコードブック集合情報を含む一例のみを使用することによって説明されているが、本発明はそれに限定されず、コードブック指示情報は、他の情報をさらに含み得ることが理解されるであろう。
【０６５８】
本発明のこの実施形態において、コードブック集合内のi番目のコードブックは、対応する特徴行列内のi番目の特徴シーケンスに対応し、iは自然数であり、特徴シーケンスの数以下であることが理解されるであろう。本発明のこの実施形態において、コードブック集合内のコードブックの数は、コードブック集合に対応する特徴行列内の特徴シーケンスの数と同じであるか、または異なり得ることがさらに理解されるであろう。たとえば、コードブック集合内のコードブックの数は、コードブック集合に対応する特徴行列内の特徴シーケンスの数よりも少ない。好ましくは、コードブック集合内のコードブックの数は、コードブック集合に対応する特徴行列内の特徴シーケンスの数と同じである。
【０６５９】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６６０】
本発明のこの実施形態において、ネットワークデバイスは、複数の方式でコードブック指示情報を端末デバイスに送信し得る。たとえば、ネットワークデバイスは、ダウンリンク制御チャネルを使用することによって動的または半永続的方式で、またはデータチャネルを使用することによって半永続的方式で、またはブロードキャストチャネルもしくはデータチャネルを使用することによって永続的方式で端末デバイスへの指示を実行し得る。
【０６６１】
適宜、本発明のこの実施形態において、コードブック指示情報を端末デバイスに送信するステップは、ダウンリンクスケジューリングメッセージ、専用上位層制御シグナリング、またはシステムブロードキャストメッセージを端末デバイスに送信するステップであって、ダウンリンクスケジューリングメッセージ、専用上位層制御シグナリング、およびシステムブロードキャストメッセージはコードブック指示情報を含む、ステップを含む。
【０６６２】
適宜、専用上位層制御シグナリングは、無線リソース制御RRC接続確立メッセージとRRC接続再構成メッセージとを含む。本発明のこの実施形態は、専用上位層制御シグナリングがRRC接続確立メッセージおよびRRC接続再構成メッセージを含む一例のみを使用することによって説明されているが、本発明はそれに限定されず、コードブック指示情報を端末デバイスに送信するために他の専用上位層制御シグナリングが使用され得ることが理解されるであろう。
【０６６３】
本発明のこの実施形態において、適宜、コードブックはスパース符号多元接続SCMAコードブックである。さらに、適宜、コードブックに含まれているコードワードの0変調シンボルの数は、非0変調シンボルの数以上である。
【０６６４】
本発明のこの実施形態において、ネットワークデバイスは、ビット列またはテーブルのうちの少なくとも1つを使用することによってコードブック指示情報を端末デバイスに送信する。適宜、コードブック指示情報はビット列情報である。
【０６６５】
特に、本発明のこの実施形態において、コードブック指示情報内の論理情報セグメントは、複数の方法を使用することによって実装されるものとしてよく、これは限定はしないが次のいくつかの方法を含む。
【０６６６】
方式1:論理情報セグメントでは、独立したビット列またはビットマップを使用して、情報指示機能を実装する。
【０６６７】
方式2:複数の論理情報セグメントが結合指示を実行する。
【０６６８】
方式3:論理情報セグメント、およびコードブック指示情報が配置されており、別の指示機能を有しているメッセージまたは命令の中にある情報セグメントは、結合指示を実行する。
【０６６９】
コードブック指示情報内の論理情報セグメントが前述のいくつかの方式で実装される特定の例については、前述の説明を参照されたい。簡潔にするため、詳細は本明細書で再び説明されない。
【０６７０】
前述のプロセスの順序番号は、本発明の様々な実施形態における実行順序を意味しないことがさらに理解されるであろう。プロセスの実行順序は、プロセスの機能および内部論理に従って決定されるべきであり、本発明の実施形態の実装プロセスに対する制限と解釈されるべきでない。
【０６７１】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０６７２】
前述の説明では、ネットワークデバイスの観点から図16および図17を参照しつつ本発明の一実施形態による指示情報伝送方法を詳しく説明している。コードブック集合が、同じコードブック集合内のコードワードが同じ総数の変調シンボルを有し、同じコードブック集合内のコードブックが同じ総数のコードワードを有するという条件を満たす。次に、端末デバイスの観点から図18および図19を参照しつつ本発明の一実施形態による指示情報伝送方法を説明する。
【０６７３】
本発明の一実施形態において、図6に示されている指示情報伝送方法300は、たとえば、通信システム内の端末デバイスによって実行され得る。端末デバイスは、たとえば、ユーザ機器である。方法300は、以下のステップを含む。
【０６７４】
S310:ネットワークデバイスによって送信されたコードブック指示情報を受信し、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、マッピング関係は、直接マッピング関係であってよく、少なくとも2つの変調シンボルは少なくとも1つの0変調シンボルと少なくとも1つの非0変調シンボルとを含む。
【０６７５】
S320:コードブック指示情報に従って第1のコードブックおよび1つまたは複数の第2のコードブックを決定する。
【０６７６】
S330:第1のコードブックおよび1つまたは複数の第2のコードブックに従って受信されたデータストリームを復号する。
【０６７７】
本発明のこの実施形態において、データストリームは、ダウンリンクデータストリームであり得るか、または一方のネットワークデバイスによって別のネットワークデバイスに送信されるデータストリームであり得る。
【０６７８】
特に、SCMAシステムなどの非直交多元接続システムでは、ネットワークデバイスは、各端末デバイスによって受信されるべき1つまたは複数のダウンリンクデータストリームに対してコードブックを割り振るか、または指定する。ネットワークデバイスによって端末デバイスに送信されたダウンリンクデータストリームを正しく受信するか、または復号するために、端末デバイスは、ダウンリンクデータストリームを送信するためにネットワークデバイスによって使用されるコードブック、およびダウンリンクデータストリームを送信するためにネットワークデバイスによって使用される時間周波数リソース上で別のダウンリンクデータストリームを送信するためにネットワークデバイスによって使用される1つまたは複数のコードブックを学習する必要がある。
【０６７９】
したがって、ネットワークデバイスは、第1のコードブックおよび1つまたは複数の第2のコードブックを決定し、第1のコードブックおよび1つまたは複数の第2のコードブックを示すために使用されるコードブック指示情報を決定するものとしてよい。第1のコードブックは、第1のダウンリンクデータストリームを端末デバイスに送信するためにネットワークデバイスによって使用されるコードブックである。1つまたは複数の第2のコードブックは、第2のダウンリンクデータストリームを別の端末デバイスに送信するためにネットワークデバイスによって使用される1つまたは複数のコードブックである。第2のダウンリンクデータストリームは第1のダウンリンクデータストリームに対して使用される時間周波数リソースで搬送される第1のダウンリンクデータストリーム以外の1つまたは複数のダウンリンクデータストリームである。さらに、ネットワークデバイスは、コードブック指示情報を端末デバイスに送信し得る。コードブック指示情報は、第1のダウンリンクデータストリームを受信するために端末デバイスによって使用される第1のコードブック、および1つまたは複数の第2のコードブックを示すために使用される。
【０６８０】
ネットワークデバイスによって送信されたコードブック指示情報を受信した後、端末デバイスは、コードブック指示情報に従って、第1のダウンリンクデータストリームを送信するためにネットワークデバイスによって使用される第1のコードブックと、ダウンリンクデータストリームを送信するためにネットワークデバイスによって使用される同じ時間周波数リソース上で別のダウンリンクデータストリームを送信するためにネットワークデバイスによって使用される1つまたは複数の第2のコードブックとを決定し得る。このようにして、端末デバイスは、第1のコードブックおよび1つまたは複数の第2のコードブックに従って、ネットワークデバイスによって送信された第1のダウンリンクデータストリームを受信するか、または復号することができる。したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムのネットワーク容量は、効果的に改善され得る。
【０６８１】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６８２】
本発明のこの実施形態において、非直交多元接続技術により、コードブックを使用することによって同じリソースユニット上で複数の異なるデータストリームが伝送される、すなわち、同じリソースユニット上で複数の異なるデータストリームが多重化される。異なるデータストリームに対して異なるコードブックが使用される。したがって、リソースの利用が改善される。データストリームは、同じ端末デバイスからでも異なる端末デバイスからでもよい。
【０６８３】
したがって、非直交多元接続技術により、データストリーム内のデータは、特定のマッピング関係に従ってコードワード、すなわち、多次元複素ベクトルに直接マッピングされ、それにより、データは拡張され、複数のリソースユニット上で送信される。データは、バイナリビットデータまたは多変量データであってよい。リソースユニットは、時間領域、周波数領域、空間領域、時間周波数領域、時間空間領域、または時間周波数空間領域のリソースユニットであってよい。
【０６８４】
本発明のこの実施形態において、コードブックは2つ以上のコードワードからなり、コードワードは多次元複素ベクトルであり、データと少なくとも2つの変調シンボルとの間のマッピング関係を示すために使用され、マッピング関係は直接マッピング関係であってよく、少なくとも2つの変調シンボルは少なくとも1つの0変調シンボルと少なくとも1つの非0変調シンボルとを含む。各特徴行列は2つ以上の特徴シーケンスからなり、各特徴行列は1つまたは複数のコードブックに対応し、各特徴シーケンスも1つまたは複数のコードブックに対応し、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味する。
【０６８５】
本発明のこの実施形態において、複数のコードブックは、1つまたは複数のコードブッククラスタに分割されるものとしてよく、各コードブッククラスタは1つまたは複数のコードブックを含むものとしてよく、同じコードブッククラスタ内の任意の2つのコードブック、たとえば、コードブックaおよびコードブックbは、次のような特徴を有する。コードブックa内のコードワードおよびコードブックb内のコードワードは、同じ総数の変調シンボルを有する。したがって、コートブッククラスタ内のコードブックは、すべてのコードワードが同じ総数の変調シンボルを有する、すなわち、すべてのコードワードの長さが同じであり、データストリームが多重化されるリソースユニットの数が同じであるという条件を満たす。
【０６８６】
本発明のこの実施形態において、複数のコードブックは、代替的に、1つまたは複数のコードブック集合に分割されるものとしてよく、各コードブック集合は1つまたは複数のコードブックを含むものとしてよく、同じコードブック集合内の任意の2つのコードブック、たとえば、コードブックcおよびコードブックdは、次のような特徴を有する。(1)コードブックc内のコードワードおよびコードブックd内のコードワードは、同じ総数の変調シンボルを有する。(2)コードブックc内のコードワードの数は、コードブックd内のコードワードの数と同じである、すなわち、コードブック集合内のコードブックは同じ総数のコードワードを有する。
【０６８７】
本発明のこの実施形態において、各コードブッククラスタは1つまたは複数のコードブック集合を含み、各コードブック集合は1つまたは複数のコードブックを含み、各コードブックは2つ以上のコードワードからなり、各コードブッククラスタは同じコードブッククラスタ内のコードワードが同じ総数の変調シンボルを有するという条件を満たし、各コードブック集合は同じコードブック集合内のコードワードが同じ総数の変調シンボルを有し、同じコードブック集合内のコードブックが同じ総数のコードワードを有するという条件を満たす。
【０６８８】
本発明のこの実施形態において、適宜、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、
コードブック指示情報に従って第1のコードブックおよび1つまたは複数の第2のコードブックを決定するステップは、
第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するステップであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップを含む。
【０６８９】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、各コードブックは1つの変調次数に対応し、同じコードブック集合内の任意の2つのコードブックは次のような特徴を有する。同じコードブック集合内のコードワードは、同じ総数の変調シンボルを有する。同じコードブック集合内のコードブックは、同じ総数のコードワードを有する。
【０６９０】
前述の方式で分割を通じて取得された1つまたは複数のコードブック集合は、1つまたは複数のコードブッククラスタにさらに分割されるものとしてよく、各コードブッククラスタは1つまたは複数のコードブック集合からなり、同じコードブッククラスタ内の任意の2つのコードブック集合、たとえば、コードブック集合Aおよびコードブック集合Bは、次のような特徴を有する。コードブック集合A内のコードワードおよびコードブック集合B内のコードワードは、同じ総数の変調シンボルを有する、すなわち、すべてのコードワードの長さは同じであり、データストリームが多重化されるリソースユニットの数は同じである。すなわち、コードブッククラスタは同じコードブッククラスタ内のコードワードが同じ総数の変調シンボルを有するという条件を満たす。
【０６９１】
本発明のこの実施形態において、ネットワークデバイスによって送信され、端末デバイスによって受信されたコードブック指示情報は、第1のコードブッククラスタ情報、第1のコードブック集合情報、および第1の指示情報を含む。たとえば、コードブック指示情報は、3つの論理情報セグメントからなるものとしてよい。論理情報セグメント1は、端末デバイスに、第1のダウンリンクデータストリームおよび第2のダウンリンクデータストリームを送信するために使用される第1のコードブッククラスタを示すための、第1のコードブッククラスタ情報を搬送し得る。論理情報セグメント2は、端末デバイスに、第1のコードブッククラスタ内の第1のダウンリンクデータストリームを送信するために使用される第1のコードブック集合を示すための、第1のコードブック集合情報を搬送し得る。論理情報セグメント3は、第1の指示情報を搬送し得る。第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される。
【０６９２】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０６９３】
端末デバイスが命令、またはコードブック指示情報を搬送するメッセージを受信した後、たとえば、論理情報セグメント1に従って、端末デバイスは、ネットワークデバイスが第1のダウンリンクデータストリームおよび第2のダウンリンクデータストリームを送信するためにどのコードブッククラスタ内のコードブックを使用するかを学習し得る。論理情報セグメント2に従って、端末デバイスは、ネットワークデバイスが第1のダウンリンクデータストリームを送信するために論理情報セグメント1によって示されているコードブッククラスタ内のどのコードブック集合内のコードブックを使用するかを学習し得る。論理情報セグメント3に従って、端末デバイスは、ネットワークデバイスが第1のダウンリンクデータストリームを送信するために論理情報セグメント2によって示されているコードブック集合内のどのコードブックを使用するかを学習し得る。それに加えて、端末デバイスは、ネットワークデバイスが論理情報セグメント1によって示されるコードブッククラスタ内のどのコードブック集合使用するか、および第2のダウンリンクデータストリームを送信するためにコードブック集合内のどのコードブックを使用するかをさらに学習し得る。
【０６９４】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０６９５】
本発明のこの実施形態において、端末デバイスは、第1のコードブック集合内の第1のコードブック、第1のコードブッククラスタ内の1つまたは複数の第2のコードブック集合、および複数の方式でネットワークデバイスによって示されている1つまたは複数の第2のコードブック集合内の1つまたは複数の第2のコードブックを受信し得る。次に、別々に説明を行う。
【０６９６】
適宜、本発明のこの実施形態において、第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０６９７】
特に、本発明のこの実施形態において、たとえば、第1の指示情報を搬送する論理情報セグメント3は、3つの論理情報サブセグメント、すなわち、論理情報サブセグメント1、論理情報サブセグメント2、および論理情報サブセグメント3をさらに含み得る。論理情報サブセグメント1は、第1のコードブック集合内の第1のコードブックを示すために第1のコードブック情報を搬送し得る。論理情報サブセグメント2は、第1のコードブッククラスタ内の1つまたは複数の第2のコードブック集合を示すために第2のコードブック集合情報を搬送し得る。論理情報サブセグメント3は、1つまたは複数の第2のコードブック集合内の1つまたは複数の第2のコードブックを示すために第2のコードブック情報を搬送し得る。
【０６９８】
本発明のこの実施形態は、第1の指示情報が第1のコードブック情報、第2のコードブック集合情報、および第2のコードブック情報を含む一例のみを使用することによって説明されているが、本発明それはそれに限定されないことは理解されるであろう。
【０６９９】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７００】
適宜、本発明のこの実施形態において、第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０７０１】
本発明のこの実施形態において、論理情報セグメントがインデックス値を示す場合、関係する情報の間の矛盾のないインデックス関係、たとえば、コードブッククラスタインデックス値とコードブッククラスタとの間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するコードブッククラスタ、コードブック集合、およびコードブックを一意に決定することができることが理解されるであろう。
【０７０２】
本発明のこの実施形態において、ネットワークデバイスおよび端末デバイスは、複数の方法を使用することによってコードブックを事前記憶し得る。簡潔にするため、詳細は本明細書で再び説明されない。
【０７０３】
したがって、本発明のこの実施形態における指示情報伝送方法によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７０４】
次に、図18および図19を参照しつつ本発明のこの実施形態によるコードブックを決定するための方法について詳しく説明する。
【０７０５】
図18に示されているように、本発明のこの実施形態において、適宜、コードブック指示情報は第1のモード情報および第1の端末デバイスランク情報を含み、第1のモード情報は第1のモードを示すために使用され、第1のモードは、第1のコードブックおよび1つまたは複数の第2のコードブックが属している第3のコードブック集合、ならびに第1のデータストリームおよび第2のデータストリームが属している複数の端末デバイスへの第3のコードブック集合内のコードブックの割り振りに関する情報を示すために使用され、第1の端末デバイスランク情報は複数の端末デバイスにおける端末デバイスのランクを示すために使用される。
【０７０６】
コードブック指示情報に従って第1のコードブックおよび1つまたは複数の第2のコードブックを決定するステップは、次のステップを含む。
【０７０７】
S323:第1のモード情報および第1の端末デバイスランク情報に従って、第1のモードによって示されている第3のコードブック集合において、第1の端末デバイスランク情報に対応する第1のコードブックおよび1つまたは複数の第2のコードブックを決定し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす。
【０７０８】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する、すなわち、コードブックa内のコードワードおよびコードブックb内のコードワードは同じ長さを有し、データストリームが多重化されるリソースユニットの数は同じである。さらに、コードブックa内のコードワードの数は、コードブックb内のコードワードの数と同じである、すなわち、コードブック集合内のコードブックは同じ総数のコードワードを有する。したがって、本発明のこの実施形態において、コードブック集合内のコードブックは、同じ数のコードワードを有する。コードワードの数は、変調次数と称され得る。確かに、当業者であれば、変調次数に別の名前を付けることができる。したがって、本発明のこの実施形態におけるコードブック集合は、変調次数を有するコードブックからなることが理解され得る。さらに、コードブックのコードワードは、同じ長さを有する。
【０７０９】
本発明のこの実施形態において、ネットワークデバイスおよび端末デバイスは、様々な事前設計されたモードをさらに記憶し得る。一態様において、各モードは、第1のダウンリンクデータストリームおよび第2のダウンリンクデータストリームを端末デバイスに送信するためにネットワークデバイスによって使用される同じコードブック集合を示す。すなわち、本発明のこの実施形態において、第1のコードブックおよび1つまたは複数の第2のコードブックは、同じコードブック集合に属す。別の態様において、各モードは、複数の端末デバイスへのコードブック集合内のコードブックの割り振りに関する情報をさらに示す。すなわち、各モードは、ランクに従って配置構成されている各端末デバイスにダウンリンクデータストリームを送信するためにそれぞれ使用されるコードブックに関する情報をさらに示し得る。
【０７１０】
本発明のこの実施形態において、ネットワークデバイスによって決定され、第1のコードブックおよび1つまたは複数の第2のコードブックを示すために使用されるコードブック指示情報は、第1のモード情報および第1の端末デバイスランク情報を含み得る。論理情報セグメント1は、第1のモードを示すための第1のモード情報を搬送し得る。論理情報セグメント2は、複数の端末デバイスにおける端末デバイスのランクを示すための第1の端末デバイスランク情報を搬送し得る。
【０７１１】
本発明のこの実施形態において、コードブック指示情報の論理情報セグメントは、コードブック指示情報が配置されている命令で任意の順序により連続または不連続動作で搬送され得ることが理解されるであろうが、これは発明のこの実施形態において限定されない。
【０７１２】
したがって、端末デバイスが命令、またはコードブック指示情報を搬送するメッセージを受信した後、たとえば、端末デバイスは、論理情報セグメント1に従って、ネットワークデバイスがダウンリンクデータストリームを送信するためにどのモードを使用するかを学習し得る。このようにして、端末デバイスは、ダウンリンクデータストリームおよびコードブック集合内のコードブックの割り振りに関する情報を複数の端末デバイスに送信するためにネットワークデバイスによって使用されるコードブック集合を学習し得る。さらに、端末デバイスは、論理情報セグメント2に従って端末デバイスのランク情報を学習し得る。したがって、端末デバイスは、第1のダウンリンクデータストリームを端末デバイスに送信するためにネットワークデバイスによって使用される第1のコードブックを決定することができ、端末デバイスは、第2のダウンリンクデータストリームを別の端末デバイスに送信するためにネットワークデバイスによって使用される1つまたは複数の第2のコードブックも決定することができ、それにより、端末デバイスは、同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７１３】
本発明のこの実施形態において、論理情報セグメントがインデックス値を示す場合、関係する情報の間の矛盾のないインデックス関係、たとえば、モードインデックス値とモードとの間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するモード、コードブック集合、およびコードブックを一意に決定することができることがさらに理解されるであろう。
【０７１４】
本発明のこの実施形態において、ネットワークデバイスおよび端末デバイスは、複数の方法を使用することによってコードブックを事前記憶しておいてよいが、次の2つの条件が満たされる必要があることもさらに理解されるであろう。第一に、ネットワークデバイスおよび端末デバイスは、記憶されているコードブックに従って、コーディングユニットに含まれる一定数のリソースユニットまたはサブキャリアまたはリソース要素を学習し得る。第二に、ネットワークデバイスおよび端末デバイスは、記憶されているコードブックに従って、端末デバイスがコーディングユニットのどのリソースユニットまたはサブキャリアまたはリソース要素上でどの非0変調シンボルを送信するかを学習し得る。
【０７１５】
前述の記憶条件を満たす単純で直接的な方法は、コードワードのすべての0変調シンボルおよび非0変調シンボルを記憶するステップを含む、前述の形式でコードブックを記憶することである。簡潔にするため、詳細は本明細書で再び説明されない。
【０７１６】
したがって、本発明のこの実施形態における指示情報伝送方法によれば、端末デバイスは、同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７１７】
図19は、本発明の別の実施形態による指示情報伝送方法のさらに別の概略フローチャートである。図19に示されているように、本発明のこの実施形態において、適宜、コードブック指示情報は第2のモード情報と、第2の端末デバイスランク情報と、第3のコードブック集合情報とを含み、第2のモード情報は第2のモードを示すために使用され、第2のモードは、第1のコードブックおよび1つまたは複数の第2のコードブックが属している第2の特徴行列、ならびに第1のデータストリームおよび第2のデータストリームが属している複数の端末デバイスへの第2の特徴行列内の特徴シーケンスの割り振りに関する情報を示すために使用され、第2の端末デバイスランク情報は複数の端末デバイスにおける端末デバイスのランクを示すために使用され、第3のコードブック集合情報は複数の端末デバイスの各々によってそれぞれ使用され、第2の特徴行列に対応するコードブック集合を示すために使用される。
【０７１８】
コードブック指示情報に従って第1のコードブックおよび1つまたは複数の第2のコードブックを決定するステップは、次のステップを含む。
【０７１９】
S324:第2のモード情報、第2の端末デバイスランク情報、および第3のコードブック集合情報に従って、第2のモードによって示される第2の特徴行列に対応する1つまたは複数のコードブック集合において、第2の端末デバイスランク情報に対応する第1のコードブックおよび1つまたは複数の第2のコードブックを決定し、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する。
【０７２０】
特に、本発明のこの実施形態において、ネットワークデバイスおよび端末デバイスは、事前設計されたコードブックを記憶し得る。コードブックは、1つまたは複数のコードブック集合に分割されるものとしてよく、各コードブック集合は1つまたは複数のコードブックからなり、同じコードブック集合内の任意の2つのコードブック、たとえば、コードブックaおよびコードブックbは、次のような特徴を有する。コードブックa内のコードワードおよびコードブックb内のコードワードは、同じ総数の変調シンボルを有する、すなわち、コードブックa内のコードワードおよびコードブックb内のコードワードは同じ長さを有し、データストリームが多重化されるリソースユニットの数は同じである。さらに、コードブックa内のコードワードの数は、コードブックb内のコードワードの数と同じである、すなわち、コードブック集合内のコードブックは同じ総数のコードワードを有する。したがって、本発明のこの実施形態において、コードブック集合は、変調次数を有するコードブックからなり、コードブックのコードワードは、同じ長さを有する。
【０７２１】
コードブック集合が前述の方式で分割を通して取得された後、1つのコードブック集合は、1つの特徴行列に一意に対応し得る。1つの特徴行列は、1つまたは複数のコードブック集合に対応するものとしてよく、各コードブック集合は、1つの変調次数に対応するものとしてよい。
【０７２２】
本発明のこの実施形態において、ネットワークデバイスおよび端末デバイスは、様々な事前設計されたモードをさらに記憶し得る。一態様において、各モードは、第1のダウンリンクデータストリームおよび第2のダウンリンクデータストリームを複数の端末デバイスに送信するためにネットワークデバイスによって使用される同じ特徴行列を示す。すなわち、本発明のこの実施形態において、第1のコードブックおよび1つまたは複数の第2のコードブックは、同じ特徴行列に対応する。したがって、第1のコードブックおよび1つまたは複数の第2のコードブックは、異なる変調次数を有し得る。別の態様において、各モードは、複数の端末デバイスへの特徴行列内の特徴シーケンスの割り振りに関する情報をさらに示す。本発明のこの実施形態において、コードブック集合内の各コードブックは特徴行列内の各特徴シーケンスにそれぞれ対応する。したがって、割り振り情報は、対応するコードブック集合内の端末デバイスによって使用されるコードブックに関する情報を示すために使用され得る。なおも別の態様において、複数の端末デバイスへの特徴シーケンスの割り振りに関する情報を示すことに加えて、各モードは、複数の端末デバイスの数をさらに示し得る。
【０７２３】
したがって、本発明のこの実施形態において、ネットワークデバイスによって決定されたコードブック指示情報は、第2のモード情報と、第2の端末デバイスランク情報と、第3のコードブック集合情報とを含み得る。論理情報セグメント1は、第2のモードを示すための第2のモード情報を搬送し得る。論理情報セグメント2は、複数の端末デバイスにおける端末デバイスのランクを示すための第2の端末デバイスランク情報を搬送し得る。論理情報セグメント3は、第3のコードブック集合情報を搬送して、各端末デバイスによって使用され、第2の特徴行列に対応するコードブック集合を示すことができる。
【０７２４】
本発明のこの実施形態において、コードブック指示情報の論理情報セグメントは、コードブック指示情報が配置されている命令で任意の順序により連続または不連続動作で搬送され得ることが理解されるであろうが、これは本発明のこの実施形態において限定されない。
【０７２５】
したがって、端末デバイスが命令、またはコードブック指示情報を搬送するメッセージを受信した後、たとえば、端末デバイスは、論理情報セグメント1に従って、ネットワークデバイスがダウンリンクデータストリームを送信するためにどのモードを使用するかを学習し得る。このようにして、端末デバイスは、ダウンリンクデータストリームおよび特徴行列内の特徴シーケンスの割り振りに関する情報を複数の端末デバイスに送信するためにネットワークデバイスによって使用される特徴行列を学習し得る。さらに、端末デバイスは、論理情報セグメント2に従って、複数の端末デバイスにおける端末デバイスのランクを学習し得る。このようにして、端末デバイスは、端末デバイスが特徴行列内のどの1つまたは複数の特徴シーケンスを使用するかを学習することができる。さらに、端末デバイスは、論理情報セグメント3に従って、各端末デバイスによって使用され、第2の特徴行列に対応するコードブック集合を学習し得る。モードによって示される特徴行列が1つのコードブック集合にのみに対応する場合、端末に割り振られているコードブック集合は、同じコードブック集合であり、各端末によってそれぞれ使用され、第2の特徴行列に対応するコードブック集合は、示される必要がない。したがって、論理情報セグメント3はオプションであってよいことが理解されるであろう。
【０７２６】
したがって、複数の端末デバイスへの特徴行列内の特徴シーケンスの割り振りに関する情報ならびにコードブック集合内の各コードブックと特徴行列内の各特徴シーケンスとの間の対応関係に従って、端末デバイスは、第1のダウンリンクデータストリームを端末デバイスに送信するためにネットワークデバイスによって使用される第1のコードブックをさらに決定することができ、端末デバイスは、第2のダウンリンクデータストリームを別の端末デバイスに送信するためにネットワークデバイスによって使用される1つまたは複数の第2のコードブックも決定することができ、それにより、端末デバイスは、同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７２７】
したがって、ネットワークデバイスと端末デバイスとの間の情報交換によって、端末デバイスは、同じ時間周波数リソース上で搬送されるすべてのデータストリームに使用されるコードブックを決定することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７２８】
本発明のこの実施形態において、「コードブック集合内の各コードブックは、それぞれ、特徴行列内の各特徴シーケンスに対応する」は、コードブック集合内のコードブックの数が特徴行列内の特徴シーケンスの数と同じである、すなわち、コードブック内のコードワードの変調シンボルの総数が対応する特徴シーケンスの要素の総数と同じであることを意味するものとしてよく、また特徴シーケンス内の任意の1要素について、対応するコードブック内に少なくとも1つのコードワードが見つかり、したがって、1要素のロケーションにおけるコードワードの変調シンボルが0変調シンボルでなく、特徴シーケンス内の任意の0要素について、0要素のロケーションにおける対応するコードブック内のすべてのコードワードの変調シンボルがすべて0変調シンボルであることも意味し得ることが理解されるであろう。
【０７２９】
本発明のこの実施形態において、論理情報セグメントがインデックス値を示す場合、関係する情報の間の矛盾のないインデックス関係、たとえば、モードインデックス値とモードとの間のインデックス関係、特徴行列インデックス値と各特徴行列との間のインデックス関係、コードブック集合インデックス値と各コードブッククラスタ内のコードブック集合との間のインデックス関係、およびコードブックインデックス値と各コードブック集合内のコードブックとの間のインデックス関係は、ネットワークデバイス側および端末デバイス側で事前確立される必要があり、それにより、ネットワークデバイスおよび端末デバイスは、論理情報セグメントによって示されているインデックス値に従って事前確立された関係するインデックス関係から対応するモード、特徴行列、コードブック集合、およびコードブックを一意に決定することができることがさらに理解されるであろう。
【０７３０】
本発明のこの実施形態において、ネットワークデバイスおよび端末デバイスは、複数の方法を使用することによってコードブックを事前記憶し得る。簡潔にするため、詳細は本明細書で再び説明されない。
【０７３１】
本発明のこの実施形態において、好ましくは、コードブック集合内の各コードブックは、特徴行列内の各特徴シーケンスと一対一対応関係にある、すなわち、コードブック集合内のi番目のコードブックは特徴行列内のi番目の特徴シーケンスに対応し、iは自然数であり、特徴シーケンスの数以下である。
【０７３２】
本発明のこの実施形態において、コードブック集合内のコードブックの数は、コードブック集合に対応する特徴行列内の特徴シーケンスの数と同じであるか、または異なり得ることがさらに理解されるであろう。たとえば、コードブック集合内のコードブックの数は、コードブック集合に対応する特徴行列内の特徴シーケンスの数よりも少ない。好ましくは、コードブック集合内のコードブックの数は、コードブック集合に対応する特徴行列内の特徴シーケンスの数と同じである。
【０７３３】
ネットワークデバイスと端末デバイスとの間のやり取り、ネットワークデバイス側から説明されている関係する特徴および機能、ならびに同様のものは、端末デバイス側からの関係する特徴および機能に対応することが理解されるであろう。簡潔にするため、詳細は本明細書で再び説明されない。
【０７３４】
適宜、本発明のこの実施形態において、ネットワークデバイスによって送信されたコードブック指示情報を受信するステップは、ダウンリンクスケジューリングメッセージ、専用上位層制御シグナリング、またはネットワークデバイスによって送信されたシステムブロードキャストメッセージを受信するステップであって、ダウンリンクスケジューリングメッセージ、専用上位層制御シグナリング、およびシステムブロードキャストメッセージはコードブック指示情報を含む、ステップを含む。
【０７３５】
適宜、本発明のこの実施形態において、専用上位層制御シグナリングは、無線リソース制御RRC接続確立メッセージとRRC接続再構成メッセージとを含む。
【０７３６】
本発明のこの実施形態において、端末デバイスは、ビット列またはテーブルのうちの少なくとも1つを使用することによってネットワークデバイスによって送信されたコードブック指示情報を受信し得る。適宜、コードブック指示情報はビット列情報である。
【０７３７】
本発明のこの実施形態において、適宜、コードブックはスパース符号多元接続SCMAコードブックである。さらに、適宜、コードブックに含まれているコードワードの0変調シンボルの数は、非0変調シンボルの数以上である。
【０７３８】
ネットワークデバイスと端末デバイスとの間のやり取り、ネットワークデバイス側から説明されている関係する特徴および機能、ならびに同様のものは、端末デバイス側からの関係する特徴および機能に対応することが理解されるであろう。簡潔にするため、詳細は本明細書で再び説明されない。
【０７３９】
前述のプロセスの順序番号は、本発明の様々な実施形態における実行順序を意味しないことがさらに理解されるであろう。プロセスの実行順序は、プロセスの機能および内部論理に従って決定されるべきであり、本発明の実施形態の実装プロセスに対する制限と解釈されるべきでない。
【０７４０】
したがって、本発明のこの実施形態における指示情報伝送方法によれば、端末デバイスは、同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムにアクセスできるユーザの数、スペクトル効率、および同様のものを含むシステムのネットワーク容量は、効果的に改善され得る。
【０７４１】
前述の説明では、図16から図19を参照しつつ本発明の一実施形態による指示情報伝送方法を詳しく説明している。次の説明では、図20から図22、図14および図15を参照しつつ本発明の一実施形態による指示情報伝送装置を説明している。
【０７４２】
図9に示されている指示情報伝送装置500は、第1の決定モジュール510、第2の決定モジュール520、第3の決定モジュール530、および送信モジュール540を備える。
【０７４３】
第1の決定モジュール510は、1つまたは複数のコードブックにおいて、第1のダウンリンクデータストリームを端末デバイスに送信するために使用される第1のコードブックを決定するように構成され、コードブックは2つ以上のコードワードからなり、コードワードは多次元複素ベクトルであり、データと少なくとも2つの変調シンボルとの間のマッピング関係を示すために使用され、マッピング関係は直接マッピング関係であってよく、少なくとも2つの変調シンボルは少なくとも1つの0変調シンボルと少なくとも1つの非0変調シンボルとを含む。
【０７４４】
第2の決定モジュール520は、第2のダウンリンクデータストリームを送信するために使用される1つまたは複数の第2のコードブックを決定するように構成され、第2のダウンリンクデータストリームは、第1のダウンリンクデータストリームに対して使用される時間周波数リソースで搬送される第1のダウンリンクデータストリーム以外の1つまたは複数のダウンリンクデータストリームである。
【０７４５】
第3の決定モジュール530は、第1の決定モジュール510によって決定された第1のコードブックおよび第2の決定モジュール520によって決定された1つまたは複数の第2のコードブックを示すために使用されるコードブック指示情報を決定するように構成される。
【０７４６】
送信モジュール540は、第3の決定モジュール530によって決定されたコードブック指示情報を端末デバイスに送信するように構成される。
【０７４７】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０７４８】
本発明の別の実施形態において、適宜、図10に示されているように、第3の決定モジュール530は、
第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するように構成されている第1の決定ユニット531であって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、第1の決定ユニット531と、
コードブック指示情報を決定するように構成されている第2の決定ユニット532であって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、第2の決定ユニット532とを備える。
【０７４９】
本発明のこの実施形態において、適宜、第2の決定ユニット532によって決定された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０７５０】
本発明のこの実施形態において、適宜、第2の決定ユニット532によって決定された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０７５１】
本発明のこの実施形態において、適宜、図20に示されているように、第2の決定モジュール530は、
第1のモードと第1のデータストリームおよび第2のデータストリームが属している複数の端末デバイスにおける端末デバイスのランクとを決定するように構成されている第5の決定ユニット535であって、第1のモードは、第1のコードブックおよび1つまたは複数の第2のコードブックが属している第3のコードブック集合、ならびに複数の端末デバイスへの第3のコードブック集合内のコードブックの割り振りに関する情報を示すために使用され、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第5の決定ユニット535と、
コードブック指示情報を決定するように構成されている第6の決定ユニット536であって、コードブック指示情報は第1のモード情報および第1の端末デバイスランク情報を含み、第1のモード情報は第1のモードを示すために使用され、第1の端末デバイスランク情報は複数の端末デバイスにおける端末デバイスのランクを示すために使用される、第6の決定ユニット536とを備える。
【０７５２】
本発明のこの実施形態において、適宜、図21に示されているように、第3の決定モジュール530は、
第2のモードと、第1のデータストリームおよび第2のデータストリームが属している複数の端末デバイスにおける端末デバイスのランクと、複数の端末デバイスの各々によって使用されるコードブック集合とを決定するように構成されている第7の決定ユニット537であって、第2のモードは、第1のコードブックおよび1つまたは複数の第2のコードブックが属している第2の特徴行列、ならびに複数の端末デバイスへの第2の特徴行列内の特徴シーケンスの割り振りに関する情報を示すために使用され、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、第7の決定ユニット537と、
コードブック指示情報を決定するように構成されている第8の決定ユニット538であって、コードブック指示情報は第2のモード情報と、第2の端末デバイスランク情報と、第3のコードブック集合情報とを含み、第2のモード情報は第2のモードを示すために使用され、第2の端末デバイスランク情報は複数の端末デバイスにおける端末デバイスのランクを示すために使用され、第3のコードブック集合情報は各端末デバイスによって使用され、第2の特徴行列に対応するコードブック集合を示すために使用される、第8の決定ユニット538とを備える。第3のコードブック集合情報は、上で説明されているように、オプションであってよい。
【０７５３】
本発明のこの実施形態による指示情報伝送装置500は、本発明の方法実施形態におけるネットワークデバイスに対応するものとしてよく、装置500内のモジュールの前述および他の動作および/または機能は、図3から図5、図16、および図17の方法200における対応する手順を実装するために別々に使用され、簡潔にするため本明細書では詳しく説明されていないことが理解されるであろう。
【０７５４】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０７５５】
前述の説明では、ネットワークデバイス側から図20および図21を参照しつつ本発明の一実施形態による指示情報伝送装置を詳しく説明している。次の説明では、端末デバイス側から図22を参照しつつ本発明の一実施形態による指示情報伝送装置を詳しく説明する。
【０７５６】
図12に示されている指示情報伝送装置600は、受信モジュール610と、決定モジュール620と、復号モジュール630とを備える。
【０７５７】
受信モジュール610は、ネットワークデバイスによって送信されたコードブック指示情報を受信するように構成され、コードブック指示情報は、第1のダウンリンクデータストリームを送信するためにネットワークデバイスによって使用される第1のコードブック、および第2のダウンリンクデータストリームを送信するためにネットワークデバイスによって使用される1つまたは複数の第2のコードブックを示すために使用され、第2のダウンリンクデータストリームは第1のダウンリンクデータストリームに対して使用される時間周波数リソースで搬送される第1のダウンリンクデータストリーム以外の1つまたは複数のダウンリンクデータストリームであり、コードブックは2つ以上のコードワードからなり、コードワードは多次元複素ベクトルであり、データと少なくとも2つの変調シンボルとの間のマッピング関係を示すために使用され、マッピング関係は、直接マッピング関係であってよく、少なくとも2つの変調シンボルは少なくとも1つの0変調シンボルと少なくとも1つの非0変調シンボルとを含む。
【０７５８】
決定モジュール620は、受信モジュール610によって受信されたコードブック指示情報に従って第1のコードブックおよび1つまたは複数の第2のコードブックを決定するように構成されている。
【０７５９】
復号モジュール630は、第1のコードブックおよび決定モジュール620によって決定された1つまたは複数の第2のコードブックに従って、受信された第1のダウンリンクデータストリームを復号するように構成される。
【０７６０】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０７６１】
本発明のこの実施形態において、適宜、図13に示されているように、受信モジュール610によって受信されたコードブック指示情報は、第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、
決定モジュール620は、第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するように構成されている第1の決定ユニット621であって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、第1の決定ユニット621を備える。
【０７６２】
適宜、本発明のこの実施形態において、受信モジュール610によって受信された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０７６３】
適宜、本発明のこの実施形態において、受信モジュール610によって受信された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０７６４】
本発明のこの実施形態において、適宜、図22に示されているように、受信モジュール610によって受信されたコードブック指示情報は第1のモード情報および第1の端末デバイスランク情報を含み、第1のモード情報は第1のモードを示すために使用され、第1のモードは、第1のコードブックおよび1つまたは複数の第2のコードブックが属している第3のコードブック集合、ならびに第1のデータストリームおよび第2のデータストリームが属している複数の端末デバイスへの第3のコードブック集合内のコードブックの割り振りに関する情報を示すために使用され、第1の端末デバイスランク情報は複数の端末デバイスにおける端末デバイスのランクを示すために使用され、
決定モジュール620は、第1のモード情報および第1の端末デバイスランク情報に従って、第1のモードによって示されている第3のコードブック集合において、第1の端末デバイスランク情報に対応する第1のコードブックおよび1つまたは複数の第2のコードブックを決定するように構成されている第3の決定ユニット623であって、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、第3の決定ユニット623を備える。
【０７６５】
本発明のこの実施形態において、適宜、図22に示されているように、受信モジュール610によって受信されたコードブック指示情報は、第2のモード情報と、第2の端末デバイスランク情報と、第3のコードブック集合情報とを含み、第2のモード情報は第2のモードを示すために使用され、第2のモードは、第1のコードブックおよび1つまたは複数の第2のコードブックが属している第2の特徴行列、ならびに第1のデータストリームおよび第2のデータストリームが属している複数の端末デバイスへの第2の特徴行列内の特徴シーケンスの割り振りに関する情報を示すために使用され、第2の端末デバイスランク情報は複数の端末デバイスにおける端末デバイスのランクを示すために使用され、第3のコードブック集合情報は複数の端末デバイスの各々によってそれぞれ使用され、第2の特徴行列に対応するコードブック集合を示すために使用され、第3のコードブック集合情報は、上で説明されているように、オプションであってよく、
決定モジュール620は、第2のモード情報、第2の端末デバイスランク情報、および第3のコードブック集合情報に従って、第2のモードによって示される第2の特徴行列に対応する1つまたは複数のコードブック集合において、第2の端末デバイスランク情報に対応する第1のコードブックおよび1つまたは複数の第2のコードブックを決定するように構成されている第4の決定ユニット624であって、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、第4の決定ユニット624を備える。第3のコードブック集合情報は、上で説明されているように、オプションであってよい。
【０７６６】
本発明のこの実施形態による指示情報伝送装置600は、本発明の方法実施形態における端末デバイスに対応するものとしてよく、装置600内のモジュールの前述および他の動作および/または機能は、図6から図8、図18、および図19の方法300における対応する手順を実装するために別々に使用され、簡潔にするため本明細書では詳しく説明されていないことが理解されるであろう。
【０７６７】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０７６８】
本発明の一実施形態において、図14に示されている指示情報伝送装置800は、プロセッサ810、メモリ820、バスシステム830、および送信機840を備える。
【０７６９】
適宜、一実施形態において、プロセッサ810によって、第1のコードブックおよび1つまたは複数の第2のコードブックを示すために使用されるコードブック指示情報を決定するステップは、
第1のコードブックが属している第1のコードブック集合と、1つまたは複数の第2のコードブックが属している1つまたは複数の第2のコードブック集合と、第1のコードブック集合および1つまたは複数の第2のコードブック集合が属している第1のコードブッククラスタとを決定するステップであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内のコードワードが同じ総数の変調シンボルを有し、同じコードブック集合内のコードブックが同じ総数のコードワードを有するという条件を満たす、ステップと、
コードブック指示情報を決定するステップであって、コードブック指示情報は第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用される、ステップとを含む。
【０７７０】
適宜、一実施形態において、プロセッサ810によって決定された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０７７１】
適宜、一実施形態において、プロセッサ810によって決定された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０７７２】
適宜、一実施形態において、プロセッサ810によって、第1のコードブックおよび1つまたは複数の第2のコードブックを示すために使用されるコードブック指示情報を決定するステップは、
第1のモードと第1のデータストリームおよび第2のデータストリームが属している複数の端末デバイスにおける端末デバイスのランクとを決定するステップであって、第1のモードは、第1のコードブックおよび1つまたは複数の第2のコードブックが属している第3のコードブック集合、ならびに複数の端末デバイスへの第3のコードブック集合内のコードブックの割り振りに関する情報を示すために使用され、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップと、
コードブック指示情報を決定するステップであって、コードブック指示情報は第1のモード情報および第1の端末デバイスランク情報を含み、第1のモード情報は第1のモードを示すために使用され、第1の端末デバイスランク情報は複数の端末デバイスにおける端末デバイスのランクを示すために使用される、ステップとを含む。
【０７７３】
適宜、一実施形態において、プロセッサ810によって、第1のコードブックおよび1つまたは複数の第2のコードブックを示すために使用されるコードブック指示情報を決定するステップは、
第2のモードと、第1のデータストリームおよび第2のデータストリームが属している複数の端末デバイスにおける端末デバイスのランクと、複数の端末デバイスの各々によって使用されるコードブック集合とを決定するステップであって、第2のモードは、第1のコードブックおよび1つまたは複数の第2のコードブックが属している第2の特徴行列、ならびに複数の端末デバイスへの第2の特徴行列内の特徴シーケンスの割り振りに関する情報を示すために使用され、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、ステップと、
コードブック指示情報を決定するステップであって、コードブック指示情報は第2のモード情報と、第2の端末デバイスランク情報と、第3のコードブック集合情報とを含み、第2のモード情報は第2のモードを示すために使用され、第2の端末デバイスランク情報は複数の端末デバイスにおける端末デバイスのランクを示すために使用され、第3のコードブック集合情報は各端末デバイスによって使用され、第2の特徴行列に対応するコードブック集合を示すために使用される、ステップとを含む。第3のコードブック集合情報は、上で説明されているように、オプションであってよい。
【０７７４】
本発明のこの実施形態による指示情報伝送装置800は、本発明の実施形態におけるネットワークデバイスおよび装置500に対応するものとしてよく、本発明の実施形態による方法を実行するための対応するエンティティに対応するものとしてよく、装置800内のモジュールの前述および他の動作および/または機能は、図3から図5、図16、および図17の方法における対応する手順を実装するために別々に使用され、本明細書では簡潔にするために詳しく説明されていないことが理解されるであろう。
【０７７５】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０７７６】
本発明の一実施形態において、図15に示されている指示情報伝送装置900は、プロセッサ910、メモリ920、バスシステム930、および受信機940を備える。
【０７７７】
適宜、一実施形態において、受信機940によって受信されたコードブック指示情報は、第1のコードブッククラスタ情報、第1のコードブック集合情報、および第1の指示情報を含み、第1のコードブッククラスタ情報は、第1のコードブッククラスタを示すために使用され、第1のコードブック集合情報は、第1のコードブッククラスタ内の第1のコードブック集合を示すために使用され、第1の指示情報は、第1のコードブック集合内の第1のコードブックを示すために使用され、第1の指示情報は第1のコードブッククラスタ内の1つまたは複数の第2のコードブック集合および1つまたは複数の第2のコードブック集合内の1つまたは複数の第2のコードブックを示すためにさらに使用され、
プロセッサ910によって、コードブック指示情報に従って第1のコードブックおよび1つまたは複数の第2のコードブックを決定するステップは、
第1のコードブッククラスタ情報、第1のコードブック集合情報、および第1の指示情報に従って、第1のコードブッククラスタに含まれる第1のコードブック集合内の第1のコードブックと、第1のコードブッククラスタに含まれる1つまたは複数の第2のコードブック集合内の1つまたは複数の第2のコードブックとを決定するステップであって、各コードブッククラスタは少なくとも1つのコードブック集合を含み、各コードブック集合は、少なくとも1つのコードブックを含み、コードブッククラスタは同じコードブッククラスタ内のコードワードが同じ総数の変調シンボルを有するという条件を満たし、コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、またはコードブック集合は同じコードブック集合内のコードワードが同じ総数の変調シンボルを有し、同じコードブック集合内のコードブックが同じ総数のコードワードを有するという条件を満たす、ステップを含む。
【０７７８】
適宜、一実施形態において、受信機940によって受信された第1の指示情報は、第1のコードブック情報、第2のコードブック集合情報、および第2のコードブック情報を含み、第1のコードブック情報は、第1のコードブック集合内の第1のコードブックを示すために使用され、第2のコードブック集合情報は、第1のコードブッククラスタ内の1つまたは複数の第2のコードブック集合を示すために使用され、第2のコードブック情報は、1つまたは複数の第2のコードブック集合内の1つまたは複数の第2のコードブックを示すために使用される。
【０７７９】
適宜、一実施形態において、受信機940によって受信された第1の指示情報は、第1のコードブッククラスタ内のすべてのコードブック集合と一対一対応関係にあるビット列情報のM個のグループを含み、ビット列情報の各グループは、対応するコードブック集合が第1のコードブック集合または1つまたは複数の第2のコードブック集合に属しているかどうかを示すために使用され、ビット列情報の各グループに対応するコードブック集合が第1のコードブック集合または1つまたは複数の第2のコードブック集合に属しているときに、ビット列情報の各グループは、第1のコードブックまたは対応するコードブック集合内の1つまたは複数の第2のコードブックを示すためにさらに使用され、Mは第1のコードブッククラスタに含まれるコードブック集合の数である。
【０７８０】
適宜、一実施形態において、受信機940によって受信されたコードブック指示情報は、第1のモード情報および第1の端末デバイスランク情報を含み、第1のモード情報は第1のモードを示すために使用され、第1のモードは第1のコードブックおよび1つまたは複数の第2のコードブックが属している第3のコードブック集合、ならびに第1のデータストリームおよび第2のデータストリームが属している複数の端末デバイスへの第3のコードブック集合内のコードブックの割り振りに関する情報を示すために使用され、第1の端末デバイスランク情報は複数の端末デバイスにおける端末デバイスのランクを示すために使用され、
プロセッサ910によって、コードブック指示情報に従って第1のコードブックおよび1つまたは複数の第2のコードブックを決定するステップは、
第1のモード情報および第1の端末デバイスランク情報に従って、第1のモードによって示されている第3のコードブック集合において、第1の端末デバイスランク情報に対応する第1のコードブックおよび1つまたは複数の第2のコードブックを決定するステップであって、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たす、ステップを含む。
【０７８１】
適宜、一実施形態において、受信機940によって受信されたコードブック指示情報は、第2のモード情報と、第2の端末デバイスランク情報と、第3のコードブック集合情報とを含み、第2のモード情報は第2のモードを示すために使用され、第2のモードは、第1のコードブックおよび1つまたは複数の第2のコードブックが属している第2の特徴行列、ならびに第1のデータストリームおよび第2のデータストリームが属している複数の端末デバイスへの第2の特徴行列内の特徴シーケンスの割り振りに関する情報を示すために使用され、第2の端末デバイスランク情報は複数の端末デバイスにおける端末デバイスのランクを示すために使用され、第3のコードブック集合情報は複数の端末デバイスの各々によってそれぞれ使用され、第2の特徴行列に対応するコードブック集合を示すために使用され、第3のコードブック集合情報は、上で説明されているように、オプションであってよく、
プロセッサ910によって、コードブック指示情報に従って第1のコードブックおよび1つまたは複数の第2のコードブックを決定するステップは、
第2のモード情報、第2の端末デバイスランク情報、および第3のコードブック集合情報に従って、第2のモードによって示される第2の特徴行列に対応する1つまたは複数のコードブック集合において、第2の端末デバイスランク情報に対応する第1のコードブックおよび1つまたは複数の第2のコードブックを決定するステップであって、各特徴行列は1つまたは複数のコードブック集合に対応し、特徴行列は2つ以上の特徴シーケンスからなり、特徴シーケンスは0要素と1要素とからなり、0要素は0要素に対応するロケーションにおける対応するコードブック内のすべてのコードワードの変調シンボルがすべて0変調シンボルであることを意味し、1要素は1要素に対応するロケーションにおける対応するコードブック内のすべてのコードワードの変調シンボルがすべて0変調シンボルであるとは限らないか、またはすべて非0変調シンボルであることを意味し、各コードブック集合は、少なくとも1つのコードブックを含み、コードブック集合は同じコードブック集合内のコードワードが同じ総数の変調シンボルを有し、同じコードブック集合内のコードブックが同じ総数のコードワードを有するという条件を満たし、コードブック集合内の各コードブックは特徴行列内の各特徴シーケンスにそれぞれ対応する、ステップを含む。第3のコードブック集合情報は、上で説明されているように、オプションであってよい。
【０７８２】
本発明のこの実施形態による指示情報伝送装置900は、本発明の実施形態における端末デバイスおよび装置600に対応するものとしてよく、本発明の実施形態による方法を実行するための対応するエンティティに対応するものとしてよく、装置900内のモジュールの前述および他の動作および/または機能は、図6から図8、図18、および図19の方法における対応する手順を実装するために別々に使用され、本明細書では簡潔にするために詳しく説明されていないことが理解されるであろう。
【０７８３】
したがって、本発明のこの実施形態における指示情報伝送装置によれば、ネットワークデバイスは、1つまたは複数のコードブックにおいて、第1のダウンリンクデータストリームを端末デバイスに送信するために使用される第1のコードブックを決定し、第2のダウンリンクデータストリームを送信するために使用される1つまたは複数の第2のコードブックを決定し、第2のダウンリンクデータストリームは第1のダウンリンクデータストリームに対して使用される時間周波数リソースで搬送される第1のダウンリンクデータストリーム以外の1つまたは複数のダウンリンクデータストリームであり、さらに第1のコードブックおよび1つまたは複数の第2のコードブックを示すために使用されるコードブック指示情報を決定し、コードブック指示情報を端末デバイスに送信し、それにより、端末デバイスは同じ時間周波数リソース上で搬送されるすべてのデータストリームに使用されるコードブックを決定することができ、コードブックに従って、ネットワークデバイスによって端末デバイスに送信された第1のデータストリームを復号することができる。このようにして、ネットワークデバイスおよび端末デバイスは、コードブックに基づきダウンリンクデータ伝送を実行することができ、システムのネットワーク容量は、効果的に改善され得る。
【０７８４】
「システム」および「ネットワーク」という用語は、本明細書では入れ替えて使用され得ることが理解されるであろう。本明細書における「および/または」(「および/もしくは」、「ならびに/または」)は、関連付けられている対象を説明するための関連付け関係のみを説明し、3つの関係が存在し得ることを表す。たとえば、Aおよび/またはBは、次の3つの場合を表し得る。Aのみが存在する、AとBが両方とも存在する、およびBのみが存在する。それに加えて、本明細書における文字「/」は、一般的に、関連付けられている対象の間の「または」の関係を示す。
【０７８５】
本発明の実施形態において、「Aに対応するB」は、BがAに関連付けられていることを示し、BはAに従って決定され得ることが理解されるであろう。しかしながら、Aに従ってBを決定することは、BがAのみに従って決定されることを意味しない、すなわち、Bは、また、Aおよび/または他の情報に従って決定され得ることが理解されるであろう。
【０７８６】
本明細書で使用されている「コンポーネント」、「モジュール」、および「システム」などの用語は、コンピュータ関連のエンティティ、ハードウェア、ファームウェア、ハードウェアとソフトウェアの組合せ、ソフトウェア、または実行中のソフトウェアを示すために使用される。たとえば、コンポーネントは、限定はしないが、プロセッサ上で実行されるプロセス、プロセッサ、オブジェクト、実行可能ファイル、実行のスレッド、プログラム、および/またはコンピュータであってよい。図に示されているように、コンピューティングデバイスおよびコンピューティングデバイス上で実行されるアプリケーションは両方とも、コンポーネントであり得る。1つまたは複数のコンポーネントは、1つのプロセスおよび/または実行スレッド内にあるものとしてよく、コンポーネントは、1台のコンピュータに配置され、および/または2つ以上のコンピュータ間に分散され得る。それに加えて、これらのコンポーネントは、様々なデータ構造を記憶する様々なコンピュータ可読媒体から実行され得る。たとえば、コンポーネントは、ローカルおよび/またはリモートプロセスを使用することによって、たとえば、1つまたは複数のデータパケット(たとえば、ローカルシステム内、分散システム内、および/または信号を使用することによって他のシステムと相互にやり取りするインターネットなどのネットワーク上の別のコンポーネントと相互にやり取りする1つのコンポーネントからのデータ)を有する信号に従って通信することができる。
【０７８７】
それに加えて、本発明の態様または特徴は、標準的なプログラミング技法および/または工学技法を使用する方法、装置、または製品として実装され得る。本出願において使用されている「製品」という用語は、コンピュータ可読コンポーネント、キャリア、または媒体からアクセスできるコンピュータプログラムを対象とする。たとえば、コンピュータ可読媒体は、限定はしないが、磁気記憶コンポーネント(たとえば、ハードディスク、フロッピーディスク、または磁気テープ)、光ディスク(たとえば、CD(Compact Disk、コンパクトディスク)、DVD(Digital Versatile Disk、デジタル多用途ディスク)、スマートカードおよびフラッシュメモリコンポーネント(たとえば、EPROM(Erasable Programmable Read-Only Memory、消去可能プログラマブルリードオンリーメモリ)、カード、スティック、またはキードライブ)を含み得る。それに加えて、本明細書で説明されている様々な記憶媒体は、情報を記憶するために使用される1つまたは複数のデバイスおよび/または他の機械可読媒体を示し得る。「機械可読媒体」という用語は、限定はしないが、無線チャネル、ならびに命令および/またはデータを記憶し、含み、および/または搬送することができる様々な他の媒体を含み得る。
【０７８８】
当業者であれば、本明細書で開示されている実施形態を参照しつつ説明されている例におけるユニットおよびステップは、電子ハードウェア、コンピュータソフトウェア、またはこれらの組合せによって実装され得ることに気づき得る。ハードウェアとソフトウェアとの間の互換性を明確に説明するために、前述の説明では、一般的に、機能に従って各実施例のコンポーネントおよびステップを説明している、これらの機能が、ハードウェアによって実行されるのか、ソフトウェアによって実行されるのかは、特定の用途および技術的解決方法の設計上の制約条件で決まる。当業者は、それぞれの特定の用途に対して説明されている機能を実装するために異なる方法を使用することができるが、その実装は、本発明の範囲を超えるものと考えられるべきでない。
【０７８９】
説明をわかりやすく、簡潔にするために、前述のシステム、装置、およびユニットの詳細な作動プロセスについて、前述の方法実施形態における対応するプロセスが参照され得ることは当業者によって明確に理解されるものとしてよく、詳細について本明細書で説明することはしない。
【０７９０】
本出願において提供されるいくつかの実施形態において、開示されているシステム、装置、および方法は、他の方式で実装され得ることが理解されるであろう。たとえば、説明されている装置の実施形態は、単なる例にすぎない。たとえば、ユニットを分けることは、単に論理機能を分けることであり、実際の実装では他の分け方であってもよい。たとえば、複数のユニットまたは構成要素が、別のシステム内に組み合わされ得るか、もしくは一体化され得るか、またはいくつかの特徴が無視され得るか、もしくは実施され得ない。それに加えて、表示されているか、または説明されている相互結合または直接的結合または通信接続は、装置もしくはユニットの間のいくつかのインターフェース、間接的結合、もしくは通信接続、または電気的接続、機械的接続、もしくは他の形態の接続を通じて実装され得る。
【０７９１】
分離している部分として説明されるユニットは、物理的に分離し得るかまたは分離し得ず、ユニットとして表示される部分は、物理的ユニットであり得るかまたは物理的ユニットであり得ず、1つの位置に配置され得るか、または複数のネットワークユニット上に分散され得る。ユニットの一部または全部は、本発明の実施形態の解決方法の目的を達成するために実際に必要になるものに従って選択され得る。
【０７９２】
それに加えて、本発明の実施形態における機能ユニットは、1つの処理ユニット内に一体化され得るか、またはユニットの各々が、物理的に単独で存在し得るか、または2つ以上のユニットが、1つのユニット内に一体化され得る。一体化されたユニットは、ハードウェアの形態で実装され得るか、またはソフトウェア機能ユニットの形態で実装され得る。
【０７９３】
一体化されたユニットがソフトウェア機能ユニットの形態で実装され、独立した製品として販売または使用される場合、一体化されたユニットは、コンピュータ可読記憶媒体に記憶され得る。このような理解に基づき、本質的に本発明の技術的解決方法、または従来技術に寄与する部分、または技術的解決方法の全部もしくは一部は、ソフトウェア製品の形態で実装され得る。ソフトウェア製品は、記憶媒体に記憶され、本発明の実施形態において説明されている方法のステップのうちの全部または一部を実行するようにコンピュータデバイス(パーソナルコンピュータ、サーバ、またはネットワークデバイスであってよい)に命令するための複数の命令を含む。前述の記憶媒体は、USBフラッシュドライブ、取り外し可能なハードディスク、リードオンリーメモリ(ROM、Read-Only Memory)、ランダムアクセスメモリ(RAM、Random Access Memory)、磁気ディスク、または光ディスクなどの、プログラムコードを記憶することができる媒体を含む。
【０７９４】
前述の説明は、本発明の特定の実施形態にすぎず、本発明の保護範囲を限定することは意図されていない。本発明において開示されている技術の範囲内で当業者が容易に考え付く変更形態または代替形態は、本発明の保護範囲内にあるものとする。したがって、本発明の保護範囲は、請求項の保護範囲に従うものとする。
【０７９５】
また、本願の開示は、以下の実施形態を含む。
【０７９６】
例１  指示情報伝送方法であって、
1つまたは複数のコードブックにおいて、第1のダウンリンクデータストリームを端末デバイスに送信するために使用される第1のコードブックを決定するステップであって、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含む、ステップと、
第2のダウンリンクデータストリームを送信するために使用される1つまたは複数の第2のコードブックを決定するステップであって、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームである、ステップと、
前記第1のコードブックおよび前記1つまたは複数の第2のコードブックを示すために使用されるコードブック指示情報を決定するステップと、
前記コードブック指示情報を前記端末デバイスに送信するステップとを含む方法。
【０７９７】
例２  前記第1のコードブックおよび前記1つまたは複数の第2のコードブックを示すために使用されるコードブック指示情報を決定する前記ステップは、
前記第1のコードブックが属している第1のコードブック集合と、前記1つまたは複数の第2のコードブックが属している1つまたは複数の第2のコードブック集合と、前記第1のコードブック集合および前記1つまたは複数の第2のコードブック集合が属している第1のコードブッククラスタとを決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、ステップと、
前記コードブック指示情報を決定するステップであって、前記コードブック指示情報は第1のコードブッククラスタ情報、第1のコードブック集合情報、および第1の指示情報を含み、前記第1のコードブッククラスタ情報は、前記第1のコードブッククラスタを示すために使用され、前記第1のコードブック集合情報は、前記第1のコードブッククラスタ内の前記第1のコードブック集合を示すために使用され、前記第1の指示情報は、前記第1のコードブック集合内の前記第1のコードブックを示すために使用され、前記第1の指示情報は、前記第1のコードブッククラスタ内の前記1つまたは複数の第2のコードブック集合および前記1つまたは複数の第2のコードブック集合内の前記1つまたは複数の第2のコードブックを示すためにさらに使用される、ステップとを含む例1に記載の方法。
【０７９８】
例３  前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される例2に記載の方法。
【０７９９】
例４  前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である例2に記載の方法。
【０８００】
例５  前記第1の指示情報は、前記第1のコードブックおよび前記1つまたは複数の第2のコードブックの変調次数情報を含み、各コードブック集合内の各コードブックは、異なる変調次数を有する例3または4に記載の方法。
【０８０１】
例６  前記第1のコードブックおよび前記1つまたは複数の第2のコードブックを示すために使用されるコードブック指示情報を決定する前記ステップは、
前記第1のコードブックが属している第1の特徴シーケンスと、前記1つまたは複数の第2のコードブックが属している1つまたは複数の第2の特徴シーケンスと、前記第1の特徴シーケンスおよび前記1つまたは複数の第2の特徴シーケンスが属している第1の特徴行列とを決定するステップであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、ステップと、
前記コードブック指示情報を決定するステップであって、前記コードブック指示情報は第1の特徴行列情報、第1の特徴シーケンス情報、および第2の指示情報を含み、前記第1の特徴行列情報は前記第1の特徴行列を示すために使用され、前記第1の特徴シーケンス情報は前記第1の特徴行列内の前記第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の前記1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用される、ステップとを含む例1に記載の方法。
【０８０２】
例７  前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される例6に記載の方法。
【０８０３】
例８  前記第2の指示情報は、前記第1の特徴行列内のすべての特徴シーケンスと一対一対応関係にあるビット列情報のM個のグループを含み、ビット列情報の各グループは、対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは、前記第1のコードブックまたは前記対応する特徴シーケンスに対応する1つまたは複数のコードブック内の前記1つまたは複数の第2のコードブックを示すためにさらに使用され、Mは前記第1の特徴行列に含まれる特徴シーケンスの数である例6に記載の方法。
【０８０４】
例９  前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する例7または8に記載の方法。
【０８０５】
例１０  前記第1のコードブックおよび前記1つまたは複数の第2のコードブックを示すために使用されるコードブック指示情報を決定する前記ステップは、
第1のモードと前記第1のデータストリームおよび前記第2のデータストリームが属している複数の端末デバイスにおける前記端末デバイスのランクとを決定するステップであって、前記第1のモードは、前記第1のコードブックおよび前記1つまたは複数の第2のコードブックが属している第3のコードブック集合、ならびに前記複数の端末デバイスへの前記第3のコードブック集合内のコードブックの割り振りに関する情報を示すために使用され、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、ステップと、
前記コードブック指示情報を決定するステップであって、前記コードブック指示情報は第1のモード情報および第1の端末デバイスランク情報を含み、前記第1のモード情報は前記第1のモードを示すために使用され、前記第1の端末デバイスランク情報は前記複数の端末デバイスにおける前記端末デバイスの前記ランクを示すために使用される、ステップとを含む例1に記載の方法。
【０８０６】
例１１  前記第1のコードブックおよび前記1つまたは複数の第2のコードブックを示すために使用されるコードブック指示情報を決定する前記ステップは、
第2のモードと、前記第1のデータストリームおよび前記第2のデータストリームが属している複数の端末デバイスにおける前記端末デバイスのランクと、前記複数の端末デバイスの各々によって使用されるコードブック集合とを決定するステップであって、前記第2のモードは、前記第1のコードブックおよび前記1つまたは複数の第2のコードブックが属している第2の特徴行列、ならびに前記複数の端末デバイスへの前記第2の特徴行列内の特徴シーケンスの割り振りに関する情報を示すために使用され、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、ステップと、
前記コードブック指示情報を決定するステップであって、前記コードブック指示情報は第2のモード情報と、第2の端末デバイスランク情報と、第3のコードブック集合情報とを含み、前記第2のモード情報は前記第2のモードを示すために使用され、前記第2の端末デバイスランク情報は前記複数の端末デバイスにおける前記端末デバイスの前記ランクを示すために使用され、前記第3のコードブック集合情報は各端末デバイスによって使用され、前記第2の特徴行列に対応する前記コードブック集合を示すために使用される、ステップとを含む例1に記載の方法。
【０８０７】
例１２  前記コードブック指示情報を前記端末デバイスに送信する前記ステップは、
ダウンリンクスケジューリングメッセージ、専用上位層制御シグナリング、またはシステムブロードキャストメッセージを前記端末デバイスに送信するステップであって、前記ダウンリンクスケジューリングメッセージ、前記専用上位層制御シグナリング、および前記システムブロードキャストメッセージは前記コードブック指示情報を含む、ステップを含む例1から11のいずれか一項に記載の方法。
【０８０８】
例１３  前記専用上位層制御シグナリングは、無線リソース制御RRC接続確立メッセージとRRC接続再構成メッセージとを含む例12に記載の方法。
【０８０９】
例１４  前記コードブック指示情報は、ビット列情報である例1から13のいずれか一項に記載の方法。
【０８１０】
例１５  前記コードブックは、スパース符号多元接続SCMAコードブックである例1から14のいずれか一項に記載の方法。
【０８１１】
例１６  前記コードブックに含まれているコードワードの0変調シンボルの数は、非0変調シンボルの数以上である例15に記載の方法。
【０８１２】
例１７  指示情報伝送方法であって、
ネットワークデバイスによって送信されたコードブック指示情報を受信するステップであって、前記コードブック指示情報は、第1のダウンリンクデータストリームを送信するために前記ネットワークデバイスによって使用される第1のコードブック、および第2のダウンリンクデータストリームを送信するために前記ネットワークデバイスによって使用される1つまたは複数の第2のコードブックを示すために使用され、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームであり、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含む、ステップと、
前記コードブック指示情報に従って前記第1のコードブックおよび前記1つまたは複数の第2のコードブックを決定するステップと、
前記第1のコードブックおよび前記1つまたは複数の第2のコードブックに従って、前記ネットワークデバイスによって送信された前記第1のダウンリンクデータストリームを復号するステップとを含む方法。
【０８１３】
例１８  前記コードブック指示情報は、第1のコードブッククラスタ情報、第1のコードブック集合情報、および第1の指示情報を含み、前記第1のコードブッククラスタ情報は、第1のコードブッククラスタを示すために使用され、前記第1のコードブック集合情報は、前記第1のコードブッククラスタ内の第1のコードブック集合を示すために使用され、前記第1の指示情報は、前記第1のコードブック集合内の前記第1のコードブックを示すために使用され、前記第1の指示情報は、前記第1のコードブッククラスタ内の1つまたは複数の第2のコードブック集合および前記1つまたは複数の第2のコードブック集合内の前記1つまたは複数の第2のコードブックを示すためにさらに使用され、
前記コードブック指示情報に従って前記第1のコードブックおよび前記1つまたは複数の第2のコードブックを決定する前記ステップは、
前記第1のコードブッククラスタ情報、前記第1のコードブック集合情報、および前記第1の指示情報に従って、前記第1のコードブッククラスタに含まれる前記第1のコードブック集合内の前記第1のコードブックと、前記第1のコードブッククラスタに含まれる前記1つまたは複数の第2のコードブック集合内の前記1つまたは複数の第2のコードブックとを決定するステップであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、ステップを含む例17に記載の方法。
【０８１４】
例１９  前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される例18に記載の方法。
【０８１５】
例２０  前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である例18に記載の方法。
【０８１６】
例２１  前記第1の指示情報は、前記第1のコードブックおよび前記1つまたは複数の第2のコードブックの変調次数情報を含み、各コードブック集合内の各コードブックは、異なる変調次数を有する例19または20に記載の方法。
【０８１７】
例２２  前記コードブック指示情報は、第1の特徴行列情報、第1の特徴シーケンス情報、および第2の指示情報を含み、前記第1の特徴行列情報は第1の特徴行列を示すために使用され、前記第1の特徴シーケンス情報は前記第1の特徴行列内の第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用され、
前記コードブック指示情報に従って前記第1のコードブックおよび前記1つまたは複数の第2のコードブックを決定する前記ステップは、
前記第1の特徴行列情報、前記第1の特徴シーケンス情報、および前記第2の指示情報に従って、前記第1の特徴行列に含まれる前記第1の特徴シーケンスに対応する前記1つまたは複数のコードブックのうちの前記第1のコードブックと、前記第1の特徴行列に含まれる前記1つまたは複数の第2の特徴シーケンス内の前記1つまたは複数の第2のコードブックとを決定するステップであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、ステップを含む例17に記載の方法。
【０８１８】
例２３  前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される例22に記載の方法。
【０８１９】
例２４  前記第2の指示情報は、前記第1の特徴行列内のすべての特徴シーケンスと一対一対応関係にあるビット列情報のM個のグループを含み、ビット列情報の各グループは、対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは、前記第1のコードブックまたは前記対応する特徴シーケンスに対応する1つまたは複数のコードブック内の前記1つまたは複数の第2のコードブックを示すためにさらに使用され、Mは前記第1の特徴行列に含まれる特徴シーケンスの数である例22に記載の方法。
【０８２０】
例２５  前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する例23または24に記載の方法。
【０８２１】
例２６  前記コードブック指示情報は第1のモード情報および第1の端末デバイスランク情報を含み、前記第1のモード情報は第1のモードを示すために使用され、前記第1のモードは前記第1のコードブックおよび前記1つまたは複数の第2のコードブックが属している第3のコードブック集合、ならびに前記第1のデータストリームおよび前記第2のデータストリームが属している複数の端末デバイスへの前記第3のコードブック集合内のコードブックの割り振りに関する情報を示すために使用され、前記第1の端末デバイスランク情報は前記複数の端末デバイスにおける前記端末デバイスのランクを示すために使用され、
前記コードブック指示情報に従って前記第1のコードブックおよび前記1つまたは複数の第2のコードブックを決定する前記ステップは、
前記第1のモード情報および前記第1の端末デバイスランク情報に従って、前記第1のモードによって示されている前記第3のコードブック集合において、前記第1の端末デバイスランク情報に対応する前記第1のコードブックおよび前記1つまたは複数の第2のコードブックを決定するステップであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、ステップを含む例17に記載の方法。
【０８２２】
例２７  前記コードブック指示情報は第2のモード情報、第2の端末デバイスランク情報、および第3のコードブック集合情報を含み、前記第2のモード情報は第2のモードを示すために使用され、前記第2のモードは前記第1のコードブックおよび前記1つまたは複数の第2のコードブックが属している第2の特徴行列、ならびに前記第1のデータストリームおよび前記第2のデータストリームが属している複数の端末デバイスへの前記第2の特徴行列内の特徴シーケンスの割り振りに関する情報を示すために使用され、前記第2の端末デバイスランク情報は前記複数の端末デバイスにおける前記端末デバイスのランクを示すために使用され、前記第3のコードブック集合情報は前記複数の端末デバイスの各々によってそれぞれ使用され、前記第2の特徴行列に対応するコードブック集合を示すために使用され、
前記コードブック指示情報に従って前記第1のコードブックおよび前記1つまたは複数の第2のコードブックを決定する前記ステップは、
前記第2のモード情報、前記第2の端末デバイスランク情報、および前記第3のコードブック集合情報に従って、前記第2のモードによって示される前記第2の特徴行列に対応する1つまたは複数のコードブック集合において、前記第2の端末デバイスランク情報に対応する前記第1のコードブックおよび前記1つまたは複数の第2のコードブックを決定するステップであって、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、ステップを含む例17に記載の方法。
【０８２３】
例２８  ネットワークデバイスによって送信されたコードブック指示情報を受信する前記ステップは、
ダウンリンクスケジューリングメッセージ、専用上位層制御シグナリング、または前記ネットワークデバイスによって送信されたシステムブロードキャストメッセージを受信するステップであって、前記ダウンリンクスケジューリングメッセージ、前記専用上位層制御シグナリング、および前記システムブロードキャストメッセージは前記コードブック指示情報を含む、ステップを含む例17から27のいずれか一項に記載の方法。
【０８２４】
例２９  前記専用上位層制御シグナリングは、無線リソース制御RRC接続確立メッセージとRRC接続再構成メッセージとを含む例28に記載の方法。
【０８２５】
例３０  前記コードブック指示情報は、ビット列情報である例17から29のいずれか一項に記載の方法。
【０８２６】
例３１  前記コードブックは、スパース符号多元接続SCMAコードブックである例17から30のいずれか一項に記載の方法。
【０８２７】
例３２  前記コードブックに含まれているコードワードの0変調シンボルの数は、非0変調シンボルの数以上である例31に記載の方法。
【０８２８】
例３３  指示情報伝送装置であって、
1つまたは複数のコードブックにおいて、第1のダウンリンクデータストリームを端末デバイスに送信するために使用される第1のコードブックを決定するように構成されている第1の決定モジュールであって、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含む、第1の決定モジュールと、
第2のダウンリンクデータストリームを送信するために使用される1つまたは複数の第2のコードブックを決定するように構成されている第2の決定モジュールであって、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームである、第2の決定モジュールと、
前記第1の決定モジュールによって決定された前記第1のコードブックおよび前記第2の決定モジュールによって決定された前記1つまたは複数の第2のコードブックを示すために使用されるコードブック指示情報を決定するように構成されている第3の決定モジュールと、
前記第3の決定モジュールによって決定された前記コードブック指示情報を前記端末デバイスに送信するように構成されている送信モジュールとを備える指示情報伝送装置。
【０８２９】
例３４  前記第3の決定モジュールは、
前記第1のコードブックが属している第1のコードブック集合と、前記1つまたは複数の第2のコードブックが属している1つまたは複数の第2のコードブック集合と、前記第1のコードブック集合および前記1つまたは複数の第2のコードブック集合が属している第1のコードブッククラスタとを決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、第1の決定ユニットと、
前記コードブック指示情報を決定するように構成されている第2の決定ユニットであって、前記コードブック指示情報は第1のコードブッククラスタ情報、第1のコードブック集合情報、および第1の指示情報を含み、前記第1のコードブッククラスタ情報は、前記第1のコードブッククラスタを示すために使用され、前記第1のコードブック集合情報は、前記第1のコードブッククラスタ内の前記第1のコードブック集合を示すために使用され、前記第1の指示情報は、前記第1のコードブック集合内の前記第1のコードブックを示すために使用され、前記第1の指示情報は前記第1のコードブッククラスタ内の前記1つまたは複数の第2のコードブック集合および前記1つまたは複数の第2のコードブック集合内の前記1つまたは複数の第2のコードブックを示すためにさらに使用される、第2の決定ユニットとを備える例33に記載の装置。
【０８３０】
例３５  前記第2の決定ユニットによって決定された前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される例34に記載の装置。
【０８３１】
例３６  前記第2の決定ユニットによって決定された前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である例34に記載の装置。
【０８３２】
例３７  前記第2の決定ユニットによって決定された前記第1の指示情報は、前記第1のコードブックおよび前記1つまたは複数の第2のコードブックの変調次数情報を含み、各コードブック集合内の各コードブックは、異なる変調次数を有する例35または36に記載の装置。
【０８３３】
例３８  前記第3の決定モジュールは、
前記第1のコードブックが属している第1の特徴シーケンスと、前記1つまたは複数の第2のコードブックが属している1つまたは複数の第2の特徴シーケンスと、前記第1の特徴シーケンスおよび前記1つまたは複数の第2の特徴シーケンスが属している第1の特徴行列とを決定するように構成されている第3の決定ユニットであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、第3の決定ユニットと、
前記コードブック指示情報を決定するように構成されている第4の決定ユニットであって、前記コードブック指示情報は第1の特徴行列情報、第1の特徴シーケンス情報、および第2の指示情報を含み、前記第1の特徴行列情報は前記第1の特徴行列を示すために使用され、前記第1の特徴シーケンス情報は前記第1の特徴行列内の前記第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の前記1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用される、第4の決定ユニットとを備える例33に記載の装置。
【０８３４】
例３９  前記第4の決定ユニットによって決定された前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される例38に記載の装置。
【０８３５】
例４０  前記第4の決定ユニットによって決定された前記第2の指示情報は、前記第1の特徴行列内のすべての特徴シーケンスと一対一対応関係にあるビット列情報のM個のグループを含み、ビット列情報の各グループは対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは前記第1のコードブックまたは前記対応する特徴シーケンスに対応する1つまたは複数のコードブックのうちの前記1つまたは複数の第2のコードブックを示すためにさらに使用され、Mは前記第1の特徴行列に含まれる特徴シーケンスの数である例38に記載の装置。
【０８３６】
例４１  前記第4の決定ユニットによって決定された前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する例39または40に記載の装置。
【０８３７】
例４２  前記第3の決定モジュールは、
第1のモードと前記第1のデータストリームおよび前記第2のデータストリームが属している複数の端末デバイスにおける前記端末デバイスのランクとを決定するように構成されている第5の決定ユニットであって、前記第1のモードは、前記第1のコードブックおよび前記1つまたは複数の第2のコードブックが属している第3のコードブック集合、ならびに前記複数の端末デバイスへの前記第3のコードブック集合内のコードブックの割り振りに関する情報を示すために使用され、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第5の決定ユニットと、
前記コードブック指示情報を決定するように構成されている第6の決定ユニットであって、前記コードブック指示情報は第1のモード情報および第1の端末デバイスランク情報を含み、前記第1のモード情報は前記第1のモードを示すために使用され、前記第1の端末デバイスランク情報は前記複数の端末デバイスにおける前記端末デバイスの前記ランクを示すために使用される、第6の決定ユニットとを備える例33に記載の装置。
【０８３８】
例４３  前記第3の決定モジュールは、
第2のモードと、前記第1のデータストリームおよび前記第2のデータストリームが属している複数の端末デバイスにおける前記端末デバイスのランクと、前記複数の端末デバイスの各々によって使用されるコードブック集合とを決定する、第7の決定ユニットであって、前記第2のモードは、前記第1のコードブックおよび前記1つまたは複数の第2のコードブックが属している第2の特徴行列、ならびに前記複数の端末デバイスへの前記第2の特徴行列内の特徴シーケンスの割り振りに関する情報を示すために使用され、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、第7の決定ユニットと、
前記コードブック指示情報を決定するように構成されている第8の決定ユニットであって、前記コードブック指示情報は第2のモード情報と、第2の端末デバイスランク情報と、第3のコードブック集合情報とを含み、前記第2のモード情報は前記第2のモードを示すために使用され、前記第2の端末デバイスランク情報は前記複数の端末デバイスにおける前記端末デバイスの前記ランクを示すために使用され、前記第3のコードブック集合情報は各端末デバイスによって使用され、前記第2の特徴行列に対応する前記コードブック集合を示すために使用される、第8の決定ユニットとを備える例33に記載の装置。
【０８３９】
例４４  前記送信モジュールは、ダウンリンクスケジューリングメッセージ、専用上位層制御シグナリング、またはシステムブロードキャストメッセージを前記端末デバイスに送信するように特に構成され、前記ダウンリンクスケジューリングメッセージ、前記専用上位層制御シグナリング、および前記システムブロードキャストメッセージは前記コードブック指示情報を含む例33から43のいずれか一項に記載の装置。
【０８４０】
例４５  前記専用上位層制御シグナリングは、無線リソース制御RRC接続確立メッセージとRRC接続再構成メッセージとを含む例44に記載の装置。
【０８４１】
例４６  前記第3の決定モジュールによって決定された前記コードブック指示情報は、ビット列情報である例33から45のいずれか一項に記載の装置。
【０８４２】
例４７  前記コードブックは、スパース符号多元接続SCMAコードブックである例33から46のいずれか一項に記載の装置。
【０８４３】
例４８  前記コードブックに含まれているコードワードの0変調シンボルの数は、非0変調シンボルの数以上である例47に記載の装置。
【０８４４】
例４９  前記装置は、ネットワークデバイスである例33から48のいずれか一項に記載の装置。
【０８４５】
例５０  指示情報伝送装置であって、
ネットワークデバイスによって送信されたコードブック指示情報を受信するように構成されている受信モジュールであって、前記コードブック指示情報は、第1のダウンリンクデータストリームを送信するために前記ネットワークデバイスによって使用される第1のコードブック、および第2のダウンリンクデータストリームを送信するために前記ネットワークデバイスによって使用される1つまたは複数の第2のコードブックを示すために使用され、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームであり、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含む、受信モジュールと、
前記受信モジュールによって受信された前記コードブック指示情報に従って前記第1のコードブックおよび前記1つまたは複数の第2のコードブックを決定するように構成されている決定モジュールと、
前記第1のコードブックおよび前記決定モジュールによって決定された前記1つまたは複数の第2のコードブックに従って、前記ネットワークデバイスによって送信された前記第1のダウンリンクデータストリームを復号するように構成されている復号モジュールとを備える指示情報伝送装置。
【０８４６】
例５１  前記受信モジュールによって受信される前記コードブック指示情報は、第1のコードブッククラスタ情報、第1のコードブック集合情報、および第1の指示情報を含み、前記第1のコードブッククラスタ情報は、第1のコードブッククラスタを示すために使用され、前記第1のコードブック集合情報は、前記第1のコードブッククラスタ内の第1のコードブック集合を示すために使用され、前記第1の指示情報は、前記第1のコードブック集合内の前記第1のコードブックを示すために使用され、前記第1の指示情報は、前記第1のコードブッククラスタ内の1つまたは複数の第2のコードブック集合および前記1つまたは複数の第2のコードブック集合内の前記1つまたは複数の第2のコードブックを示すためにさらに使用され、
前記決定モジュールは、前記第1のコードブッククラスタ情報、前記第1のコードブック集合情報、および前記第1の指示情報に従って、前記第1のコードブッククラスタに含まれる前記第1のコードブック集合内の前記第1のコードブックと、前記第1のコードブッククラスタに含まれる前記1つまたは複数の第2のコードブック集合内の前記1つまたは複数の第2のコードブックとを決定するように構成されている第1の決定ユニットであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、第1の決定ユニットを備える例50に記載の装置。
【０８４７】
例５２  前記受信モジュールによって受信される前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される例51に記載の装置。
【０８４８】
例５３  前記受信モジュールによって受信された前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である例51に記載の装置。
【０８４９】
例５４  前記受信モジュールによって受信された前記第1の指示情報は、前記第1のコードブックおよび前記1つまたは複数の第2のコードブックの変調次数情報を含み、各コードブック集合内の各コードブックは、異なる変調次数を有する例52または53に記載の装置。
【０８５０】
例５５  前記受信モジュールによって受信された前記コードブック指示情報は、第1の特徴行列情報、第1の特徴シーケンス情報、および第2の指示情報を含み、前記第1の特徴行列情報は第1の特徴行列を示すために使用され、前記第1の特徴シーケンス情報は前記第1の特徴行列内の第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用され、
前記決定モジュールは、前記第1の特徴行列情報、前記第1の特徴シーケンス情報、および前記第2の指示情報に従って、前記第1の特徴行列に含まれる前記第1の特徴シーケンスに対応する前記1つまたは複数のコードブックのうちの前記第1のコードブックと、前記第1の特徴行列に含まれる前記1つまたは複数の第2の特徴シーケンス内の前記1つまたは複数の第2のコードブックとを決定するように構成されている第2の決定ユニットであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、第2の決定ユニットを備える例50に記載の装置。
【０８５１】
例５６  前記受信モジュールによって受信される前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される例55に記載の装置。
【０８５２】
例５７  前記受信モジュールによって受信された前記第2の指示情報は、前記第1の特徴行列内のすべての特徴シーケンスと一対一対応関係にあるビット列情報のM個のグループを含み、ビット列情報の各グループは対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは前記第1のコードブックまたは前記対応する特徴シーケンスに対応する1つまたは複数のコードブックのうちの前記1つまたは複数の第2のコードブックを示すためにさらに使用され、Mは前記第1の特徴行列に含まれる特徴シーケンスの数である例55に記載の装置。
【０８５３】
例５８  前記受信モジュールによって受信された前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する例56または57に記載の装置。
【０８５４】
例５９  前記受信モジュールによって受信された前記コードブック指示情報は、第1のモード情報および第1の端末デバイスランク情報を含み、前記第1のモード情報は第1のモードを示すために使用され、前記第1のモードは前記第1のコードブックおよび前記1つまたは複数の第2のコードブックが属している第3のコードブック集合、ならびに前記第1のデータストリームおよび前記第2のデータストリームが属している複数の端末デバイスへの前記第3のコードブック集合内のコードブックの割り振りに関する情報を示すために使用され、前記第1の端末デバイスランク情報は前記複数の端末デバイスにおける前記端末デバイスのランクを示すために使用され、
前記決定モジュールは、前記第1のモード情報および前記第1の端末デバイスランク情報に従って、前記第1のモードによって示されている前記第3のコードブック集合において、前記第1の端末デバイスランク情報に対応する前記第1のコードブックおよび前記1つまたは複数の第2のコードブックを決定するように構成されている第3の決定ユニットであって、各コードブック集合は、少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、第3の決定ユニットを備える例50に記載の装置。
【０８５５】
例６０  前記受信モジュールによって受信された前記コードブック指示情報は、第2のモード情報、第2の端末デバイスランク情報、および第3のコードブック集合情報を含み、前記第2のモード情報は第2のモードを示すために使用され、前記第2のモードは前記第1のコードブックおよび前記1つまたは複数の第2のコードブックが属している第2の特徴行列、ならびに前記第1のデータストリームおよび前記第2のデータストリームが属している複数の端末デバイスへの前記第2の特徴行列内の特徴シーケンスの割り振りに関する情報を示すために使用され、前記第2の端末デバイスランク情報は前記複数の端末デバイスにおける前記端末デバイスのランクを示すために使用され、前記第3のコードブック集合情報は前記複数の端末デバイスの各々によってそれぞれ使用され、前記第2の特徴行列に対応するコードブック集合を示すために使用され、
前記決定モジュールは、前記第2のモード情報、前記第2の端末デバイスランク情報、および前記第3のコードブック集合情報に従って、前記第2のモードによって示される前記第2の特徴行列に対応する1つまたは複数のコードブック集合において、前記第2の端末デバイスランク情報に対応する前記第1のコードブックおよび前記1つまたは複数の第2のコードブックを決定するように構成されている第4の決定ユニットであって、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、第4の決定ユニットを備える例50に記載の装置。
【０８５６】
例６１  前記受信モジュールは、ダウンリンクスケジューリングメッセージ、専用上位層制御シグナリング、またはネットワークデバイスによって送信されたシステムブロードキャストメッセージを受信するように特に構成され、前記ダウンリンクスケジューリングメッセージ、前記専用上位層制御シグナリング、および前記システムブロードキャストメッセージは前記コードブック指示情報を含む例50から60のいずれか一項に記載の装置。
【０８５７】
例６２  前記専用上位層制御シグナリングは、無線リソース制御RRC接続確立メッセージとRRC接続再構成メッセージとを含む例61に記載の装置。
【０８５８】
例６３  前記受信モジュールによって受信された前記コードブック指示情報は、ビット列情報である例50から62のいずれか一項に記載の装置。
【０８５９】
例６４  前記コードブックは、スパース符号多元接続SCMAコードブックである例50から63のいずれか一項に記載の装置。
【０８６０】
例６５  前記コードブックに含まれているコードワードの0変調シンボルの数は、非0変調シンボルの数以上である例64に記載の装置。
【０８６１】
例６６  前記装置は、端末デバイスである例50から65のいずれか一項に記載の装置。
【０８６２】
例６７  指示情報伝送装置であって、プロセッサ、メモリ、バスシステム、および送信機を備え、前記プロセッサ、前記メモリ、および前記送信機は、前記バスシステムを使用することによって接続され、前記メモリは、命令を記憶するように構成され、前記プロセッサは、信号を送信する前記送信機を制御するために、前記メモリに記憶されている前記命令を実行するように構成され、
前記プロセッサは、
1つまたは複数のコードブックにおいて、第1のダウンリンクデータストリームを端末デバイスに送信するために使用される第1のコードブックを決定するように構成され、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含み、
さらに第2のダウンリンクデータストリームを送信するために使用される1つまたは複数の第2のコードブックを決定するように構成され、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームであり、
さらに前記第1のコードブックおよび前記1つまたは複数の第2のコードブックを示すために使用されるコードブック指示情報を決定するように構成され、
前記送信機は、前記コードブック指示情報を前記端末デバイスに送信するように構成される指示情報伝送装置。
【０８６３】
例６８  前記プロセッサによって、前記第1のコードブックおよび前記1つまたは複数の第2のコードブックを示すために使用されるコードブック指示情報を決定する前記決定することは、
前記第1のコードブックが属している第1のコードブック集合と、前記1つまたは複数の第2のコードブックが属している1つまたは複数の第2のコードブック集合と、前記第1のコードブック集合および前記1つまたは複数の第2のコードブック集合が属している第1のコードブッククラスタとを決定することであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、決定することと、
前記コードブック指示情報を決定することであって、前記コードブック指示情報は第1のコードブッククラスタ情報、第1のコードブック集合情報、および第1の指示情報を含み、前記第1のコードブッククラスタ情報は、前記第1のコードブッククラスタを示すために使用され、前記第1のコードブック集合情報は、前記第1のコードブッククラスタ内の前記第1のコードブック集合を示すために使用され、前記第1の指示情報は、前記第1のコードブック集合内の前記第1のコードブックを示すために使用され、前記第1の指示情報は、前記第1のコードブッククラスタ内の前記1つまたは複数の第2のコードブック集合および前記1つまたは複数の第2のコードブック集合内の前記1つまたは複数の第2のコードブックを示すためにさらに使用される、決定することとを含む例67に記載の装置。
【０８６４】
例６９  前記プロセッサによって決定された前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される例68に記載の装置。
【０８６５】
例７０  前記プロセッサによって決定された前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である例68に記載の装置。
【０８６６】
例７１  前記プロセッサによって決定された前記第1の指示情報は、前記第1のコードブックおよび前記1つまたは複数の第2のコードブックの変調次数情報を含み、各コードブック集合内の各コードブックは、異なる変調次数を有する例69または70に記載の装置。
【０８６７】
例７２  前記プロセッサによって、前記第1のコードブックおよび前記1つまたは複数の第2のコードブックを示すために使用されるコードブック指示情報を決定する前記決定することは、
前記第1のコードブックが属している第1の特徴シーケンスと、前記1つまたは複数の第2のコードブックが属している1つまたは複数の第2の特徴シーケンスと、前記第1の特徴シーケンスおよび前記1つまたは複数の第2の特徴シーケンスが属している第1の特徴行列とを決定することであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、決定することと、
前記コードブック指示情報を決定することであって、前記コードブック指示情報は第1の特徴行列情報、第1の特徴シーケンス情報、および第2の指示情報を含み、前記第1の特徴行列情報は前記第1の特徴行列を示すために使用され、前記第1の特徴シーケンス情報は前記第1の特徴行列内の前記第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の前記1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用される、決定することとを含む例67に記載の装置。
【０８６８】
例７３  前記プロセッサによって決定された前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される例72に記載の装置。
【０８６９】
例７４  前記プロセッサによって決定された前記第2の指示情報は、前記第1の特徴行列内のすべての特徴シーケンスと一対一対応関係にあるビット列情報のM個のグループを含み、ビット列情報の各グループは、対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは、前記第1のコードブックまたは前記対応する特徴シーケンスに対応する1つまたは複数のコードブック内の前記1つまたは複数の第2のコードブックを示すためにさらに使用され、Mは前記第1の特徴行列に含まれる特徴シーケンスの数である例72に記載の装置。
【０８７０】
例７５  前記プロセッサによって決定された前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する例73または74に記載の装置。
【０８７１】
例７６  前記プロセッサによって、前記第1のコードブックおよび前記1つまたは複数の第2のコードブックを示すために使用されるコードブック指示情報を決定する前記決定することは、
第1のモードと前記第1のデータストリームおよび前記第2のデータストリームが属している複数の端末デバイスにおける前記端末デバイスのランクとを決定することであって、前記第1のモードは、前記第1のコードブックおよび前記1つまたは複数の第2のコードブックが属している第3のコードブック集合、ならびに前記複数の端末デバイスへの前記第3のコードブック集合内のコードブックの割り振りに関する情報を示すために使用され、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、決定することと、
前記コードブック指示情報を決定することであって、前記コードブック指示情報は第1のモード情報および第1の端末デバイスランク情報を含み、前記第1のモード情報は前記第1のモードを示すために使用され、前記第1の端末デバイスランク情報は前記複数の端末デバイスにおける前記端末デバイスの前記ランクを示すために使用される、決定することとを含む例67に記載の装置。
【０８７２】
例７７  前記プロセッサによって、前記第1のコードブックおよび前記1つまたは複数の第2のコードブックを示すために使用されるコードブック指示情報を決定する前記決定することは、
第2のモードと、前記第1のデータストリームおよび前記第2のデータストリームが属している複数の端末デバイスにおける前記端末デバイスのランクと、前記複数の端末デバイスの各々によって使用されるコードブック集合とを決定することであって、前記第2のモードは、前記第1のコードブックおよび前記1つまたは複数の第2のコードブックが属している第2の特徴行列、ならびに前記複数の端末デバイスへの前記第2の特徴行列内の特徴シーケンスの割り振りに関する情報を示すために使用され、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、決定することと、
前記コードブック指示情報を決定することであって、前記コードブック指示情報は第2のモード情報と、第2の端末デバイスランク情報と、第3のコードブック集合情報とを含み、前記第2のモード情報は前記第2のモードを示すために使用され、前記第2の端末デバイスランク情報は前記複数の端末デバイスにおける前記端末デバイスの前記ランクを示すために使用され、前記第3のコードブック集合情報は各端末デバイスによって使用され、前記第2の特徴行列に対応する前記コードブック集合を示すために使用される、決定することとを含む例67に記載の装置。
【０８７３】
例７８  前記送信機によって、前記コードブック指示情報を前記端末デバイスに送信する前記送信することは、
ダウンリンクスケジューリングメッセージ、専用上位層制御シグナリング、またはシステムブロードキャストメッセージを前記端末デバイスに送信することであって、前記ダウンリンクスケジューリングメッセージ、前記専用上位層制御シグナリング、および前記システムブロードキャストメッセージは前記コードブック指示情報を含む、送信することを含む例67から77のいずれか一項に記載の装置。
【０８７４】
例７９  前記専用上位層制御シグナリングは、無線リソース制御RRC接続確立メッセージとRRC接続再構成メッセージとを含む例78に記載の装置。
【０８７５】
例８０  前記プロセッサによって決定された前記コードブック指示情報は、ビット列情報である例67から79のいずれか一項に記載の装置。
【０８７６】
例８１  前記コードブックは、スパース符号多元接続SCMAコードブックである例67から80のいずれか一項に記載の装置。
【０８７７】
例８２  前記コードブックに含まれているコードワードの0変調シンボルの数は、非0変調シンボルの数以上である例81に記載の装置。
【０８７８】
例８３  前記装置は、ネットワークデバイスである例67から82のいずれか一項に記載の装置。
【０８７９】
例８４  指示情報伝送装置であって、プロセッサ、メモリ、バスシステム、および受信機を備え、前記プロセッサ、前記メモリ、および前記受信機は、前記バスシステムを使用することによって接続され、前記メモリは、命令を記憶するように構成され、前記プロセッサは、信号を受信する前記受信機を制御するために、前記メモリに記憶されている前記命令を実行するように構成され、
前記受信機はネットワークデバイスによって送信されたコードブック指示情報を受信するように構成され、前記コードブック指示情報は、第1のダウンリンクデータストリームを送信するために前記ネットワークデバイスによって使用される第1のコードブック、および第2のダウンリンクデータストリームを送信するために前記ネットワークデバイスによって使用される1つまたは複数の第2のコードブックを示すために使用され、前記第2のダウンリンクデータストリームは前記第1のダウンリンクデータストリームに対して使用される時間周波数リソースで搬送される前記第1のダウンリンクデータストリーム以外の1つまたは複数のダウンリンクデータストリームであり、前記コードブックは2つ以上のコードワードからなり、前記コードワードは多次元複素ベクトルであり、データと少なくとも2つの変調シンボルとの間のマッピング関係を示すために使用され、前記少なくとも2つの変調シンボルは少なくとも1つの0変調シンボルと少なくとも1つの非0変調シンボルとを含み、
前記プロセッサは、前記コードブック指示情報に従って前記第1のコードブックおよび前記1つまたは複数の第2のコードブックを決定し、前記第1のコードブックおよび前記1つまたは複数の第2のコードブックに従って、前記ネットワークデバイスによって送信された前記第1のダウンリンクデータストリームを復号するように構成される指示情報伝送装置。
【０８８０】
例８５  前記受信機によって受信された前記コードブック指示情報は、第1のコードブッククラスタ情報、第1のコードブック集合情報、および第1の指示情報を含み、前記第1のコードブッククラスタ情報は、第1のコードブッククラスタを示すために使用され、前記第1のコードブック集合情報は、前記第1のコードブッククラスタ内の第1のコードブック集合を示すために使用され、前記第1の指示情報は、前記第1のコードブック集合内の前記第1のコードブックを示すために使用され、前記第1の指示情報は、前記第1のコードブッククラスタ内の1つまたは複数の第2のコードブック集合および前記1つまたは複数の第2のコードブック集合内の前記1つまたは複数の第2のコードブックを示すためにさらに使用され、
前記プロセッサによって、前記コードブック指示情報に従って前記第1のコードブックおよび前記1つまたは複数の第2のコードブックを決定する前記決定することは、
前記第1のコードブッククラスタ情報、前記第1のコードブック集合情報、および前記第1の指示情報に従って、前記第1のコードブッククラスタに含まれる前記第1のコードブック集合内の前記第1のコードブックと、前記第1のコードブッククラスタに含まれる前記1つまたは複数の第2のコードブック集合内の前記1つまたは複数の第2のコードブックとを決定することであって、各コードブッククラスタは少なくとも1つのコードブック集合を含み、各コードブック集合は少なくとも1つのコードブックを含み、前記コードブッククラスタは同じコードブッククラスタ内のコードワードが同じ総数の変調シンボルを有するという条件を満たし、前記コードブック集合は同じコードブック集合内の任意の2つのコードブックについて、一方のコードブック内のすべてのコードワードの変調シンボルが0変調シンボルであるロケーションが他方のコードブック内のすべてのコードワードの変調シンボルが0変調シンボルであるロケーションと同じであるという条件を満たすか、または前記コードブック集合は同じコードブック集合内のコードワードが同じ総数の変調シンボルを有し、同じコードブック集合内のコードブックが同じ総数のコードワードを有するという条件を満たす、決定することを含む例84に記載の装置。
【０８８１】
例８６  前記受信機によって受信された前記第1の指示情報は、第1のコードブック情報、第2のコードブック集合情報、および第2のコードブック情報を含み、前記第1のコードブック情報は、前記第1のコードブック集合内の前記第1のコードブックを示すために使用され、前記第2のコードブック集合情報は、前記第1のコードブッククラスタ内の前記1つまたは複数の第2のコードブック集合を示すために使用され、前記第2のコードブック情報は、前記1つまたは複数の第2のコードブック集合内の前記1つまたは複数の第2のコードブックを示すために使用される例85に記載の装置。
【０８８２】
例８７  前記受信機によって受信された前記第1の指示情報は、前記第1のコードブッククラスタ内のすべてのコードブック集合と一対一対応関係にあるビット列情報のM個のグループを含み、ビット列情報の各グループは、対応するコードブック集合が前記第1のコードブック集合または前記1つまたは複数の第2のコードブック集合に属しているかどうかを示すために使用され、ビット列情報の各グループに対応する前記コードブック集合が前記第1のコードブック集合または前記1つまたは複数の第2のコードブック集合に属しているときに、ビット列情報の各グループは、前記第1のコードブックまたは前記対応するコードブック集合内の前記1つまたは複数の第2のコードブックを示すためにさらに使用され、Mは前記第1のコードブッククラスタに含まれるコードブック集合の数である例85に記載の装置。
【０８８３】
例８８  前記受信機によって受信された前記第1の指示情報は、前記第1のコードブックおよび前記1つまたは複数の第2のコードブックの変調次数情報を含み、各コードブック集合内の各コードブックは、異なる変調次数を有する例86または87に記載の装置。
【０８８４】
例８９  前記受信機によって受信された前記コードブック指示情報は、第1の特徴行列情報、第1の特徴シーケンス情報、および第2の指示情報を含み、前記第1の特徴行列情報は第1の特徴行列を示すために使用され、前記第1の特徴シーケンス情報は前記第1の特徴行列内の第1の特徴シーケンスを示すために使用され、前記第2の指示情報は前記第1の特徴シーケンスに対応する1つまたは複数のコードブックのうちの前記第1のコードブックを示すために使用され、前記第2の指示情報は前記第1の特徴行列内の1つまたは複数の第2の特徴シーケンスおよび前記1つまたは複数の第2の特徴シーケンスに対応する1つまたは複数のコードブックのうちの前記1つまたは複数の第2のコードブックを示すためにさらに使用され、
前記プロセッサによって、前記コードブック指示情報に従って前記第1のコードブックおよび前記1つまたは複数の第2のコードブックを決定する前記決定することは、
前記第1の特徴行列情報、前記第1の特徴シーケンス情報、および前記第2の指示情報に従って、前記第1の特徴行列に含まれる前記第1の特徴シーケンスに対応する前記1つまたは複数のコードブックのうちの前記第1のコードブックと、前記第1の特徴行列に含まれる前記1つまたは複数の第2の特徴シーケンス内の前記1つまたは複数の第2のコードブックとを決定することであって、各特徴行列は2つ以上の特徴シーケンスからなり、各特徴シーケンスは1つまたは複数のコードブックに対応し、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味する、決定することを含む例84に記載の装置。
【０８８５】
例９０  前記受信機によって受信された前記第2の指示情報は、第3のコードブック情報、第2の特徴シーケンス情報、および第4のコードブック情報を含み、前記第3のコードブック情報は、前記第1の特徴シーケンスに対応する前記1つまたは複数のコードブックのうちの前記第1のコードブックを示すために使用され、前記第2の特徴シーケンス情報は、前記第1の特徴行列内の前記1つまたは複数の第2の特徴シーケンスを示すために使用され、前記第4のコードブック情報は、前記1つまたは複数の第2の特徴シーケンスに対応する前記1つまたは複数のコードブックのうちの前記1つまたは複数の第2のコードブックを示すために使用される例89に記載の装置。
【０８８６】
例９１  前記受信機によって受信された前記第2の指示情報は、前記第1の特徴行列内のすべての特徴シーケンスと一対一対応関係にあるビット列情報のM個のグループを含み、ビット列情報の各グループは、対応する特徴シーケンスが前記第1の特徴シーケンスまたは前記1つまたは複数の第2の特徴シーケンスに属しているかどうかを示すために使用され、ビット列情報の各グループに対応する前記特徴シーケンスが前記第1の特徴シーケンスまたは前記1つまたは複数の第2の特徴シーケンスに属しているときに、ビット列情報の各グループは、前記第1のコードブックまたは前記対応する特徴シーケンスに対応する1つまたは複数のコードブック内の前記1つまたは複数の第2のコードブックを示すためにさらに使用され、Mは前記第1の特徴行列に含まれる特徴シーケンスの数である例89に記載の装置。
【０８８７】
例９２  前記受信機によって受信された前記第2の指示情報は、前記第1のコードブックおよび前記1つまたは複数の第2のコードブックの変調次数情報を含み、各特徴シーケンスに対応する前記1つまたは複数のコードブックの各々は、異なる変調次数を有する例90または91に記載の装置。
【０８８８】
例９３  前記受信機によって受信された前記コードブック指示情報は、第1のモード情報および第1の端末デバイスランク情報を含み、前記第1のモード情報は第1のモードを示すために使用され、前記第1のモードは前記第1のコードブックおよび前記1つまたは複数の第2のコードブックが属している第3のコードブック集合、ならびに前記第1のデータストリームおよび前記第2のデータストリームが属している複数の端末デバイスへの前記第3のコードブック集合内のコードブックの割り振りに関する情報を示すために使用され、前記第1の端末デバイスランク情報は前記複数の端末デバイスにおける前記端末デバイスのランクを示すために使用され、
前記プロセッサによって、前記コードブック指示情報に従って前記第1のコードブックおよび前記1つまたは複数の第2のコードブックを決定する前記決定することは、
前記第1のモード情報および前記第1の端末デバイスランク情報に従って、前記第1のモードによって示されている前記第3のコードブック集合において、前記第1の端末デバイスランク情報に対応する前記第1のコードブックおよび前記1つまたは複数の第2のコードブックを決定することであって、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たす、決定することを含む例84に記載の装置。
【０８８９】
例９４  前記受信機によって受信された前記コードブック指示情報は、第2のモード情報、第2の端末デバイスランク情報、および第3のコードブック集合情報を含み、前記第2のモード情報は第2のモードを示すために使用され、前記第2のモードは前記第1のコードブックおよび前記1つまたは複数の第2のコードブックが属している第2の特徴行列、ならびに前記第1のデータストリームおよび前記第2のデータストリームが属している複数の端末デバイスへの前記第2の特徴行列内の特徴シーケンスの割り振りに関する情報を示すために使用され、前記第2の端末デバイスランク情報は前記複数の端末デバイスにおける前記端末デバイスのランクを示すために使用され、前記第3のコードブック集合情報は前記複数の端末デバイスの各々によってそれぞれ使用され、前記第2の特徴行列に対応するコードブック集合を示すために使用され、
前記プロセッサによって、前記コードブック指示情報に従って前記第1のコードブックおよび前記1つまたは複数の第2のコードブックを決定する前記決定することは、
前記第2のモード情報、前記第2の端末デバイスランク情報、および前記第3のコードブック集合情報に従って、前記第2のモードによって示される前記第2の特徴行列に対応する1つまたは複数のコードブック集合において、前記第2の端末デバイスランク情報に対応する前記第1のコードブックおよび前記1つまたは複数の第2のコードブックを決定することであって、各特徴行列は1つまたは複数のコードブック集合に対応し、前記特徴行列は2つ以上の特徴シーケンスからなり、前記特徴シーケンスは0要素と1要素とからなり、前記0要素は前記0要素に対応するロケーションにおける対応するコードブック内のすべてのコードワードの変調シンボルがすべて0変調シンボルであることを意味し、前記1要素は前記1要素に対応するロケーションにおける対応するコードブック内のすべてのコードワードの変調シンボルがすべて0変調シンボルであるとは限らないか、またはすべて非0変調シンボルであることを意味し、各コードブック集合は少なくとも1つのコードブックを含み、前記コードブック集合は同じコードブック集合内のコードワードが同じ総数の変調シンボルを有し、同じコードブック集合内のコードブックが同じ総数のコードワードを有するという条件を満たし、前記コードブック集合内の各コードブックは前記特徴行列内の各特徴シーケンスにそれぞれ対応する、決定することを含む例84に記載の装置。
【０８９０】
例９５  前記受信機によって、ネットワークデバイスによって送信されたコードブック指示情報を受信する前記受信することは、
ダウンリンクスケジューリングメッセージ、専用上位層制御シグナリング、または前記ネットワークデバイスによって送信されたシステムブロードキャストメッセージを受信することであって、前記ダウンリンクスケジューリングメッセージ、前記専用上位層制御シグナリング、および前記システムブロードキャストメッセージは前記コードブック指示情報を含む、受信することを含む例84から94のいずれか一項に記載の装置。
【０８９１】
例９６  前記専用上位層制御シグナリングは、無線リソース制御RRC接続確立メッセージとRRC接続再構成メッセージとを含む例95に記載の装置。
【０８９２】
例９７  前記受信機によって受信された前記コードブック指示情報は、ビット列情報である例84から96のいずれか一項に記載の装置。
【０８９３】
例９８  前記コードブックは、スパース符号多元接続SCMAコードブックである例84から97のいずれか一項に記載の装置。
【０８９４】
例９９  前記コードブックに含まれているコードワードの0変調シンボルの数は、非0変調シンボルの数以上である例98に記載の装置。
【０８９５】
例１００  前記装置は、端末デバイスである例84から99のいずれか一項に記載の装置。
【符号の説明】
【０８９６】
0および1  コードブック
2および4  コードブック
3および5  コードブック
1  リソースユニット
2  リソースユニット
3  データストリーム
4  データストリーム
6  データストリーム
100  通信システム
102  ネットワークデバイス
104および106  アンテナ
112および114  アンテナ
116  端末デバイス
118  順方向リンク
120  逆方向リンク
122  端末デバイス
124  順方向リンク
126  逆方向リンク
200  指示情報伝送方法
220  方法
230  方法
300  方法
500  指示情報伝送装置
510  第1の決定モジュール
520  第2の決定モジュール
530  第3の決定モジュール
531  第1の決定ユニット
532  第2の決定ユニット
533  第3の決定ユニット
534  第4の決定ユニット
535  第5の決定ユニット
536  第6の決定ユニット
537  第7の決定ユニット
540  送信モジュール
600  指示情報伝送装置
610  受信モジュール
620  決定モジュール
621  第1の決定ユニット
622  第2の決定ユニット
630  復号モジュール
800  指示情報伝送装置
810  プロセッサ
820  メモリ
830  バスシステム
840  送信機
900  指示情報伝送装置
910  プロセッサ
920  メモリ
930  バスシステム
940  受信機
【図１】
0006517347.tif 000078
【図２】
0006517347.tif 000079
【図３】
0006517347.tif 000080
【図４】
0006517347.tif 000081
【図５】
0006517347.tif 000082
【図６】
0006517347.tif 000083
【図７】
0006517347.tif 000084
【図８】
0006517347.tif 000085
【図９】
0006517347.tif 000086
【図１０】
0006517347.tif 000087
【図１１】
0006517347.tif 000088
【図１２】
0006517347.tif 000089
【図１３】
0006517347.tif 000090
【図１４】
0006517347.tif 000091
【図１５】
0006517347.tif 000092
【図１６】
0006517347.tif 000093
【図１７】
0006517347.tif 000094
【図１８】
0006517347.tif 000095
【図１９】
0006517347.tif 000096
【図２０】
0006517347.tif 000097
【図２１】
0006517347.tif 000098
【図２２】
0006517347.tif 000099